(57)【要約】【課題】記録媒体が破損、紛失、追加したときに、それを検知することにより、盗難やスリ替え等の違反を防ぐことが出来る、安定性の高い非接触認証システムを得る。【解決手段】リーダライタから特定のカードＡに対して非接触で電力を供給しながらデータを送受信する非接触認証システムであって、リーダライタからデータが送受信できる送受信可能エリアに存在していたカードＡが、当該送受信可能エリアの外側に移動したときに、それを異常として検知する第一の検知手段（ステップＳ１０６）と、前記第一の検知手段から出力される検知結果に基づいて、警告情報を音により出力する警告手段（ステップＳ１０８）とを備えている。【選択図】図４
2005158024.tif 000002
【特許請求の範囲】
【請求項１】
リーダライタから特定の記録媒体に対して非接触で電力を供給しながらデータを送受信する非接触認証システムであって、
リーダライタからデータが送受信できる送受信可能エリアに存在していた記録媒体が、当該送受信可能エリアの外側に移動したときに、それを異常として検知する第一の検知手段と、
前記第一の検知手段から出力される検知結果に基づいて、警告情報を音により出力する警告手段と
を備えたことを特徴とする非接触認証システム。
【請求項２】
特定外の記録媒体が前記送受信可能エリア内に存在したときに、それを異常として検知する第二の検知手段をさらに備え、
前記警告手段は、前記第二の検知手段から出力される検知結果に基づいて、警告情報を音により出力する
ことを特徴とする請求項１に記載の非接触認証システム。
【請求項３】
前記リーダライタは、複数の特定の記録媒体に対してデータを送受信するものであって、
前記第一の検知手段は、前記送受信可能エリア内に存在していた複数の特定の記録媒体の内少なくとも１つが当該送受信可能エリアの外側に移動したときに、それを異常として検知する
ことを特徴とする請求項１または２に記載の非接触認証システム。
【請求項４】
前記リーダライタは、複数の特定の記録媒体に対してデータを送受信するものであって、
前記第二の検知手段は、前記送受信可能エリア内に少なくとも１つの特定外の記録媒体が存在したときに、それを異常として検知する
ことを特徴とする請求項２または３に記載の非接触認証システム。
【請求項５】
リーダライタからデータが送受信できる送受信可能エリア内に存在していた記録媒体が、当該送受信可能エリア内で使用不能になったときに、それを異常として検知する第三の検知手段をさらに備え、
前記警告手段は、前記第三の検知手段から出力される検知結果に基づいて、警告情報を音により出力する
ことを特徴とする請求項１ないし４のいずれか１項に記載の非接触認証システム。
【請求項６】
前記リーダライタは、複数の特定の記録媒体に対してデータを送受信するものであって、
前記第三の検知手段は、前記送受信可能エリア内に存在していた複数の特定の記録媒体の内少なくとも１つの特定の記録媒体が当該送受信可能エリア内で使用不能になったときに、それを異常として検知する
ことを特徴とする請求項５に記載の非接触認証システム。
【請求項７】
前記警告情報を表示により出力する表示手段をさらに備えたことを特徴とする請求項１ないし６のいずれか１項に記載の非接触認証システム。
【請求項８】
前記表示手段は、前記警告情報として、前記記憶媒体のＩＤ情報を表示することを特徴とする請求項７に記載の非接触認証システム。
【請求項９】
前記表示手段は、前記警告情報として、前記送受信可能エリア内に特定外の記憶媒体が存在しているときに、それを警告するメッセージを表示することを特徴とする請求項７に記載の非接触認証システム。
【請求項１０】
前記第一の検知手段および前記第三の検知手段の少なくともいずれか一方により異常が検知されたときに、当該検知結果に基づいて、前記リーダライタによる他の記憶媒体へのデータの送受信を停止させる送受信停止手段をさらに備えたことを特徴とする請求項５ないし９のいずれか１項に記載の非接触認証システム。
【請求項１１】
前記送受信停止手段は、
前記第二の検知手段により異常が検知されたときに、当該検知結果に基づいて、前記リーダライタによる他の記憶媒体へのデータの送受信を停止させる
ことを特徴とする請求項１０に記載の非接触認証システム。
【請求項１２】
前記リーダライタが複数個設置され、
当該複数のリーダライタは、リーダライタが各々指定する特定の記録媒体とデータの送受信を行い、
各リーダライタについて、前記第一の検知手段および前記第三の検知手段の少なくともいずれか一方により異常が検知されたときに、当該検知結果に基づいて、前記表示手段は、前記警告情報として、該当リーダライタのＩＤ情報を表示する
ことを特徴とする請求項１ないし１１のいずれか１項に記載の非接触認証システム。
【請求項１３】
各リーダライタについて、前記第二の検知手段により異常が検知されたときに、当該検知結果に基づいて、前記表示手段は、前記警告情報として、該当リーダライタのＩＤ情報を表示する
ことを特徴とする請求項１２に記載の非接触認証システム。
【請求項１４】
各リーダライタについて、前記第一の検知手段および前記第三の検知手段の少なくともいずれか一方により異常が検知されたときに、当該検知結果に基づいて、前記送受信停止手段は、前記リーダライタによる他の記憶媒体へのデータの送受信を停止させる
ことを特徴とする請求項１２に記載の非接触認証システム。
【請求項１５】
各リーダライタについて、前記第二の検知手段により異常が検知されたときに、当該検知結果に基づいて、前記送受信停止手段は、前記リーダライタによる他の記憶媒体へのデータの送受信を停止させる
ことを特徴とする請求項１３に記載の非接触認証システム。
【請求項１６】
前記第一の検知手段、前記第二の検知手段および前記第三の検知手段により検出された前記異常を記録する記録手段をさらに備えた
ことを特徴とする請求項５ないし１５のいずれか１項に記載の非接触認証システム。
【請求項１７】
前記送受信可能エリアは可変であって、
前記送受信可能エリアを切り替えるエリア切替手段をさらに備えた
ことを特徴とする請求項１ないし１６のいずれか１項に記載の非接触認証システム。
【請求項１８】
リーダライタから特定の記録媒体に対して非接触でデータを送受信する非接触認証システムであって、
上記特定の記憶媒体は動作用の電池を搭載しているものであって、
リーダライタからデータが送受信できる送受信可能エリアに存在していた記録媒体が、当該送受信可能エリアの外側に移動したときに、それを異常として検知する第一の検知手段と、
前記第一の検知手段から出力される検知結果に基づいて、警告情報を音により出力する警告手段と
を備えたことを特徴とする非接触認証システム。
【請求項１９】
特定外の記録媒体が前記送受信可能エリア内に存在したときに、それを異常として検知する第二の検知手段をさらに備え、
前記警告手段は、前記第二の検知手段から出力される検知結果に基づいて、警告情報を音により出力する
ことを特徴とする請求項１８に記載の非接触認証システム。
【請求項２０】
前記リーダライタは、複数の特定の記録媒体に対してデータを送受信するものであって、
前記第一の検知手段は、前記送受信可能エリア内に存在していた複数の特定の記録媒体の内少なくとも１つが当該送受信可能エリアの外側に移動したときに、それを異常として検知する
ことを特徴とする請求項１８または１９に記載の非接触認証システム。
【請求項２１】
前記リーダライタは、複数の特定の記録媒体に対してデータを送受信するものであって、
前記第二の検知手段は、前記送受信可能エリア内に少なくとも１つの特定外の記録媒体が存在したときに、それを異常として検知する
ことを特徴とする請求項１９または２０に記載の非接触認証システム。
【請求項２２】
リーダライタからデータが送受信できる送受信可能エリア内に存在していた記録媒体が、当該送受信可能エリア内で使用不能になったときに、それを異常として検知する第三の検知手段をさらに備え、
前記警告手段は、前記第三の検知手段から出力される検知結果に基づいて、警告情報を音により出力する
ことを特徴とする請求項１８ないし２１のいずれか１項に記載の非接触認証システム。
【請求項２３】
前記リーダライタは、複数の特定の記録媒体に対してデータを送受信するものであって、
前記第三の検知手段は、前記送受信可能エリア内に存在していた複数の特定の記録媒体の内少なくとも１つの特定の記録媒体が当該送受信可能エリア内で使用不能になったときに、それを異常として検知する
ことを特徴とする請求項２２に記載の非接触認証システム。
【請求項２４】
前記警告情報を表示により出力する表示手段をさらに備えたことを特徴とする請求項１８ないし２３のいずれか１項に記載の非接触認証システム。
【請求項２５】
前記表示手段は、前記警告情報として、前記記憶媒体のＩＤ情報を表示することを特徴とする請求項２４に記載の非接触認証システム。
【請求項２６】
前記表示手段は、前記警告情報として、前記送受信可能エリア内に特定外の記憶媒体が存在しているときに、それを警告するメッセージを表示することを特徴とする請求項２４に記載の非接触認証システム。
【請求項２７】
前記第一の検知手段および前記第三の検知手段の少なくともいずれか一方により異常が検知されたときに、当該検知結果に基づいて、前記リーダライタによる他の記憶媒体へのデータの送受信を停止させる送受信停止手段をさらに備えたことを特徴とする請求項２２ないし２６のいずれか１項に記載の非接触認証システム。
【請求項２８】
前記送受信停止手段は、
前記第二の検知手段により異常が検知されたときに、当該検知結果に基づいて、前記リーダライタによる他の記憶媒体へのデータの送受信を停止させる
ことを特徴とする請求項２７に記載の非接触認証システム。
【請求項２９】
前記リーダライタが複数個設置され、
当該複数のリーダライタは、リーダライタが各々指定する特定の記録媒体とデータの送受信を行い、
各リーダライタについて、前記第一の検知手段および前記第三の検知手段の少なくともいずれか一方により異常が検知されたときに、当該検知結果に基づいて、前記表示手段は、前記警告情報として、該当リーダライタのＩＤ情報を表示する
ことを特徴とする請求項１８ないし２８のいずれか１項に記載の非接触認証システム。
【請求項３０】
各リーダライタについて、前記第二の検知手段により異常が検知されたときに、当該検知結果に基づいて、前記表示手段は、前記警告情報として、該当リーダライタのＩＤ情報を表示することを特徴とする請求項２９に記載の非接触認証システム。
【請求項３１】
各リーダライタについて、前記第一の検知手段および前記第三の検知手段の少なくともいずれか一方により異常が検知されたときに、当該検知結果に基づいて、前記送受信停止手段は、前記リーダライタによる他の記憶媒体へのデータの送受信を停止させる
ことを特徴とする請求項２９に記載の非接触認証システム。
【請求項３２】
各リーダライタについて、前記第二の検知手段により異常が検知されたときに、当該検知結果に基づいて、前記送受信停止手段は、前記リーダライタによる他の記憶媒体へのデータの送受信を停止させる
ことを特徴とする請求項３０に記載の非接触認証システム。
【請求項３３】
前記第一の検知手段、前記第二の検知手段および前記第三の検知手段により検出された前記異常を記録する記録手段をさらに備えた
ことを特徴とする請求項２２ないし３２のいずれか１項に記載の非接触認証システム。
【請求項３４】
前記リーダライタが複数個設置され、
当該複数のリーダライタは、当該複数のリーダライタ一組で指定する特定の単数または複数個記録媒体とデータの送受信を行い、
各リーダライタについて、前記第一の検知手段により異常が検知されたときに、当該検知結果に基づいて、前記警告情報として、該当リーダライタのＩＤ情報を表示する表示手段をさらに備えた
ことを特徴とする請求項１８ないし３３のいずれかに記載の非接触認証システム。
【請求項３５】
前記リーダライタが複数個設置され、
当該複数のリーダライタは、複数個のリーダライタを一組として指定する特定の一つまたは複数の記録媒体とデータの送受信を行い、
全てのリーダライタにおいて、前記第一の検知手段から出力される検知結果に基づいて、警告情報を音により出力する警告手段を備えたことを特徴とする請求項１に記載の非接触認証システム。
【請求項３６】
特定外の記録媒体が前記送受信可能エリア内に存在したときに、それを異常として検知する第二の検知手段をさらに備え、
前記警告手段は、前記第二の検知手段から出力される検知結果に基づいて、警告情報を音により出力することを特徴とする請求項３５に記載の非接触認証システム。
【請求項３７】
リーダライタからデータが送受信できる送受信可能エリア内に存在していた記録媒体が、当該送受信可能エリア内で使用不能になったときに、それを異常として検知する第三の検知手段をさらに備え、
前記警告手段は、前記第三の検知手段から出力される検知結果に基づいて、警告情報を音により出力することを特徴とする請求項３５または３６に記載の非接触認証システム。
【請求項３８】
前記警告情報を表示により出力する表示手段をさらに備えたことを特徴とする請求項３５ないし３７のいずれか１項に記載の非接触認証システム。
【請求項３９】
前記警告情報を表示により出力する表示手段をさらに備えたことを特徴とする請求項３８に記載の非接触認証システム。
【請求項４０】
前記表示手段は、前記警告情報として、前記送受信可能エリア内に特定外の記憶媒体が存在しているときに、それを警告するメッセージを表示することを特徴とする請求項３８に記載の非接触認証システム。
【請求項４１】
前記第一の検知手段および前記第三の検知手段の少なくともいずれか一方により異常が検知されたときに、当該検知結果に基づいて、前記リーダライタによる他の記憶媒体へのデータの送受信を停止させる送受信停止手段をさらに備えたことを特徴とする請求項３７に記載の非接触認証システム。
【請求項４２】
前記第二の検知手段により異常が検知されたときに、当該検知結果に基づいて、前記リーダライタによる他の記憶媒体へのデータの送受信を停止させる送受信停止手段をさらに備えたことを特徴とする請求項３６に記載の非接触認証システム。
【請求項４３】
前記第一の検知手段、前記第二の検知手段および前記第三の検知手段により検出された前記異常を記録する記録手段をさらに備えた
ことを特徴とする請求項３７に記載の非接触認証システム。
【請求項４４】
特定の記憶媒体が動作用の電池を搭載することを特徴とする請求項３５ないし４３のいずれかに記載の非接触認証システム。
【発明の詳細な説明】
【技術分野】
【０００１】
本発明は非接触認証システムに関し、特に、リーダライタからカードまたはタグ等の記録媒体に対して非接触で電力を供給しながらデータを送受信する非接触認証システムに関する。
【背景技術】
【０００２】
従来より、この種の非接触認証システムが開発されている。従来の非接触認証システムにおいては、送受信可能エリアに特定の複数のカードが存在している場合には、順々に、１つずつのカードに対してリーダライタから質問データを送信し、それに対する応答データをＩＣカードから受信する。応答データの受信により、カードの有無の判断を行っている（例えば、非特許文献１参照。）。
【０００３】
当該非特許文献１においては、カードからの応答データが受信できない場合には、すべての場合をカードが送受信可能エリアに存在していないと判断する。このため、本当に存在しない場合も、カードが破損していて応答データが送信出来ない場合も、すべて、カードが存在していないものと判断される。
【０００４】
また、特定カードの代わりに、非特定カードが送受信エリアに存在していた場合には、非特定カードからの応答データを受信する。
【０００５】
また、送受信エリア内においても、壁などがＩＣカードの近傍に存在していて、干渉によりカードが質問データを受信することができない場合は、ＩＣカードが応答データを送信できないので、当該ＩＣカードは送受信エリア内に存在しないと判断される。
【０００６】
【非特許文献１】浅野正一郎、「非接触ＩＣカード・RFIDガイドブック2003」、非接触ICカード・RFID普及委員会編、２００２年８月（４章RFIDの標準化動向と技術的条件）
【発明の開示】
【発明が解決しようとする課題】
【０００７】
従来の非接触認証システムにおいては、リーダライタから予め指定した特定のカードまたはタグに対してデータを送受信する場合、少なくとも一つのカードまたはタグの破損、紛失、追加をリアルに検知し警告を発する手段が無く盗難やスリ替え等の違反を防ぐことが出来ずにいたために、安定したデータの送受信、安全性向上や違反防止機能具備が問題点となっていた。
【０００８】
また、例えばカジノなどの遊戯施設においてトランプなどの特定のカードにチップ型のタグを新規に取付けた上でリーダライタからデータ送受信することにより盗難やスリ替え等を防ぐ違反防止機能が求められていた。これらの一方で、リーダライタにおいて電力供給するアンテナの大きさが固定されていたために、リーダライタが電力供給する範囲、即ちデータを送受信する範囲が固定され、広い空間内においてカードやタグと正しくデータ送受信できるリーダライタであっても、壁近くに設置変更された場合には壁の反射波との干渉が発生することにより、データ送受信エラーが発生し、データ送受信の成功率向上という問題点があった。
【０００９】
更に、ある空間内においてカードやタグと正しくデータ送受信できるリーダライタであってもカードやタグの有無の確認を必要とする範囲が広い場所に設置変更する場合は、リーダライタが電力供給しデータを送受信するエリアを広くし、より広範囲で多くのカードやタグとデータ送受信することにより、前記エリアの周辺に適応したデータを送受信するエリアを設定し、データ送受信の成功率向上という問題点があった。
【００１０】
本発明は、上記従来技術の課題を解決するためになされたものであり、特定のカードまたはタグ等の記録媒体に対してデータを送受信する非接触認証システムで、少なくとも一つの記録媒体の破損、紛失、追加を検知することにより、盗難やスリ替え等の違反を防ぐことが出来る、安定性の高い非接触認証システムを得ることを目的とする。
【課題を解決するための手段】
【００１１】
この発明は、リーダライタから特定の記録媒体に対して非接触で電力を供給しながらデータを送受信する非接触認証システムであって、リーダライタからデータが送受信できる送受信可能エリアに存在していた記録媒体が、当該送受信可能エリアの外側に移動したときに、それを異常として検知する第一の検知手段と、前記第一の検知手段から出力される検知結果に基づいて、警告情報を音により出力する警告手段とを備えたことを特徴とする非接触認証システムである。
【発明の効果】
【００１２】
この発明は、リーダライタから特定の記録媒体に対して非接触で電力を供給しながらデータを送受信する非接触認証システムであって、リーダライタからデータが送受信できる送受信可能エリアに存在していた記録媒体が、当該送受信可能エリアの外側に移動したときに、それを異常として検知する第一の検知手段と、前記第一の検知手段から出力される検知結果に基づいて、警告情報を音により出力する警告手段とを備えているので、特定の記録媒体に対してデータを送受信する場合において、記録媒体がデータの送受信可能エリアを外れたことを確実に判別して、異常を伝達することにより、盗難や紛失を防ぐことが出来るため、より安全性や管理性を高くしてデータを送受信できるという効果がある。
【発明を実施するための最良の形態】
【００１３】
実施の形態１．
図１は、この発明の実施の形態１に係る非接触認証システムの構成を示した図である。なお、以下の実施の形態においては、非接触認証システムとして、ＩＣカードを用いるシステムを例に挙げて説明するが、この場合に限らず、データの送受信が行える可搬磁気記録媒体であれば、いかなるものでも、本願に適用することができる。この発明に係る非接触ＩＣカードシステムの構成は、図１に示すように、リーダライタ１が所定の位置に設けられている。リーダライタ１からカードＡ３にデータを非接触で送受信できる送受信可能エリア２は、図のように、予め設定されている。本システムにおいては、カードＡ３が送受信可能エリア２内に存在しているときを正常とし、カードＡ３が送受信可能エリア２の外側に移動した場合に、盗難、差し替え、紛失等が発生したとして、異常と判定する。リーダライタ１には、アラームやブザーあるいは音声等の音により異常を知らせるための警告部１５が接続されている。
【００１４】
図２は、この発明の実施の形態１に係る非接触ＩＣカードシステムの構成を示した図である。図に示すように、リーダライタ１内には、制御部１１、送受信部１２、コイル１３、メモリ１４が設けられている。カードＡ３内には、制御部３１、送受信部３２、メモリ３３が設けられている。なお、本システムで使用可能なカードは特定のＩＣカード（規定にあったＩＣカード）だけに限られ、特定外のＩＣカード（規定外のＩＣカード）が送受信可能エリア２内に入ってきた場合には異常と判定される（これについては実施の形態２以降で後述する。）。
【００１５】
図３は、この発明の実施の形態１に係る非接触ＩＣカードシステムにおけるタイミングチャート・プロトコル図である。図３（ａ）に示すように、リーダライタ１からカードＡ３に対して質問データ５０が送信される。当該質問データ５０を受信したカードＡ３は、応答データ５１を返信する。この動作を繰り返し行う。また、リーダライタ１は、異常を検出すると、制御部１１から判別情報データ６０を警告部１５に送信する。警告部１５はそれを受けて、アラームやブザー等による警告６１を発する。また、図３（ｂ）に示すように、質問データ５０内には、送信相手のカードＡ３のＩＤ情報５０１が含まれている。また、同様に、応答データ５１内には、返信元の当該カードＡ３のＩＤ情報５１１が含まれている。このように、本システムにおいては、リーダライタ１によって送受信されるデータの全てに、送受信相手のカードを認証することができるためのカードに付されたＩＤ番号が添付されている。
【００１６】
次に、本実施の形態１の動作について図４のフローチャートを参照しながら説明する。図４において、まず、ステップＳ１０１においては、リーダライタ１内の制御部１１がメモリ１４から予め格納されているカードＡ３のＩＤ情報５０１を読出し、カードＡに対する質問データ５０を送受信部１２で変調し、コイル１３から送信する。なお、本実施の形態においては、対象となるＩＣカードがカードＡ３の１枚のみを想定しているので、メモリ１４にはカードＡ３のＩＤ情報５０１のみが書き込まれている。ステップＳ１０２においては、カードＡ３の送受信部３２が質問データ５０を受信し復調し、次に、制御部３１が、質問データ５０内のカードＡ３のＩＤ情報５０１とメモリ３３内に予め格納されているカードＡ３のＩＤ情報５１１とを比較して、質問データ５０内のカードＡ３のＩＤ情報５０１とメモリ３３内のカードＡ３のＩＤ情報５１１とが同一であると判別したときに、カードＡ３からの応答データ５１を生成して、送受信部３２から送信する。
【００１７】
ステップＳ１０３においては、カードＡ３からの応答データ５１をリーダライタ１のコイル１３で受信し、送受信部１２で復調し、制御部１１でメモリ１４からカードＡ３のＩＤ情報５０１を読出し、それとカードＡ３からの応答データ５１内のＩＤ情報５１１とが同一であったときに、カードＡ３が送受信可能エリア２内にあると判別する。これを繰り返し行う。ところが、ステップＳ１０４において、カードＡ３が送受信可能エリア２から外れたと仮定する。ステップＳ１０５においては、ステップＳ１０１と同一の操作を実施する。操作は、ステップＳ１０１の動作の開始ｔｃ後（ここで、ｔｃは、ステップＳ１０３の動作終了後にステップＳ１０５の動作が開始するように、適宜決めた時間で、例えば、３分後）に実施する。ステップＳ１０６においては、リーダライタ１の制御部１１がカードＡ３からの応答データ５１が無い場合に、カードＡ３が送受信可能エリア２内に無いと判別する（第一の検知手段）。これにより、ステップＳ１０７において、リーダライタ１の制御部１１が判別情報データ６０を警告部１５に送信する。送信は、ステップＳ１０５の動作の開始ｔｃ後に実施する。次に、ステップＳ１０８において、警告部１５がアラームやブザー等の警告を発し、異常を周囲に伝達する（警告手段）。
【００１８】
この発明の実施の形態１では、以上のように構成されているため、特定のカードに対してデータを送受信する場合において、カードがデータの送受信可能エリアを外れたことを確実に判別して、異常を伝達することにより、盗難や紛失を防ぐことが出来るため、より安全性や管理性を高くしてデータを送受信できるという効果がある。
【００１９】
なお、本実施の形態においては、特定のＩＣカード（規定のＩＣカード）がデータを送受信する場合について述べたが、その場合に限らず、特定のタグ等、可搬磁気記録媒体でも同様である。
【００２０】
実施の形態２．
図５は、この発明の実施の形態２に係る非接触ＩＣカードシステムの構成図である。図１と同一の構成については同一符号を付して示しここではその説明を省略する。なお、図において、カードＡ３は特定のカードであるが、カードＤ７は特定外のカードである。
【００２１】
図６は、この発明の実施の形態２に係る非接触ＩＣカードシステムの構成の詳細図である。図６に示すように、リーダライタ１およびカードＡ３の構成は、図２と同じであるため、ここでは説明を省略する。図に示すように、カードＤ７内には、制御部７１、送受信部７２、メモリ７３が設けられている。
【００２２】
図７は、この発明の実施の形態２における非接触ＩＣカードシステムにおけるタイミングチャート・プロトコル図である。図に示すように、カードＡ３に対して送信した質問データ５０を送受信可能エリア２内に存在する特定外のカードＤ７が受信してしまい、その結果、カードＤ７からの応答データ５６をリーダライタ１が受信することがある。そのときの応答データ５６内には、図７（ｂ）に示すように、カードＤ７のＩＤ情報５６１が含まれている。その他の図番の説明は、図３と同一のため説明を省略する。
【００２３】
次に、本実施の形態２の動作について図８のフローチャートを参照しながら説明する。図において、まず、ステップＳ２０１〜ステップＳ２０３においては、図４のステップＳ１０１〜ステップＳ１０３と同一のため説明を省略する。ステップＳ２０４においては、カードＡ３が送受信可能エリア２から外れ、カードＤ７が送受信可能エリア２内に入ったと仮定する。ステップＳ２０５においては、ステップＳ２０１と同一の操作を実施する。操作は、ステップＳ２０１の動作の開始ｔｃ後（ステップＳ２０３の動作終了後）に実施する。ステップＳ２０６においては、カードＡ３に対して送信した質問データ５０を送受信可能エリア２内に存在する特定外のカードＤ７が受信してしまい、その結果、カードＤ７が応答データ５６を送受信部７２から送信する。ステップＳ２０７においては、カードＤ７からの応答データ５６をリーダライタ１のコイル１３で受信し、送受信部１２で復調して、制御部１１でメモリ１４からカードＡ３のＩＤ情報５０１を読出し、カードＤからの応答データ５６内のＩＤ情報５６１と同一でないときに、カードＡ３以外のカードが送受信可能エリア２内にあると判別する（第二の検知手段）。ステップＳ２０８においては、リーダライタ１の制御部１１が特定外のカード有りの判別情報データ６０を警告部１５に送信する。送信は、ステップＳ２０５の動作の開始ｔｃ後に実施する。ステップＳ２０９においては、警告部１５がアラームやブザー等の警告を発し、異常を周囲に伝達する。
【００２４】
この発明の実施の形態２では、以上のように構成されているため、特定のカードまたはタグに対してデータを送受信する場合において、特定外のカードまたはタグがデータの送受信可能エリアに入ったことをリアルに判別、異常を伝達することにより、すり替えや紛失を防ぐことが出来るため、より安全性や管理性を高くしてデータを送受信できるという効果がある。
【００２５】
実施の形態３．
図９は、この発明の実施の形態３における非接触ＩＣカードシステムの構成図である。本実施の形態においては、特定カードが複数枚あった場合を説明する。図において、カードＢ４は、カードＡ３と同様の特定カードである。その他の図番の説明は、図１と同一のため説明を省略する。
【００２６】
図１０は、この発明の実施の形態３における非接触ＩＣカードシステムの構成の詳細図である。図において、カードＢ４は、制御部４１、送受信部４２、メモリ４３が設けられており、カードＡ３と同一の構成を有している。その他の図番の説明は、図２と同一のため説明を省略する。
【００２７】
図１１は、本発明の実施の形態３における非接触ＩＣカードシステムにおけるタイミングチャート・プロトコル図である。図に示すように、リーダライタ１は、カードＡ３のときと同様に、カードＢ４への質問データ５２を送信すると、これを受けて、カードＢ４から応答データ５３が返信される。なお、カードＢ４への質問データ５２は、カードＢ４のＩＤ情報５２１が含まれており、カードＢ４からの応答データ５３１内のカードＢ４のＩＤ情報である。その他の図番の説明は、図３と同一のため説明を省略する。
【００２８】
次に、実施の形態３の動作について図１２のフローチャートを参照しながら説明する。図において、まず、ステップＳ３０１においては、ステップＳ１０１と同一のため説明を省略する。リーダライタ１内のメモリ１４には、カードＡ３のＩＤ情報５０１およびカードＢ４のＩＤ情報５２１のみが書き込まれている。ステップＳ３０２においては、ステップＳ１０２と同一のため説明を省略する。ステップＳ３０３においては、ステップＳ１０３と同一のため説明を省略する。
【００２９】
ステップＳ３０４においては、リーダライタ１内の制御部１１がメモリ１４からカードＢ４のＩＤ情報５２１を読出し、質問データ５２を送受信部１２で変調し、コイル１３から送信する。操作は、ステップＳ３０１の動作の開始ｔｃ後（ステップＳ３０３の動作終了後）に実施する。ステップＳ３０５においては、カードＢ４の送受信部４３が質問データ５２を受信して復調し、制御部４１が質問データ５２内のカードＢ４のＩＤ情報５２１をメモリ４３内のカードＢ４のＩＤ情報５２１を読込み、質問データ５２内のカードＢ４のＩＤ情報５２１とメモリ内４３のカードＢ４のＩＤ情報５３１が同一であると判別、カードＢからの応答データ５３を送受信部４２から送信する。ステップＳ３０６においては、カードＢからの応答データ５３をリーダライタ１のコイル１３で受信し、送受信部１２で復調、制御部１１でメモリ１４からカードＢのＩＤ情報５２１を読出し、カードＢからの応答データ５３のカードＢのＩＤ情報５３１が同一であり、カードＢ４が送受信可能エリア２内にあると判別する。カードＡに対してのステップＳ３０１〜Ｓ３０３の処理と、カードＢに対してのステップＳ３０４〜Ｓ３０６の処理とを交互に繰り返し行う。
【００３０】
ステップＳ３０７においては、カードＡ３が送受信可能エリア２から外れたと仮定する。ステップＳ３０８においては、ステップＳ３０１と同一の操作を実施する。操作は、ステップＳ３０１の動作の開始ｔｃ後（ステップＳ３０３の動作終了後）に実施する。ステップＳ３０９においては、リーダライタ１の制御部１１がカードＡからの応答データ５１が無いと判別する。ステップＳ３１０においては、リーダライタ１の制御部１１が判別情報データ６０を警告部１５に送信する。送信は、ステップＳ３０８の動作の開始ｔｃ後に実施する。ステップＳ３１１においては、警告部１５がアラームやブザー等の警告を発し、異常を周囲に伝達する。
【００３１】
この発明の実施の形態３では、以上のように構成されているため、特定の複数カードまたはタグに対してデータを送受信する場合において、少なくとも一つのカードまたはタグがデータの送受信可能エリアを外れたことをリアルに判別、異常を伝達することにより、盗難や紛失を防ぐことが出来るため、より安全性や管理性を高くしてデータを送受信できるという効果がある。なお、上記の説明においては、カードの数を２枚として説明したが、２以上でも同様の効果が得られるのは、説明するまでもない。
【００３２】
実施の形態４．
図１３は、この発明の実施の形態４における非接触ＩＣカードシステムの構成図である。図において、各図番の説明は、図１あるいは図９と同一のため説明を省略する。なお、本実施の形態においては、図１３に示すように、特定カードであるカードＡ３およびカードＢ４と、特定外カードであるカードＤ７とが、送受信可能エリア２の内あるいは外に存在している場合を説明する。
【００３３】
図１４は、この発明の実施の形態４における非接触ＩＣカードシステムの構成の詳細図である。図において、各図番の説明は、図２あるいは図１０と同一のため説明を省略する。
【００３４】
図１５は、この発明の実施の形態４における非接触ＩＣカードシステムにおけるタイミングチャート・プロトコル図である。図において、各図番の説明は、図３あるいは図１１と同一のため説明を省略する。
【００３５】
次に、本実施の形態４の動作について図１６のフローチャートを参照しながら説明する。図において、まず、ステップＳ４０１〜ステップＳ４０６においては、上記の図１２のステップＳ３０１〜ステップＳ３０６と同一のため説明を省略する。ステップＳ４０７においては、カードＡ３が送受信可能エリア２から外れ、カードＤ７が送受信可能エリア２内に入ったと仮定する。ステップＳ４０８においては、ステップＳ４０１と同一の操作を実施する。操作は、ステップＳ４０４の動作の開始ｔｃ後（ステップＳ４０６の動作終了後）に実施する。ステップＳ４０９においては、カードＤ７が応答データ５６を送受信部７２から送信する。
【００３６】
ステップＳ４１０においては、カードＤ７からの応答データ５６をリーダライタ１のコイル１３で受信し、送受信部１２で復調し、制御部１１でメモリ１４からカードＡ３のＩＤ情報５０１を読出す。制御部１１は、読み出したＩＤ情報５０１とカードＤ７からの応答データ５６内のＩＤ情報５６１とを比較して、それらが同一でなく、カードＡ３以外のカードが送受信可能エリア２内にあると判別する。
【００３７】
ステップＳ４１１においては、リーダライタ１の制御部１１が規定外のカード有りの判別情報データ６０を警告部１５に送信する。送信は、ステップＳ２０５の動作の開始ｔｃ後に実施する。ステップＳ４１２においては、警告部１５がアラームやブザー等の警告を発し、異常を周囲に伝達する。
【００３８】
この発明の実施の形態４では、以上のように構成されているため、特定の複数カードまたはタグに対してデータを送受信する場合において、特定外のカードまたはタグがデータの送受信可能エリアに入ったことをリアルに判別して、異常を伝達することにより、すり替えや紛失を防ぐことが出来るため、より安全性や管理性を高くしてデータを送受信できるという効果がある。
【００３９】
実施の形態５．
図１７は、この発明の実施の形態５に係る非接触ＩＣカードシステムの構成図である。図において、各図番の説明は、図１と同一のため説明を省略する。本実施の形態においては、図１７に示すように、カードＡ３が破損した状態で送受信可能エリア２内に存在している場合について説明する。
【００４０】
この発明の実施の形態５の非接触ＩＣカードシステムの構成の詳細図は、図２と同一のため説明を省略する。
【００４１】
この発明の実施の形態５の非接触ＩＣカードシステムにおけるタイミングチャート・プロトコル図は、図３と同一のため説明を省略する。
【００４２】
次に、本実施の形態５の動作について図１８のフローチャートを参照しながら説明する。図１８において、まず、ステップＳ５０１〜ステップＳ５０３においては、上記の図４のステップＳ１０１〜ステップＳ１０３と同一のため説明を省略する。ステップＳ５０４においては、カードＡ３が送受信可能エリア２内において破損し受信不能になったと仮定する。ステップＳ５０５においては、ステップＳ５０１と同一の操作を実施する。操作は、ステップＳ５０１の動作の開始ｔｃ後（ステップＳ５０３の動作終了後）に実施する。ステップＳ５０６においては、リーダライタ１の制御部１１がカードＡ３からの応答データ５１が無い場合に、カードＡ３が送受信可能エリア２内で破損したと判別する（第三の検知手段）。ステップＳ５０７においては、リーダライタ１の制御部１１が判別情報データ６０を警告部１５に送信する。送信は、ステップＳ５０５の動作の開始ｔｃ後に実施する。ステップＳ５０８においては、警告部１５がアラームやブザー等の警告を発し、異常を周囲に伝達する（警告手段）。
【００４３】
この発明の実施の形態５では、以上のように構成されているため、特定のカードまたはタグに対してデータを送受信する場合において、カードまたはタグが破損による送受信不能をリアルに判別して、異常を伝達することにより、盗難や紛失を防ぐことが出来るため、より安全性や管理性を高くしてデータを送受信できるという効果がある。
【００４４】
実施の形態６．
図１９は、この発明の実施の形態６に係る非接触ＩＣカードシステムの構成図である。図において、各図番の説明は、図９と同一のため説明を省略する。
【００４５】
この発明の実施の形態６の非接触ＩＣカードシステムの構成の詳細図は、図１０と同一のため説明を省略する。
【００４６】
この発明の実施の形態６の非接触ＩＣカードシステムにおけるタイミングチャート・プロトコル図は、図１１と同一のため説明を省略する。
【００４７】
次に、実施の形態６の動作について図２０のフローチャートを参照しながら説明する。図２０において、まず、ステップＳ６０１〜ステップＳ６０６においては、上記の図１２のステップＳ３０１〜ステップＳ３０６と同一のため説明を省略する。ステップＳ６０７においては、カードＡ３が送受信可能エリア２内において破損し受信不能になる。ステップＳ６０８〜ステップＳ６１１においては、ステップＳ３０８〜ステップＳ３１１と同一のため説明を省略する。
【００４８】
この発明の実施の形態６では、以上のように構成されているため、特定のカードまたはタグに対してデータを送受信する場合において、少なくとも一つのカードまたはタグが破損による送受信不能をリアルに判別、異常を伝達することにより、盗難や紛失を防ぐことが出来るため、より安全性や管理性を高くしてデータを送受信できるという効果がある。
【００４９】
実施の形態７．
図２１は、この発明の実施の形態７の非接触ＩＣカードシステムの構成図である。実施の形態７においては、図に示すように、警告メッセージを表示するための表示部１６が設けられている。その他の図番の説明は、図１と同一のため説明を省略する。
【００５０】
図２２は、この発明の実施の形態７の非接触ＩＣカードシステムの構成の詳細図である。図に示すように、警告メッセージを表示するための表示部１６がリーダライタ１に接続されている。その他の図番の説明は、図２と同一のため説明を省略する。
【００５１】
図２３は、この発明の実施の形態７の非接触ＩＣカードシステムにおけるタイミングチャート・プロトコル図である。図に示すように、表示部１６による警告メッセージ表示を行う。その他の図番の説明は、図３と同一のため説明を省略する。
【００５２】
図２４は、この発明の実施の形態７の非接触ＩＣカードシステムにおける表示部の表示画面である。表示部１６による警告メッセージ表示６２の一例を示す。
【００５３】
次に、実施の形態７の動作について図２５のフローチャートを参照しながら説明する。図において、まず、ステップＳ７０１〜ステップＳ７０６においては、図４のステップＳ１０１〜ステップＳ１０６と同一のため説明を省略する。ステップＳ７０７においては、リーダライタ１の制御部１１が判別情報データ６０を警告部１５および／または表示部１６に送信する。送信は、ステップＳ７０５の動作の開始ｔｃ後に実施する。ステップＳ７０８においては、警告部１５がアラームやブザー等の警告６１を発し、異常を周囲に伝達する。ステップＳ７０９においては、表示部１６が判別情報データ６０を元にカード紛失という警告メッセージ６２表示し、異常を周囲に伝達する（表示手段）。
【００５４】
この発明の実施の形態７では、以上のように構成されているため、特定のカードまたはタグに対してデータを送受信する場合において、カードまたはタグがデータの送受信可能エリアを外れたことをリアルに判別し、異常を警告音と表示の２通りの方法で伝達でき、警告音の届かない場所においても表示手段により異常をリアルに発見、対処できるために、より安全性や管理性を高くしてデータを送受信できるという効果がある。
【００５５】
実施の形態８．
図２６は、この発明の実施の形態８における非接触ＩＣカードシステムの構成図である。図において、各図番の説明は、図９と同一のため説明を省略する。
【００５６】
図２７は、この発明の実施の形態８における非接触ＩＣカードシステムの構成の詳細図である。図において、各図番の説明は、図１０と同一のため説明を省略する。
【００５７】
図２８は、この発明の実施の形態８における非接触ＩＣカードシステムにおけるタイミングチャート・プロトコル図である。図において、判別情報データ６０内には、紛失カードＩＤ番号情報６０１と、警告コマンド６０２とが含まれている。その他の図番の説明は、図１１と同一のため説明を省略する。
【００５８】
図２９は、この発明の実施の形態８の非接触ＩＣカードシステムにおける表示部１６の表示画面である。
【００５９】
次に、本実施の形態８の動作について図３０のフローチャートを参照しながら説明する。図において、まず、ステップＳ８０１〜ステップＳ８０６においては、図４のステップＳ３０１〜ステップＳ３０６と同一のため説明を省略する。
【００６０】
ステップＳ８０７においては、カードＡ３が送受信可能エリア２から外れたと仮定する。ステップＳ８０８においては、ステップＳ８０４と同一の操作を実施する。操作は、ステップＳ８０４の動作の開始ｔｃ後（ステップＳ８０６の動作終了後）に実施する。ステップＳ８０９においては、リーダライタ１の制御部１１がカードＡ３からの応答データ５１が無いと判別する。ステップＳ８１０においては、リーダライタ１の制御部１１が紛失カードＩＤ番号６０１（カードＡ３のＩＤ番号）と警告コマンド６０２を含む判別情報データ６０を警告部１５、表示部１６に送信する。送信は、ステップＳ８０８の動作の開始ｔｃ後に実施する。ステップＳ８１１においては、警告部１５がアラームやブザー等の警告を発し、異常を周囲に伝達する。ステップＳ８１２においては、表示部１６が判別情報データ６０を元にカード紛失という警告メッセージ６２、紛失カードＩＤ情報６２１を表示し、異常を周囲に伝達する。
【００６１】
次に、実施の形態８の他の動作について図３１のフローチャートを参照しながら説明する。図において、まず、ステップＳ８１０１〜ステップＳ８１０６においては、図３０のステップＳ８０１〜ステップＳ８０６と同一のため説明を省略する。ステップＳ８１０７においては、カードＡ３が破損し使用不能となったと仮定する。ステップＳ８１０８〜ステップＳ８１１２においては、図３０のステップＳ８０８〜ステップＳ８１２と同一のため説明を省略する。
【００６２】
この発明の実施の形態８では、以上のように構成されているため、特定の複数カードまたはタグに対してデータを送受信する場合において、どのカードまたはタグがデータの送受信可能エリアを外れたことをリアルに判別し、異常を警告音と表示の２通りの方法で伝達でき、警告音の届かない場所においても表示手段により異常、該当のカードＩＤをリアルに発見、対処できるために、より安全性や管理性を高くしてデータを送受信できるという効果がある。
【００６３】
実施の形態９．
図３２は、この発明の実施の形態９の非接触ＩＣカードシステムの構成図である。図に示すように、表示部１６による警告メッセージ表示を行う。その他の図番の説明は、図１と同一のため説明を省略する。
【００６４】
この発明の実施の形態９の非接触ＩＣカードシステムの構成の詳細図は、図２２と同一のため説明を省略する。
【００６５】
図３３は、この発明の実施の形態９の非接触ＩＣカードシステムにおけるタイミングチャート・プロトコルである。図において、図番の説明は、図７と同一のため説明を省略する。
【００６６】
図３４は、この発明の実施の形態９の非接触ＩＣカードシステムにおける表示部の表示画面である。図に示すように、表示部１６による警告メッセージ表示を行う。
【００６７】
次に、実施の形態９の動作の一例について図３５のフローチャートを参照しながら説明する。図において、まず、ステップＳ９０１〜ステップＳ９０３においては、図８のステップＳ２０１〜ステップＳ２０３と同一のため説明を省略する。ステップＳ９０４においては、カードＤ７が送受信可能エリア２内に入ったと仮定する。ステップＳ９０５においては、ステップＳ９０１と同一の操作を実施する。操作は、ステップＳ９０１の動作の開始ｔｃ後（ステップＳ９０３の動作終了後）に実施する。ステップＳ９０６においては、カードＤ７がカードＤからの応答データ５６を送受信部７２から送信する。ステップＳ９０７においては、カードＤからの応答データ５６をリーダライタ１のコイル１３、送受信部１２で復調、制御部１１でメモリ１４からカードＡ３のＩＤ情報５０１を読出し、カードＤからの応答データ５６のカードＤのＩＤ情報５６１と同一でなく、カードＡ３以外のカードが送受信可能エリア２内にあると判別する。ステップＳ９０８においては、リーダライタ１の制御部１１が規定外のカード有りの判別情報データ６０を警告部１５、表示部１６に送信する。送信は、ステップＳ９０５の動作の開始ｔｃ後に実施する。ステップＳ９０９においては、警告部１５がアラームやブザー等の警告を発し、異常を周囲に伝達する。ステップＳ９１０においては、表示部１６が判別情報データ６０を元に規定外のカード有りという警告メッセージ６２を表示し、異常を周囲に伝達する。
【００６８】
この発明の実施の形態９では、以上のように構成されているため、特定のカードまたはタグに対してデータを送受信する場合において、特定外のカードまたはタグがデータの送受信可能エリアに入ったことをリアルに判別、異常を警告音と表示の２通りの方法で伝達でき、警告音の届かない場所においても表示手段により異常をリアルに発見、対処できるために、より安全性や管理性を高くしてデータを送受信できるという効果がある。
【００６９】
実施の形態１０．
この発明の実施の形態１０に係る非接触ＩＣカードシステムの構成図は、図２１と同一のため説明を省略する。
【００７０】
この発明の実施の形態１０に係る非接触ＩＣカードシステムの構成の詳細図は、図２２と同一のため説明を省略する。
【００７１】
図３６は、この発明の実施の形態１０に係る非接触ＩＣカードシステムにおけるタイミングチャート・プロトコル図である。図に示すように、表示部１６による警告メッセージ表示を行う。その他の図番の説明は、図３と同一のため説明を省略する。
【００７２】
図３７は、この発明の実施の形態１０の非接触ＩＣカードシステムにおける表示部の表示画面である。図に示すように、表示部１６による警告メッセージ表示を行う。
【００７３】
次に、この発明の実施の形態１０の動作について図３８のフローチャートを参照しながら説明する。図において、まず、ステップＳ１００１〜ステップＳ１００９においては、図２５のステップＳ７０１〜ステップＳ７０９と同一のため説明を省略する。ステップＳ１０１０においては、リーダライタ１の制御部１１によりリーダライタ全体の動作を停止する。
【００７４】
次に、本実施の形態１０の動作について図３９のフローチャートを参照しながら説明する。図において、まず、ステップＳ１０００１〜ステップＳ１０００３においては、図３８のステップＳ１００１〜ステップＳ１００３と同一のため説明を省略する。ステップＳ１０００４においては、カードＡ３が送受信可能エリア２内において破損し受信不能になったと仮定する。ステップＳ１０００５〜ステップＳ１０００９においては、図３８のステップＳ１００５〜ステップＳ１００９と同一のため説明を省略する。ステップＳ１００１０においては、リーダライタ１の制御部１１によりリーダライタ全体の動作を停止する（送受信停止手段）。
【００７５】
この発明の実施の形態１０では、以上のように構成されているため、特定のカードまたはタグに対してデータを送受信する場合において、カードまたはタグがデータの送受信可能エリアを外れたことをリアルに判別し、異常を音と表示のより多くの方法で伝達すると共に、リーダライタ動作を停止することにより、カードまたはタグ盗難や紛失を防ぐことが出来、前記によるリーダライタの無駄な動作を防ぐことが出来、高い安全性の元で、無駄な電力を浪費せずにデータの送受信できるという効果がある。
【００７６】
実施の形態１１．
この発明の実施の形態１１の非接触ＩＣカードシステムの構成図は、図３２と同一のため説明を省略する。
【００７７】
この発明の実施の形態１１の非接触ＩＣカードシステムの構成の詳細図は、図３３と同一のため説明を省略する。
【００７８】
図４０は、この発明の実施の形態１１の非接触ＩＣカードシステムにおけるタイミングチャート・プロトコル図である。図において、図に示すように、表示部１６による警告メッセージ表示を行う。その他の図番の説明は、図３２と同一のため説明を省略する。
【００７９】
図４１は、この発明の実施の形態１１の非接触ＩＣカードシステムにおける表示部の表示画面である。図に示すように、表示部１６による警告メッセージ表示を行う。
【００８０】
次に、この実施の形態１１の動作について図４２のフローチャートを参照しながら説明する。図において、まず、ステップＳ１１０１〜ステップＳ１１１０においては、図３５のステップＳ９０１〜ステップＳ９１０と同一のため説明を省略する。ステップＳ１１１１においては、リーダライタ１の制御部１１によりリーダライタ全体の動作を停止する。
【００８１】
この発明の実施の形態１１では、以上のように構成されているため、特定のカードまたはタグに対してデータを送受信する場合において、特定外のカードまたはタグがデータの送受信可能エリアに入ったことをリアルに判別、異常を音と表示のより多くの方法で伝達すると共に、リーダライタ動作を停止することにより、カードまたはタグ盗難や紛失を防ぐことが出来、前記によるリーダライタの無駄な動作を防ぐことが出来、高い安全性の元で、無駄な電力を浪費せずにデータ送受信できるという効果がある。
【００８２】
実施の形態１２．
図４３は、この発明の実施の形態１２における非接触ＩＣカードシステムの構成図である。図に示すように、リーダライタＡ１が所定の位置に設けられている。リーダライタＡ１からカードＡ３にデータを非接触で送受信できる送受信可能エリア２は、図のように、予め設定されている。また、同様に、図に示すように、リーダライタＢ１００が所定の位置に設けられている。リーダライタＢ１００からカードＢ８にデータを非接触で送受信できる送受信可能エリア２１は、図のように、予め設定されている。リーダライタ１および１００には、警告部１５および表示部１６が接続されている。
【００８３】
図４４は、本発明実施の形態１２における非接触ＩＣカードシステムの構成の詳細図である。図において、図に示すように、リーダライタ１００内には、制御部１１１、送受信部１１２、コイル１１３、メモリ１１４が設けられている。カードＢ８内には、制御部８１、送受信部８２、メモリ８３が設けられている。その他の図番の説明は、図２２と同一のため説明を省略する。
【００８４】
図４５は、この発明の実施の形態１２における非接触ＩＣカードシステムにおけるタイミングチャート・プロトコル図である。図４５（ａ）に示すように、リーダライタ１００からカードＢ８に対して質問データ５７が送信される。当該質問データ５７を受信したカードＢ８は、応答データ５８を返信する。この動作を繰り返し行う。また、リーダライタ１および１００は、異常を検出すると、制御部１１１から判別情報データ６０を警告部１５に送信する。それを受けて、警告部１５はアラームやブザー等による警告６１を発し、表示部１６は表示６２を表示する。また、図４５（ｂ）に示すように、質問データ５７内には、送信相手のカードＢ８のＩＤ情報５７１が含まれている。また、同様に、応答データ５８内には、当該カードＢ８のＩＤ情報５８１が含まれている。
【００８５】
図４６は、本発明の実施の形態１２の非接触ＩＣカードシステムにおける表示部の表示画面である。図において、表示部１６は、判別情報データ６０の内容に基づく警告メッセージ表示６２を表示する。なお、判別情報データ６０内には、表示部１６によって表示される紛失カードＩＤ番号６０１、表示部１６による該当リーダライタのＩＤ番号６０３、警告コマンド６０２が含まれている。
【００８６】
次に、実施の形態１２の動作について図４７のフローチャートを参照しながら説明する。図４７（ａ）において、まず、ステップＳ１２０１〜ステップＳ１２０３においては、図４のステップＳ１０１〜ステップＳ１０３と同一のため説明を省略する。ステップＳ１２０４においては、カードＡ３が送受信可能エリア２から外れたと仮定する。ステップＳ１２０５においては、ステップＳ１２０１と同一の操作を実施する。操作は、ステップＳ１２０１の動作の開始ｔｃ後(ステップＳ１２０３の動作終了後)に実施する。ステップＳ１２０６においては、リーダライタＡ１の制御部１１がカードAからの応答データ５１が無いと判別する。ステップＳ１２０７においては、リーダライタＡ１の制御部１１が紛失カードＩＤ番号６０１（カードA３のＩＤ番号）と警告コマンド６０２を含む判別情報データ６０を警告部１５、表示部１６に送信する。送信は、ステップＳ１２０８の動作の開始ｔｃ後に実施する。ステップＳ１２０８においては、警告部１５がアラームやブザー等の警告を発し、異常を周囲に伝達する。ステップＳ１２０９においては、表示部１６がカード紛失といった判別情報６２、紛失カードＩＤ情報６０１、該当リーダライタＩＤ情報６０３を表示し、異常を周囲に伝達する。
【００８７】
ステップＳ１２０１〜ステップＳ１２０９の間においてもステップＳ１２１０〜ステップＳ１２１２が実施される。ステップＳ１２１０においては、リーダライタＢ１００内の制御部１１１がメモリ１１４からカードＢ４のＩＤ情報５７１を読出し、カードＢ質問データ５７を送受信部１１２で変調、コイル１１３から送信する。メモリ１１４にはカードＢ８のＩＤ情報５７１のみが書き込まれている。ステップＳ１２１１においては、カードＢ８の送受信部８３が受信しカードＢ質問データ５７に復調、制御部８１がカードＢ質問データ５７内のカードＢ７のＩＤ情報５７１をメモリ内８３のカードＢ７のＩＤ情報５８１を読込み、カードＢ質問データ５７内のカードＢ７のＩＤ情報５７１とメモリ７３内のカードＢ７のＩＤ情報５８１が同一であると判別、カードＢからの応答データ５８を送受信部８２から送信する。ステップＳ１２１２においては、カードＢからの応答データ５８をリーダライタＢ１００のコイル１１３、送受信部１１２で復調、制御部１１１でメモリ１１４からカードＢ７のＩＤ情報５８１を読出し、カードＢからの応答データ５８のカードＢのＩＤ情報５７１が同一であり、カードＢ８が送受信可能エリア２内にあると判別する。ステップＳ１２１０〜ステップＳ１２１２を繰り返す。
【００８８】
次に、実施の形態１２の他の動作について図４８のフローチャートを参照しながら説明する。図において、まず、ステップＳ１２００１〜ステップＳ１２００３においては、図４７のステップＳ１２０１〜ステップＳ１２０３と同一のため説明を省略する。ステップＳ１２００７においては、カードＡ３が破損し使用不能となる。ステップＳ１２００８〜ステップＳ１２０１２においては、図３０のステップＳ１２０８〜ステップＳ１２１２と同一のため説明を省略する。ステップＳ１２００１〜ステップＳ１２００９の間においてもステップＳ１２０１０〜ステップＳ１２０１２が実施される。ステップＳ１２０１０〜ステップＳ１２０１２においては、図３０のステップＳ１２１０〜ステップＳ１２１２と同一のため説明を省略する。ステップＳ１２０１０〜ステップＳ１２０１２を繰り返す。
【００８９】
この発明の実施の形態１２では、以上のように構成されているため、特定のカードまたはタグに対してデータを送受信する場合において、このようなリーダライタが複数ある場合にどのリーダライタのどのカードまたはタグが異常となったことをリアルに判別、異常を警告音と表示の２通りの方法で伝達でき、警告音の届かない場所においても表示手段により異常、該当のカードＩＤをリアルに発見、対処できるために、カードまたはタグのや管理性が上がるという効果がある。
【００９０】
実施の形態１３．
図４９は、この発明の実施の形態１３における非接触ＩＣカードシステムの構成図である。図番の説明は、図４３と同一のため説明を省略する。
【００９１】
図５０は、この発明の実施の形態１３における非接触ＩＣカードシステムの構成の詳細図である。図に示すように、カードＤ７内には、制御部７１、送受信部７２、メモリ７３が設けられている。その他の図番の説明は、図４２と同一のため説明を省略する。
【００９２】
図５１は、この発明の実施の形態１３における非接触ＩＣカードシステムにおけるタイミングチャート・プロトコル図である。図に示すように、カードＤ７が送受信可能エリア２内に存在するときには、カードＤ７から応答データ５６が送信される。応答データ５６内には、カードＤ７のＩＤ情報が含まれている。その他の図番の説明は、図４５と同一のため説明を省略する。
【００９３】
図５２は、この発明の実施の形態１３の非接触ＩＣカードシステムにおける表示部の表示画面である。図に示すように、表示部１６には、警告メッセージ表示６２と、該当リーダライタのＩＤ情報の表示６０３が表示される。
【００９４】
次に、実施の形態１３の動作について図５３のフローチャートを参照しながら説明する。図において、まず、ステップＳ１３０１においては、リーダライタＡ１内の制御部１１がメモリ１４からカードＡ３のＩＤ情報５０１を読出し、カードＡ質問データ５０を送受信部１２で変調し、コイル１３から送信する。メモリ１４にはカードＡ３のＩＤ情報５０１のみが書き込まれている。ステップＳ１３０２においては、カードＡ３の送受信部３３が受信し、カードＡ質問データ５０に復調し、制御部３１がカードＡ質問データ５０内のカードＡ３のＩＤ情報５０１をメモリ内３３のカードＡ３のＩＤ情報５１１を読込み、カードＡ質問データ５０内のカードＡ３のＩＤ情報５０１とメモリ内３３のカードＡ３のＩＤ情報５１１が同一であると判別、カードＡからの応答データ５１を送受信部３２から送信する。ステップＳ１３０３においては、カードＡからの応答データ５１をリーダライタＡ１のコイル１３、送受信部１２で復調し、制御部１１でメモリ１４からカードＡ３のＩＤ情報５０１を読出し、カードＡからの応答データ５１のカードＡのＩＤ情報５１１が同一であり、カードＡ３が送受信可能エリア２内にあると判別する。ステップＳ１３０４においては、カードＤ７が送受信可能エリア２内に入ったと仮定する。ステップＳ１３０５においては、ステップＳ１３０１と同一の操作を実施する。操作は、ステップＳ１３０１の動作の開始ｔｃ後（ステップＳ１３０３の動作終了後）に実施する。ステップＳ１３０６においては、カードＤ７がカードＤ７からの応答データ５６を送受信部７２から送信する。
【００９５】
ステップＳ１３０７においては、カードＤ７からの応答データ５６をリーダライタ１のコイル１３、送受信部１２で復調し、制御部１１でメモリ１４からカードＡ３のＩＤ情報５０１を読出し、カードＤ７からの応答データ５６のカードＤのＩＤ情報５６１と同一でなく、カードＡ３以外のカードが送受信可能エリア２内にあると判別する。ステップＳ１３０８においては、リーダライタＡ１の制御部１１が紛失カードＩＤ番号６０１（カードＡ３のＩＤ番号）と警告コマンド６０２を含む判別情報データ６０を警告部１５、表示部１６に送信する。送信は、ステップＳ１２０８の動作の開始ｔｃ後に実施する。ステップＳ１３０９においては、警告部１５がアラームやブザー等の警告を発し、異常を周囲に伝達する。ステップＳ１３１０においては、表示部１６がカード紛失といった判別情報６２、紛失カードＩＤ情報６０１、該当リーダライタＩＤ情報６０３を表示し、異常を周囲に伝達する。ステップＳ１３０１〜ステップＳ１３１０の間においてもステップＳ１３１１〜ステップＳ１３１３が実施される。ステップＳ１３１１においては、リーダライタＢ１００内の制御部１１１がメモリ１１４からカードＢ４のＩＤ情報５７１を読出し、カードＢ質問データ５７を送受信部１１２で変調、コイル１１３から送信する。メモリ１１４にはカードＢ８のＩＤ情報５７１のみが書き込まれている。ステップＳ１３１２においては、カードＢ８の送受信部８３が受信しカードＢ質問データ５７に復調、制御部８１がカードＢ質問データ５７内のカードＢ７のＩＤ情報５７１をメモリ内８３のカードＢ７のＩＤ情報５８１を読込み、カードＢ質問データ５７内のカードＢ７のＩＤ情報５７１とメモリ７３内のカードＢ７のＩＤ情報５８１が同一であると判別、カードＢからの応答データ５８を送受信部８２から送信する。ステップＳ１３１３においては、カードＢからの応答データ５８をリーダライタＢ１００のコイル１１３、送受信部１１２で復調、制御部１１１でメモリ１１４からカードＢ７のＩＤ情報５８１を読出し、カードＢからの応答データ５８のカードＢのＩＤ情報５７１が同一であり、カードＢ８が送受信可能エリア２内にあると判別する。ステップＳ１３１１〜ステップＳ１３１３を繰り返す。
【００９６】
この発明の実施の形態１３では、以上のように構成されているため、特定のカードまたはタグに対してデータを送受信する場合において、このようなリーダライタが複数ある場合にどのリーダライタに対して規定外のカードまたはタグが入ったかをリアルに判別、異常を警告音と表示の２通りの方法で伝達でき、警告音の届かない場所においても表示手段により異常、該当のカードＩＤをリアルに発見、対処できるために、カードまたはタグの管理性が上がるという効果がある。
【００９７】
実施の形態１４．
この発明の実施の形態１４における非接触ＩＣカードシステムの構成図は、発明の実施の形態１２における図４３と同一のため説明を省略する。
【００９８】
この発明の実施の形態１４における非接触ＩＣカードシステムの構成の詳細図は、実施の形態１２における図４４と同一のため説明を省略する。
【００９９】
この発明の実施の形態１４における非接触ＩＣカードシステムにおけるタイミングチャート・プロトコル図は、発明の実施の形態１２における図４５と同一のため説明を省略する。
【０１００】
図５４は、本発明の実施の形態１４の非接触ＩＣカードシステムにおける表示部の表示画面である。図に示すように、表示部１６には、警告メッセージ表示６２、紛失カードＩＤ番号の表示６０１、該当リーダライタのＩＤ情報の表示６０３である。
【０１０１】
次に形態１４の動作について図５５のフローチャートを参照しながら説明する。図において、まず、ステップＳ１４０１〜ステップＳ１４０９においては、本発明の実施の形態１２の図４７のステップＳ１２０１〜ステップＳ１２０９と同一のため説明を省略する。ステップＳ１４１０においては、リーダライタＡ１の制御部１１によりリーダライタ全体の動作を停止する。ステップＳ１４１１〜ステップＳ１４１３の間においてもステップＳ１２１０〜ステップＳ１２１２が実施される。ステップＳ１４１１〜ステップＳ１４１３を繰り返す。
【０１０２】
本発明の実施の形態１４では、以上のように構成されているため、特定のカードまたはタグに対してデータを送受信する場合において、このようなリーダライタが複数ある場合にどのリーダライタのどのカードまたはタグが異常となったことをリアルに判別、異常を警告音と表示の２通りの方法で伝達でき、警告音の届かない場所においても表示手段により異常、該当のカードＩＤをリアルに発見、対処でき、更にリーダライタの無駄な動作を防ぐことが出来るために、カードまたはタグの管理の効率を上げると共に、無駄な電力を浪費せずにデータの送受信をはかれるという効果がある。
【０１０３】
実施の形態１５．
この発明の実施の形態１５における非接触ＩＣカードシステムの構成図は、発明の実施の形態１３における図４９と同一のため説明を省略する。
【０１０４】
この発明の実施の形態１５における非接触ＩＣカードシステムの構成の詳細図は、発明の実施の形態１３における図５０と同一のため説明を省略する。
【０１０５】
この発明の実施の形態１５における非接触ＩＣカードシステムにおけるタイミングチャート・プロトコル図は、発明の実施の形態１３における図５１と同一のため説明を省略する。
【０１０６】
図５６は、この発明の実施の形態１５の非接触ＩＣカードシステムにおける表示部の表示画面である。図に示すように、表示部１６は、警告メッセージ表示６２、および、該当リーダライタのＩＤ情報の表示６０３を行う。
【０１０７】
次に、実施の形態１５の動作について図５７のフローチャートを参照しながら説明する。図において、まず、ステップＳ１５０１〜ステップＳ１５１０においては、この発明の実施の形態１３の図５３のステップＳ１３０１〜ステップＳ１３１０と同一のため説明を省略する。ステップＳ１５１１においては、リーダライタＡ１の制御部１１によりリーダライタ全体の動作を停止する。ステップＳ１５０１〜ステップＳ１５１１の間においてもステップＳ１５１２〜ステップ１５１４が実施される。ステップＳ１５１２〜ステップＳ１５１４においては、この発明の実施の形態１３の図５３のステップＳ１３１１〜ステップＳ１３１３と同一のため説明を省略する。ステップＳ１５１２〜ステップＳ１５１４を繰り返す。
【０１０８】
この発明の実施の形態１５では、以上のように構成されているため、特定のカードまたはタグに対してデータを送受信する場合において、このようなリーダライタが複数ある場合にどのリーダライタに対して規定外のカードまたはタグが入ったかをリアルに判別、異常を警告音と表示の２通りの方法で伝達でき、警告音の届かない場所においても表示手段により異常、該当のカードＩＤをリアルに発見、対処でき、更にリーダライタの無駄な動作を防ぐことが出来るために、カードまたはタグの管理の効率が上がると共に、無駄な電力を浪費せずにデータの送受信をはかれるという効果がある。
【０１０９】
実施の形態１６．
図５８は、この発明の実施の形態１６における非接触ＩＣカードシステムの構成図である。図に示すように、本実施の形態においては、記録部１７が設けられている。その他の図番の説明は、発明の実施の形態１２における図４３と同一のため説明を省略する。
【０１１０】
図５９は、この発明の実施の形態１６における非接触ＩＣカードシステムの構成の詳細図である。図に示すように、記録部１７内には、制御部１７１と、メモリ１７２とが設けられている。その他の図番の説明は、発明の実施の形態１２における図４４と同一のため説明を省略する。
【０１１１】
図６０は、この発明の実施の形態１６における非接触ＩＣカードシステムにおけるタイミングチャート・プロトコル図である。図に示すように、判別情報データ６０に基づいて、記録部１７による記録動作６３および表示部１６で示す記録情報６４が行われる。なお、記録情報６４には、紛失破損のカードＩＤ番号情報６４１、該当リーダライタＩＤ番号情報６４２が含まれる。その他の図番の説明は、この発明の実施の形態１２における図４５と同一のため説明を省略する。
【０１１２】
図６１は、この発明の実施の形態１６の非接触ＩＣカードシステムにおける表示部の表示画面である。図に示すように、表示部１６は、警告メッセージ表示６２、紛失カードＩＤ番号の表示６０１、該当リーダライタのＩＤ情報の表示６０３を行う。
【０１１３】
図６２は、この発明の実施の形態１６の非接触ＩＣカードシステムにおける表示部の表示画面で記録部内の情報を表示する際の画面である。図に示すように、表示部１６は、紛失破損のカードＩＤ番号情報の表示６４１、該当リーダライタＩＤ番号情報の表示６４２を行う。
【０１１４】
次に、実施の形態１６の動作について図６３のフローチャートを参照しながら説明する。図において、まず、ステップＳ１６０１〜ステップＳ１６０３においては、この発明の実施の形態１２の図４７のステップＳ１２０１〜ステップＳ１２０３と同一のため説明を省略する。ステップＳ１６０４においては、カードＡ３が送受信可能エリア２から外れたと仮定する。ステップＳ１６０５においては、ステップＳ１６０１と同一の操作を実施する。操作は、ステップＳ１６０１の動作の開始ｔｃ後（ステップＳ１６０３の動作終了後）に実施する。ステップＳ１６０６においては、リーダライタＡ１の制御部１１がカードＡ３からの応答データ５１が無いと判別する。ステップＳ１６０７においては、リーダライタＡ１の制御部１１が紛失カードＩＤ番号６０１（カードＡ３のＩＤ番号）と警告コマンド６０２を含む判別情報データ６０を警告部１５、表示部１６、記録部１７に送信する。送信は、ステップＳ１６０５の動作の開始ｔｃ後に実施する。ステップＳ１６０８においては、警告部１５がアラームやブザー等の警告を発し、異常を周囲に伝達する。ステップＳ１６０９においては、表示部１６がカード紛失といった判別情報６２、紛失カードＩＤ情報６０１、該当リーダライタＩＤ情報６０３を表示し、異常を周囲に伝達する。ステップＳ１６１０においては、記録部１７の制御部１７１が、判別情報６２、紛失カードＩＤ情報６０１、該当リーダライタＩＤ情報６０３をメモリ１７２に書込み記録する。ステップＳ１６０４〜ステップＳ１６１０の動作を繰返す。ステップＳ１６１１においては、記録部１７を操作し、記録部１７の制御部１７１から紛失破損カードＩＤ情報６４１、該当リーダライタＩＤ情報６４２をメモリ１７２から読出し、表示部１６に送信し、表示部１６において前記情報を表示し、異常を周囲に伝達する。ステップＳ１６０１〜ステップＳ１６１１の間においてもステップＳ１６１２〜ステップＳ１６１４が実施される。ステップＳ１６１２においては、リーダライタＢ１００内の制御部１１１がメモリ１１４からカードＢ４のＩＤ情報５７１を読出し、カードＢ質問データ５７を送受信部１１２で変調、コイル１１３から送信する。メモリ１１４にはカードＢ８のＩＤ情報５７１のみが書き込まれている。ステップＳ１６１３においては、カードＢ８の送受信部８３が受信しカードＢ質問データ５７に復調、制御部８１がカードＢ質問データ５７内のカードＢ７のＩＤ情報５７１をメモリ内８３のカードＢ７のＩＤ情報５８１を読込み、カードＢ質問データ５７内のカードＢ７のＩＤ情報５７１とメモリ７３内のカードＢ７のＩＤ情報５８１が同一であると判別、カードＢからの応答データ５８を送受信部８２から送信する。ステップＳ１６１４においては、カードＢからの応答データ５８をリーダライタＢ１００のコイル１１３、送受信部１１２で復調、制御部１１１でメモリ１１４からカードＢ７のＩＤ情報５８１を読出し、カードＢからの応答データ５８のカードＢのＩＤ情報５７１が同一であり、カードＢ８が送受信可能エリア２内にあると判別する。ステップＳ１６１２〜ステップＳ１６１４を繰り返す。
【０１１５】
この発明の実施の形態１６では、以上のように構成されているため、特定のカードまたはタグに対してデータを送受信する場合において、前記のリーダライタが複数ある場合にどのリーダライタのどのカードまたはタグが異常となったことをリアルに判別、異常を警告音と表示の２通りの方法で伝達でき、警告音の届かない場所においても表示手段により異常、該当のカードＩＤをリアルに発見、対処できると共に、過去のカードまたはタグの異常、該当のカードＩＤの記録を表示できることにより、管理者がこれらの情報を元に一元管理し易くなるため、カードまたはタグの管理の効率を上がるという効果がある。
【０１１６】
実施の形態１７．
図６４は、この発明の実施の形態１７の非接触ＩＣカードシステムの構成図である。図に示すように、壁９がリーダライタ１の近くに設置されているとする。リーダライタ１からカードにデータを送受信できるエリアには２つあって、１つが送受信可能エリア２であり、エリア２１が送受信可能のもう一つのエリアである。また、机Ａ９０、机Ｂ９１（机Ａの面積が机Ｂの面積より大きい）が、それぞれ、送受信可能エリア２，２１の近傍に設置されている。その他の図番の説明は、この発明の実施の形態１の図１またはこの発明の実施の形態３の図９と同一のため説明を省略する。
【０１１７】
図６５は、この発明の実施の形態１７の非接触ＩＣカードシステムの構成の詳細図である。図に示すように、リーダライタ１内には、送受信可能エリア２に対してデータを送受信するためのコイルＡ１３の他に、もう１つの送受信可能エリア２１に対してデータを送受信するためのコイルＢ１３１が設けられている。コイルＡ１３とコイルＢ１３１とは、スイッチ１８により切り替えられる。これにより、本実施の形態においては、送受信可能エリアは可変となる。その他の図番の説明は、本発明実施の形態１の図２または本発明実施の形態３の図１０と同一のため説明を省略する。
【０１１８】
図６６は、この発明の実施の形態１７における非接触ＩＣカードシステムにおけるタイミングチャート・プロトコル図である。図において、各図番の説明は、この発明の実施の形態１の図３またはこの発明の実施の形態３の図１１と同一のため説明を省略する。
【０１１９】
次に、実施の形態１７の動作について図６７及び図６８のフローチャートを参照しながら説明する。図において、まず、ステップＳ１７０１においては、リーダライタ１内の制御部１１がメモリ１４からカードＡ３のＩＤ情報５０１を読出し、机Ａ９０上に対してカードＡ質問データ５０を送受信部１２で変調、コイル１３から送信する。リーダライタ１内のメモリ１４にはカードＡ３のＩＤ情報５０１、カードＢ４のＩＤ情報５２１のみが書き込まれている。ステップＳ１７０２においては、リーダライタからの送受信可能エリア２内において、カードＡ３の送受信部３３が受信しカードＡ質問データ５０に復調、制御部３１がカードＡ質問データ５０内のカードＡ３のＩＤ情報５０１をメモリ内３３のカードＡ３のＩＤ情報５１１を読込み、カードＡ質問データ５０内のカードＡ３のＩＤ情報５０１とメモリ内３３のカードＡ３のＩＤ情報５１１が同一であると判別、カードＡからの応答データ５１を送受信部３２から送信する。ステップＳ１７０３においては、カードＡからの応答データ５１をリーダライタ１のコイル１３、送受信部１２で復調、制御部１１でメモリ１４からカードＡ３のＩＤ情報５０１を読出し、カードＡからの応答データ５１のカードＡのＩＤ情報５１１が同一であり、カードＡ３が送受信可能エリア２内にあると判別する。ステップＳ１７０４においては、リーダライタ１内の制御部１１がメモリ１４からカードＢ４のＩＤ情報５２１を読出し、机Ａ９０上に対しカードＢ質問データ５２を送受信部１２で変調、コイル１３から送信する。操作は、ステップＳ１７０１の動作の開始ｔｃ後（ステップＳ１７０３の動作終了後）に実施する。ステップＳ１７０５においては、リーダライタからの送受信可能エリア２内において、カードＢ４の送受信部４３が受信しカードＢ質問データ５２に復調、制御部４１がカードＢ質問データ５２内のカードＢ４のＩＤ情報５２１をメモリ内４３のカードＢ４のＩＤ情報５２１を読込み、カードＢ質問データ５２内のカードＢ４のＩＤ情報５２１とメモリ内４３のカードＢ４のＩＤ情報５３１が同一であると判別、カードＢからの応答データ５３を送受信部４２から送信する。ステップＳ１７０６においては、カードＢからの応答データ５３をリーダライタ１のコイル１３、送受信部１２で復調、制御部１１でメモリ１４からカードＢのＩＤ情報５２１を読出し、カードＢからの応答データ５３のカードＢのＩＤ情報５３１が同一であり、カードＢ４「が送受信可能エリア２内にあると判別する。ステップＳ１７０７においては、カードＡ３が送受信可能エリア２から外れたと仮定する。ステップＳ１７０８においては、ステップＳ１７０１と同一の操作を実施する。操作は、ステップＳ１７０４の動作の開始ｔｃ後（ステップＳ１７０６の動作終了後）に実施する。ステップＳ１７０９においては、リーダライタ１の制御部１１がカードＡからの応答データ５１が無いと判別する。
【０１２０】
ステップＳ１７１０においては、リーダライタ１の制御部１１が判別情報データ６０を警告部１５に送信する。送信は、ステップＳ１７０８の動作の開始ｔｃ後に実施する。ステップＳ１７１１においては、警告部１５がアラームやブザー等の警告を発し、異常を周囲に伝達する。ステップＳ１７１２においては、カードＡ３、カードＢ４を机Ｂ９１上または壁９近くに設置する。また、リーダライタ１内のスイッチ１８を切り替えることにより、エリアを送受信可能エリア２から送受信可能エリア２１に切り替える（エリア切替手段）。ステップＳ１７１３においては、リーダライタ１内の制御部１１がメモリ１４からカードＡ３のＩＤ情報５０１を読出し、机Ｂ９１上に対してカードＡ質問データ５０を送受信部１２で変調、コイル１３１から送信する。リーダライタ１内のメモリ１４にはカードＡ３のＩＤ情報５０１、カードＢ４のＩＤ情報５２１のみが書き込まれている。ステップＳ１７１４においては、リーダライタからのもう一つの送受信可能エリア２１内において、カードＡ３の送受信部３３が受信しカードＡ質問データ５０に復調、制御部３１がカードＡ質問データ５０内のカードＡ３のＩＤ情報５０１をメモリ内３３のカードＡ３のＩＤ情報５１１を読込み、カードＡ質問データ５０内のカードＡ３のＩＤ情報５０１とメモリ内３３のカードＡ３のＩＤ情報５１１が同一であると判別、カードからの応答データ５１を送受信部３２から送信する。このときリーダライタからのもう一つの送受信可能エリア２１は、リーダライタからの送受信可能エリア２よりも範囲が狭く、机Ｂ９１の広さに合っている。また、壁９に近いという条件下では、もう一つの送受信可能エリア２１は、壁９による反射波が無いために干渉による送受信エラーも発生しない。ステップＳ１７１５においては、カードＡからの応答データ５１をリーダライタ１のコイル１３１、送受信部１２で復調、制御部１１でメモリ１４からカードA３のＩＤ情報５０１を読出し、カードＡからの応答データ５１のカードＡのＩＤ情報５１１が同一であり、カードＡ３が送受信可能エリア２内にあると判別する。
【０１２１】
ステップＳ１７１６においては、リーダライタ１内の制御部１１がメモリ１４からカードＢ４のＩＤ情報５２１を読出し、机Ｂ９１上に対しカードＢ質問データ５２を送受信部１２で変調、コイル１３１から送信する。操作は、ステップＳ１７１３の動作の開始ｔｃ後（ステップＳ１７１５の動作終了後）に実施する。ステップＳ１７１７においては、リーダライタからの送受信可能エリア２１内において、カードＢ４の送受信部４３が受信しカードＢ質問データ５２に復調、制御部４１がカードＢ質問データ５２内のカードＢ４のＩＤ情報５２１をメモリ内４３のカードＢ４のＩＤ情報５２１を読込み、カードＢ質問データ５２内のカードＢ４のＩＤ情報５２１とメモリ内４３のカードＢ４のＩＤ情報５３１が同一であると判別、カードＢからの応答データ５３を送受信部４２から送信する。このときリーダライタからのもう一つの送受信可能エリア２１は、リーダライタからの送受信可能エリア２よりも範囲が狭く、机Ｂ９１の広さに合っている。また、壁９に近いという条件下では、もう一つの送受信可能エリア２１は、壁９による反射波が無いために干渉による送受信エラーも発生しない。ステップＳ１７１８においては、カードＢからの応答データ５３をリーダライタ１のコイル１３１、送受信部１２で復調、制御部１１でメモリ１４からカードＢのＩＤ情報５２１を読出し、カードＢからの応答データ５３のカードＢのＩＤ情報５３１が同一であり、カードＢ４が送受信可能エリア２内にあると判別する。ステップＳ１７１９においては、カードＡ３が送受信可能エリア２１から外れたと仮定する。ステップＳ１７２０においては、ステップＳ１７１３と同一の操作を実施する。操作は、ステップＳ１７０４の動作の開始ｔｃ後(ステップＳ１７１８の動作終了後)に実施する。ステップＳ１７２１においては、リーダライタ１の制御部１１がカードＡからの応答データ５１が無いと判別する。ステップＳ１７２２においては、リーダライタ１の制御部１１が判別情報データ６０を警告部１５に送信する。送信は、ステップＳ１７１６の動作の開始ｔｃ後に実施する。ステップＳ１７２３においては、警告部１５がアラームやブザー等の警告を発し、異常を周囲に伝達する。
【０１２２】
この発明の実施の形態１７では、以上のように構成されているため、特定の複数カードまたはタグに対してデータを送受信する場合において、少なくとも一つのカードまたはタグがデータの送受信可能エリアを外れたことをリアルに判別、異常を伝達することにより、盗難や紛失を防ぐことが出来ると共に、リーダライタ設置する場所の条件によりデータを送受信できる送受信可能のエリアを切替えることにより、反射波の発生、干渉による送受信エラーを避けることが出来るため、カードまたはタグの管理性、安全性、並びにリーダライタの適用性を高くしてデータの送受信をできるという効果がある。
【０１２３】
実施の形態１８．
図６９は、この発明の実施の形態１８の非接触ＩＣカードシステムの構成図である。図番の説明は、この発明の実施の形態１７の図６４等と同一のため説明を省略する。
【０１２４】
図７０は、この発明の実施の形態１８の非接触ＩＣカードシステムの構成の詳細図である。図に示すように、カードＤ７内には、制御部７１、送受信部７２、メモリ７３が設けられている。その他の図番の説明は、本発明実施の形態１７の図６５等と同一のため説明を省略する。
【０１２５】
図７１は、この発明の実施の形態１８における非接触ＩＣカードシステムにおけるタイミングチャート・プロトコル図である。図において、各図番の説明は、この発明の実施の形態２の図７またはこの発明の実施の形態４の図１５と同一のため説明を省略する。
【０１２６】
次に実施の形態１８の動作について図７２及び図７３のフローチャートを参照しながら説明する。図において、まず、ステップＳ１８０１〜ステップＳ１８０６においては、図６７のステップＳ１７０１〜ステップＳ１７０６と同一のため説明を省略する。ステップＳ１８０７においては、カードＡ３が送受信可能エリア２から外れ、カードＤ７が送受信可能エリア２内に入ったと仮定する。ステップＳ１８０８においては、ステップＳ１８０１と同一の操作を実施する。操作は、ステップＳ１８０４の動作の開始ｔｃ後（ステップＳ１８０６の動作終了後）に実施する。ステップＳ１８０９においては、カードＤ７がカードＤからの応答データ５６を送受信部７２から送信する。ステップＳ１８１０においては、カードＤからの応答データ５６をリーダライタ１のコイル１３、送受信部１２で復調、制御部１１でメモリ１４からカードＡ３のＩＤ情報５０１を読出し、カードＤからの応答データ５６のカードＤのＩＤ情報５６１と同一でなく、カードＡ３以外のカードが送受信可能エリア２内にあると判別する。ステップＳ１８１１においては、リーダライタ１の制御部１１が規定外のカード有りの判別情報データ６０を警告部１５に送信する。送信は、ステップＳ２０５の動作の開始ｔｃ後に実施する。ステップＳ１８１２においては、警告部１５がアラームやブザー等の警告を発し、異常を周囲に伝達する。
【０１２７】
ステップＳ１８１３においては、カードをステップＳ１７０１の状態に戻し、カードＡ３、カードＢ４を机Ｂ９１上または壁９近くに設置する。また、リーダライタ１内のスイッチ１８を切り替える。ステップＳ１８１４〜ステップＳ１８１９においては、図６７のステップＳ１７１３〜ステップＳ１７１８と同一のため説明を省略する。この中で、ステップＳ１８１５、ステップＳ１８１８においては、リーダライタからのもう一つの送受信可能エリア２１は、リーダライタからの送受信可能エリア２よりも範囲が狭く、机Ｂ９１の広さに合っている。また、壁９に近いという条件下では、もう一つの送受信可能エリア２１は、壁９による反射波が無いために干渉による送受信エラーも発生しない。ステップＳ１８２０においては、カードＡ３が送受信可能エリア２から外れ、カードＤ７が送受信可能エリア２内に入ったと仮定する。ステップＳ１８２１においては、ステップＳ１８１４と同一の操作を実施する。操作は、ステップＳ１８１７の動作の開始ｔｃ後（ステップＳ１８１９の動作終了後）に実施する。ステップＳ１８２２においては、カードＤ７がカードＤからの応答データ５６を送受信部７２から送信する。ステップＳ１８２３においては、カードＤからの応答データ５６をリーダライタ１のコイル１３、送受信部１２で復調、制御部１１でメモリ１４からカードＡ３のＩＤ情報５０１を読出し、カードＤからの応答データ５６のカードＤのＩＤ情報５６１と同一でなく、カードＡ３以外のカードが送受信可能エリア２内にあると判別する。ステップＳ１８２４においては、リーダライタ１の制御部１１が規定外のカード有りの判別情報データ６０を警告部１５に送信する。送信は、ステップＳ２０５の動作の開始ｔｃ後に実施する。ステップＳ１８２５においては、警告部１５がアラームやブザー等の警告を発し、異常を周囲に伝達する。
【０１２８】
この発明の実施の形態１８では、以上のように構成されているため、特定の複数カードまたはタグに対してデータを送受信する場合において、特定外のカードまたはタグがデータの送受信可能エリアに入ったことをリアルに判別、異常を伝達することにより、盗難や紛失を防ぐことが出来ると共に、リーダライタ設置する場所の条件によりデータを送受信できる送受信可能のエリアを切替えることにより、反射波の発生、干渉による送受信エラーを避けることが出来るため、カードまたはタグの管理性、安全性、並びにリーダライタの適用性を高くしてデータの送受信をできるという効果がある。
【０１２９】
実施の形態１９．
図７４は、この発明の実施の形態１９の非接触ＩＣカードシステムの構成図である。図において、各図番の説明は、この発明の実施の形態１７の図６４と同一のため説明を省略する。
【０１３０】
この発明の実施の形態１９の非接触ＩＣカードシステムの構成の詳細図は、この発明の実施の形態１７の図６５と同一のため説明を省略する。
【０１３１】
この発明の実施の形態１９における非接触ＩＣカードシステムにおけるタイミングチャート・プロトコル図はである。図において、各図番の説明は、この発明の実施の形態１７の図６６と同一のため説明を省略する。
【０１３２】
次に実施の形態１９の動作について図７５及び図７６のフローチャートを参照しながら説明する。図において、まず、ステップＳ１９０１〜ステップＳ１９０６においては、図６７のステップＳ１７０１〜ステップＳ１７０６と同一のため説明を省略する。ステップＳ１９０７においては、カードＡ３が破損したと仮定する。ステップＳ１９０８においては、ステップＳ１９０１と同一の操作を実施する。操作は、ステップＳ１９０４の動作の開始ｔｃ後（ステップＳ１９０６の動作終了後）に実施する。ステップＳ１９０９においては、リーダライタ１の制御部１１がカードＡからの応答データ５１が無いと判別する。ステップＳ１９１０においては、リーダライタ１の制御部１１が判別情報データ６０を警告部１５に送信する。送信は、ステップＳ１９０８の動作の開始ｔｃ後に実施する。ステップＳ１９１１においては、警告部１５がアラームやブザー等の警告を発し、異常を周囲に伝達する。
【０１３３】
ステップＳ１９１２においては、カードＡ３、カードＢ４を机Ｂ９１上または壁９近くに設置する。また、リーダライタ１内のスイッチ１８を切り替える。ステップＳ１９１３〜ステップＳ１９１８においては、図６８のステップＳ１７１３〜ステップＳ１７１８と同一のため説明を省略する。この中で、ステップＳ１９１４、ステップＳ１９１７においては、リーダライタからのもう一つの送受信可能エリア２１は、リーダライタからの送受信可能エリア２よりも範囲が狭く、机Ｂ９１の広さに合っている。また、壁９に近いという条件下では、もう一つの送受信可能エリア２１は、壁９による反射波が無いために干渉による送受信エラーも発生しない。ステップＳ１９１９においては、カードＡ３が送受信可能エリア２から外れ、カードＤ７が送受信可能エリア２内に入ったと仮定する。ステップＳ１９２０においては、ステップＳ１９１３と同一の操作を実施する。操作は、ステップＳ１９０４の動作の開始ｔｃ後（ステップＳ１９１８の動作終了後）に実施する。ステップＳ１９２１においては、リーダライタ１の制御部１１がカードＡからの応答データ５１が無いと判別する。ステップＳ１９２２においては、リーダライタ１の制御部１１が判別情報データ６０を警告部１５に送信する。送信は、ステップＳ１９１６の動作の開始ｔｃ後に実施する。ステップＳ１９２３においては、警告部１５がアラームやブザー等の警告を発し、異常を周囲に伝達する。
【０１３４】
この発明の実施の形態１９では、以上のように構成されているため、特定の複数カードまたはタグに対してデータを送受信する場合において、少なくとも一つのカードまたはタグが破損による送受信不能をリアルに判別、異常を伝達することにより、盗難や紛失を防ぐことが出来ると共に、リーダライタ設置する場所の条件によりデータを送受信できる送受信可能のエリアを切替えることにより、反射波の発生、干渉による送受信エラーを避けることが出来るため、カードまたはタグの管理性、安全性、並びにリーダライタの適用性を高くしてデータの送受信をできるという効果がある。
【０１３５】
実施の形態２０．
この発明の実施の形態２０の非接触ＩＣカードシステムの構成図は、この発明の実施の形態１８の図６９と同一のため説明を省略する。
【０１３６】
この発明の実施の形態２０の非接触ＩＣカードシステムの構成の詳細図は、この発明の実施の形態１８の図７０と同一のため説明を省略する。
【０１３７】
図７７は、本発明の実施の形態２０における非接触ＩＣカードシステムにおけるタイミングチャート・プロトコル図である。図において、各図番の説明は、この発明の実施の形態１７の図６６またはこの発明の実施の形態１８の図７１と同一のため説明を省略する。
【０１３８】
次に実施の形態２０の動作について図７８のフローチャートを参照しながら説明する。図において、まず、ステップＳ２００１〜ステップＳ２００６においては、図６７のステップＳ１７０１〜ステップＳ１７０６と同一のため説明を省略する。ステップＳ２００７においては、カードＡ３が送受信可能エリア２から外れたと仮定する。ステップＳ２００８においては、ステップＳ２００１と同一の操作を実施する。操作は、ステップＳ２００４の動作の開始ｔｃ後（ステップＳ２００６の動作終了後）に実施する。ステップＳ２００９においては、リーダライタ１の制御部１１がカードＡからの応答データ５１が無いと判別する。ステップＳ２０１０においては、リーダライタ１の制御部１１が判別情報データ６０を警告部１５に送信する。送信は、ステップＳ１７０８の動作の開始ｔｃ後に実施する。ステップＳ２０１１においては、警告部１５がアラームやブザー等の警告を発し、異常を周囲に伝達する。ステップＳ２０１２においては、カードA３、カードＢ４を机Ｂ９１上または壁９近くに設置する。また、リーダライタ１内のスイッチ１８を切り替える。ステップＳ２０１３〜ステップＳ２０１８においては、図６７のステップＳ１７１３〜ステップＳ１７１８と同一のため説明を省略する。この中で、ステップＳ２０１４、ステップＳ２０１７においては、リーダライタからのもう一つの送受信可能エリア２１は、リーダライタからの送受信可能エリア２よりも範囲が狭く、机Ｂ９１の広さに合っている。また、壁９に近いという条件下では、もう一つの送受信可能エリア２１は、壁９による反射波が無いために干渉による送受信エラーも発生しない。ステップＳ２０１９においては、カードＡ３が送受信可能エリア２から外れ、カードＤ７が送受信可能エリア２内に入ったと仮定する。
【０１３９】
ステップＳ２０２０においては、ステップＳ２０１３と同一の操作を実施する。操作は、ステップＳ２０１７の動作の開始ｔｃ後（ステップＳ２０１８の動作終了後）に実施する。ステップＳ２０２１においては、カードＤ７がカードＤからの応答データ５６を送受信部７２から送信する。ステップＳ２０２２においては、カードＤからの応答データ５６をリーダライタ１のコイル１３、送受信部１２で復調、制御部１１でメモリ１４からカードＡ３のＩＤ情報５０１を読出し、カードＤからの応答データ５６のカードＤのＩＤ情報５６１と同一でなく、カードＡ３以外のカードが送受信可能エリア２内にあると判別する。ステップＳ２０２３においては、リーダライタ１の制御部１１が規定外のカード有りの判別情報データ６０を警告部１５に送信する。送信は、ステップＳ２０２０の動作の開始ｔｃ後に実施する。ステップＳ２０２４においては、警告部１５がアラームやブザー等の警告を発し、異常を周囲に伝達する。
【０１４０】
この発明の実施の形態２０では、以上のように構成されているため、特定の複数カードまたはタグに対してデータを送受信する場合において、少なくとも一つのカードまたはタグがデータの送受信可能エリアを外れたことや破損、特定外のカードまたはタグがデータの送受信可能エリアに入ったことをリアルに判別、異常を伝達することにより、盗難や紛失を防ぐことが出来ると共に、リーダライタ設置する場所の条件によりデータを送受信できる送受信可能のエリアを切替えることにより、反射波の発生、干渉による送受信エラーを避けることが出来るため、カードまたはタグの管理性、安全性、並びにリーダライタの適用性を高くしてデータの送受信をできるという効果がある。
【０１４１】
実施の形態２１．
図８０は、この発明の実施の形態２１の非接触ＩＣカードシステムの構成図である。図番の説明は、この発明の実施の形態１８の図６９等と同一のため説明を省略する。
【０１４２】
図８１は、この発明の実施の形態２１の非接触ＩＣカードシステムの構成の詳細図である。図番の説明は、この発明の実施の形態１８の図７０と同一のため説明を省略する。
【０１４３】
図８２は、この発明の実施の形態２１の非接触ＩＣカードシステムにおけるタイミングチャート・プロトコル図である。図に示すように、表示部１６は、警告表示６２および６２１を行う。その他の図番の説明は、この発明の実施の形態２０の図７７と同一のため説明を省略する。
【０１４４】
図８３は、この発明の実施の形態２１の非接触ＩＣカードシステムにおける表示部の表示画面Ａである。図に示すように、表示部１６は、警告メッセージ表示６２およびカードＩＤ番号情報の表示６０１を行う。
【０１４５】
図８４は、この発明の実施の形態２１の非接触ＩＣカードシステムにおける表示部の表示画面Ｂである。図に示すように、表示部１６は、警告メッセージ表示６２を行う。
【０１４６】
次に実施の形態２０の動作について図８５及び図８６のフローチャートを参照しながら説明する。図において、まず、ステップＳ２１０１〜ステップＳ２１０６においては、図７８のステップＳ２００１〜ステップＳ２００６と同一のため説明を省略する。ステップＳ２１０７においては、カードＡ３が送受信可能エリア２から外れたと仮定する。ステップＳ２１０８においては、ステップＳ２００１と同一の操作を実施する。操作は、ステップＳ２００４の動作の開始ｔｃ後（ステップＳ２００６の動作終了後）に実施する。ステップＳ２１０９においては、リーダライタ１の制御部１１がカードＡからの応答データ５１が無いと判別する。ステップＳ２１１０においては、リーダライタ１の制御部１１が判別情報データ６０を警告部１５、表示部１６に送信する。送信は、ステップＳ２００８の動作の開始ｔｃ後に実施する。ステップＳ２１１１においては、警告部１５がアラームやブザー等の警告を発し、異常を周囲に伝達する。ステップＳ２１１２においては、表示部１６が紛失カード番号情報６０１、「カードなし」という判別情報６２を表示し、異常を周囲に伝達する。ステップＳ２１１３においては、カードA３、カードＢ４を机Ｂ９１上または壁９近くに設置する。また、リーダライタ１内のスイッチ１８を切り替える。
【０１４７】
ステップＳ２１１４〜ステップＳ２１１９においては、図７８のステップＳ１７１３〜ステップＳ１７１８と同一のため説明を省略する。この中で、ステップＳ２１１５、ステップＳ２１１８においては、リーダライタからのもう一つの送受信可能エリア２１は、リーダライタからの送受信可能エリア２よりも範囲が狭く、机Ｂ９１の広さに合っている。また、壁９に近いという条件下では、もう一つの送受信可能エリア２１は、壁９による反射波が無いために干渉による送受信エラーも発生しない。ステップＳ２１２０においては、カードＡ３が送受信可能エリア２から外れ、カードＤ７が送受信可能エリア２内に入ったと仮定する。ステップＳ２１２１においては、ステップＳ２１１４と同一の操作を実施する。操作は、ステップＳ２１１８の動作の開始ｔｃ後（ステップＳ２１１９の動作終了後）に実施する。ステップＳ２１２２においては、カードＤ７がカードＤからの応答データ５６を送受信部７２から送信する。ステップＳ２１２３においては、カードＤからの応答データ５６をリーダライタ１のコイル１３、送受信部１２で復調、制御部１１でメモリ１４からカードＡ３のＩＤ情報５０１を読出し、カードＤからの応答データ５６のカードＤのＩＤ情報５６１と同一でなく、カードA３以外のカードが送受信可能エリア２内にあると判別する。ステップＳ２１２４においては、リーダライタ１の制御部１１が規定外のカード有りの判別情報データ６０を警告部１５、表示部１６に送信する。送信は、ステップＳ２１２０の動作の開始ｔｃ後に実施する。ステップＳ２１２５においては、警告部１５がアラームやブザー等の警告を発し、異常を周囲に伝達する。ステップＳ２１２６においては、表示部１６が、「規定外のカードあり」という判別情報６２１を表示し、異常を周囲に伝達する。
【０１４８】
この発明の実施の形態２１では、以上のように構成されているため、特定の複数カードまたはタグに対してデータを送受信する場合において、少なくとも一つのカードまたはタグがデータの送受信可能エリアを外れたことや破損、特定外のカードまたはタグがデータの送受信可能エリアに入ったことをリアルに判別、異常を警告音と表示の２通りの方法で伝達でき、警告音の届かない場所においても表示手段により異常をリアルに発見、対処できるために、盗難や紛失を防ぐことが出来ると共に、リーダライタ設置する場所の条件によりデータを送受信できる送受信可能のエリアを切替えることにより、反射波の発生、干渉による送受信エラーを避けることが出来るため、カードまたはタグの管理性、安全性、並びにリーダライタの適用性を高くしてデータの送受信をできるという効果がある。
【０１４９】
実施の形態２２．
図８７は、この発明の実施の形態２２の非接触ＩＣカードシステムの構成図である。図において、１０は、電池付カード用送受信可能エリアである。その他の図番は、この発明の実施の形態１の図１と同一のため説明を省略する。
【０１５０】
図８８は、この発明の実施の形態２２に係る非接触ＩＣカードシステムの構成を示した図である。図に示すように、リーダライタ１内には、制御部１１、送受信部１２、コイル１３、メモリ１４が設けられている。カードＡ３内には、制御部３１、送受信部３２、メモリ３３、電池３４が設けられている。なお、本システムで使用可能なカードは特定のＩＣカード（規定にあったＩＣカード）だけに限られ、特定外のＩＣカード（規定外のＩＣカード）が送受信可能エリア２内に入ってきた場合には異常と判定される。
【０１５１】
図８９は、この発明の実施の形態１に係る非接触ＩＣカードシステムにおけるタイミングチャート・プロトコル図である。図番の説明は図３と同一のため説明を省略する。
【０１５２】
次に、本実施の形態２２の動作について図９０のフローチャートを参照しながら説明する。図９０において、まず、ステップＳ２２０１は、ステップＳ１０１と同一のため説明を省略する。ステップＳ２２０２においては、カードＡ３の送受信部３２がカードＡ３内電池３４の供給を受けながら、質問データ５０を受信し復調し、次に、制御部３１が、カードＡ３内電池３４の供給を受けながら、質問データ５０内のカードＡ３のＩＤ情報５０１とメモリ３３内に予め格納されているカードＡ３のＩＤ情報５１１とを比較して、質問データ５０内のカードＡ３のＩＤ情報５０１とメモリ３３内のカードＡ３のＩＤ情報５１１とが同一であると判別したときに、カードＡ３からの応答データ５１を生成して、送受信部３２から送信する。
【０１５３】
ステップＳ２２０３においては、カードＡ３からの応答データ５１をリーダライタ１のコイル１３で受信し、送受信部１２で復調し、制御部１１でメモリ１４からカードＡ３のＩＤ情報５０１を読出し、それとカードＡ３からの応答データ５１内のＩＤ情報５１１とが同一であったときに、カードＡ３が電池付カード用送受信可能エリア１０内にあると判別する。これを繰り返し行う。ところが、ステップＳ２２０４において、カードＡ３が電池付カード用送受信可能エリア１０から外れたと仮定する。ステップＳ２２０５においては、ステップＳ２２０１と同一の操作を実施する。操作は、ステップＳ２２０１の動作の開始ｔｃ後（ここで、ｔｃは、ステップＳ１０３の動作終了後にステップＳ２２０５の動作が開始するように、適宜決めた時間で、例えば、３分後）に実施する。ステップＳ２２０６においては、リーダライタ１の制御部１１がカードＡ３からの応答データ５１が無い場合に、カードＡ３が送受信可能エリア２内に無いと判別する（第一の検知手段）。これにより、ステップＳ２２０７において、リーダライタ１の制御部１１が判別情報データ６０を警告部１５に送信する。送信は、ステップＳ２２０５の動作の開始ｔｃ後に実施する。次に、ステップＳ２２０８において、警告部１５がアラームやブザー等の警告を発し、異常を周囲に伝達する（警告手段）。
【０１５４】
この発明の実施の形態２２では、以上のように構成されているため、実施の形態１等と同様の効果が得られるとともに、さらに、特定の電池付のカードに対してデータを送受信する場合において、カードがデータの電池なしカード用送受信可能エリア２よりも広範囲である電池付カード用送受信可能エリア１０を外れたことを確実に判別して、異常を伝達することにより、盗難や紛失を防ぐことが出来るため、より広範囲に安全性や管理性を高くしてデータを送受信できるという効果がある。
【０１５５】
なお、本実施の形態においては、特定のＩＣカード（規定のＩＣカード）がデータを送受信する場合について述べたが、その場合に限らず、特定のタグ等、可搬磁気記録媒体でも同様である。
【０１５６】
実施の形態２３．
図９１は、この発明の実施の形態２３に係る非接触ＩＣカードシステムの構成図である。図に示すように、電池付カード用送受信可能エリア１０が設定されている。その他、図５と同一の構成については同一符号を付して示しここではその説明を省略する。なお、図において、カードＡ３は特定のカードであるが、カードＤ７は特定外のカードである。
【０１５７】
図９２は、この発明の実施の形態２３に係る非接触ＩＣカードシステムの構成の詳細図である。図９２に示すように、リーダライタ１およびカードＡ３の構成は、図８８と同じであるため、ここでは説明を省略する。図に示すように、カードＤ７内には、制御部７１、送受信部７２、メモリ７３、電池７４が設けられている。
【０１５８】
図９３は、この発明の実施の形態２３における非接触ＩＣカードシステムにおけるタイミングチャート・プロトコル図である。図に示すように、カードＡ３に対して送信した質問データ５０を送受信可能エリア２内に存在する特定外のカードＤ７が受信してしまい、その結果、カードＤ７からの応答データ５６をリーダライタ１が受信することがある。そのときの応答データ５６内には、図９３（ｂ）に示すように、カードＤ７のＩＤ情報５６１が含まれている。その他の図番の説明は、図７と同一のため説明を省略する。
【０１５９】
次に、本実施の形態２３の動作について図９４のフローチャートを参照しながら説明する。図において、まず、ステップＳ２３０１〜ステップＳ２３０３においては、図９０のステップＳ２２０１〜ステップＳ２２０３と同一のため説明を省略する。ステップＳ２３０４においては、カードＡ３が送受信可能エリア１０から外れ、カードＤ７が送受信可能エリア１０内に入ったと仮定する。ステップＳ２３０５においては、ステップＳ２３０１と同一の操作を実施する。操作は、ステップＳ２３０１の動作の開始ｔｃ後（ステップＳ２３０３の動作終了後）に実施する。ステップＳ２３０６においては、カードＡ３に対して送信した質問データ５０を送受信可能エリア１０内に存在する電池７４による電力供給を受けながら特定外のカードＤ７が受信してしまい、その結果、カードＤ７が応答データ５６を送受信部７２から送信する。ステップＳ２３０７〜ステップＳ２３０９においては、図８のステップＳ２０７〜ステップＳ２０９と同一のため説明を省略する。
【０１６０】
この発明の実施の形態２３では、以上のように構成されているため、電池を搭載した特定のカードまたはタグに対してデータを送受信する場合において、特定外のカードまたはタグがデータの電池なしカード用送受信可能エリア２よりも広範囲である電池付カード用送受信可能エリア１０に入ったことをリアルに判別、異常を伝達することにより、すり替えや紛失を防ぐことが出来るため、より広範囲に安全性や管理性を高くしてデータを送受信できるという効果がある。
【０１６１】
実施の形態２４．
図９５は、この発明の実施の形態２４における非接触ＩＣカードシステムの構成図である。本実施の形態においては、特定カードが複数枚あった場合を説明する。図において、カードＢ４は、カードＡ３と同様の特定カードである。その他の図番の説明は、図８７と同一のため説明を省略する。
【０１６２】
図９６は、この発明の実施の形態２４における非接触ＩＣカードシステムの構成の詳細図である。図において、カードＢ４は、制御部４１、送受信部４２、メモリ４３、電池４４が設けられており、カードＡ３と同一の構成を有している。その他の図番の説明は、図８８と同一のため説明を省略する。
【０１６３】
図９７は、本発明の実施の形態２４における非接触ＩＣカードシステムにおけるタイミングチャート・プロトコル図である。図番の説明は、図８９と同一のため説明を省略する。
【０１６４】
次に、実施の形態２４の動作について図９８のフローチャートを参照しながら説明する。図において、まず、ステップＳ２４０１は、ステップＳ２２０１と同一のため説明を省略する。リーダライタ１内のメモリ１４には、カードＡ３のＩＤ情報５０１およびカードＢ４のＩＤ情報５２１のみが書き込まれている。ステップＳ２４０２は、ステップＳ２２０２と同一のため説明を省略する。ステップＳ２４０３は、ステップＳ２２０３と同一のため説明を省略する。
【０１６５】
ステップＳ２４０４においては、リーダライタ１内の制御部１１がメモリ１４からカードＢ４のＩＤ情報５２１を読出し、質問データ５２を送受信部１２で変調し、コイル１３から送信する。操作は、ステップＳ３０１の動作の開始ｔｃ後（ステップＳ３０３の動作終了後）に実施する。ステップＳ２４０５においては、カードＢ４の送受信部４３がカードＢ４内の電池４４による電力供給を受けながら質問データ５２を受信して復調し、制御部４１が質問データ５２内のカードＢ４のＩＤ情報５２１をメモリ４３内のカードＢ４のＩＤ情報５２１を読込み、質問データ５２内のカードＢ４のＩＤ情報５２１とメモリ内４３のカードＢ４のＩＤ情報５３１が同一であると判別、カードＢからの応答データ５３を送受信部４２から送信する。ステップＳ２４０６においては、カードＢからの応答データ５３をリーダライタ１のコイル１３で受信し、送受信部１２で復調、制御部１１でメモリ１４からカードＢのＩＤ情報５２１を読出し、カードＢからの応答データ５３のカードＢのＩＤ情報５３１が同一であり、カードＢ４が送受信可能エリア１０内にあると判別する。カードＡに対してのステップＳ２４０１〜Ｓ２４０３の処理と、カードＢに対してのステップＳ２４０４〜Ｓ２４０６の処理とを交互に繰り返し行う。
【０１６６】
ステップＳ２４０７においては、カードＡ３が送受信可能エリア１０から外れたと仮定する。ステップＳ２４０８においては、ステップＳ２４０１と同一の操作を実施する。操作は、ステップＳ２４０１の動作の開始ｔｃ後（ステップＳ２４０３の動作終了後）に実施する。ステップＳ２４０９においては、リーダライタ１の制御部１１がカードＡからの応答データ５１が無いと判別する。ステップＳ２４１０においては、リーダライタ１の制御部１１が判別情報データ６０を警告部１５に送信する。送信は、ステップＳ２４０８の動作の開始ｔｃ後に実施する。ステップＳ２４１１においては、警告部１５がアラームやブザー等の警告を発し、異常を周囲に伝達する。
【０１６７】
この発明の実施の形態２４では、以上のように構成されているため、電池を搭載した特定の複数カードまたはタグに対してデータを送受信する場合において、少なくとも一つのカードまたはタグがデータの電池なしカード用送受信可能エリア２よりも広範囲である電池付カード用送受信可能エリア１０を外れたことをリアルに判別、異常を伝達することにより、盗難や紛失を防ぐことが出来るため、より広範囲に安全性や管理性を高くしてデータを送受信できるという効果がある。なお、上記の説明においては、カードの数を２枚として説明したが、２以上でも同様の効果が得られるのは、説明するまでもない。
【０１６８】
実施の形態２５．
図９９は、この発明の実施の形態２５における非接触ＩＣカードシステムの構成図である。図において、各図番の説明は、図１３と同一のため説明を省略する。なお、本実施の形態においては、図９９に示すように、特定カードであるカードＡ３およびカードＢ４と、特定外カードであるカードＤ７とが、電池付カード用送受信可能エリア１０の内あるいは外に存在している場合を説明する。
【０１６９】
図１００は、この発明の実施の形態２５における非接触ＩＣカードシステムの構成の詳細図である。図において、各図番の説明は、図１４あるいは図９６と同一のため説明を省略する。但し、カードＤ７は、図１４の構成に加えて、電池７４がさらに設けられている。
【０１７０】
図１０１は、この発明の実施の形態２５における非接触ＩＣカードシステムにおけるタイミングチャート・プロトコル図である。図において、各図番の説明は、図１５あるいは図９７と同一のため説明を省略する。
【０１７１】
次に、本実施の形態２５の動作について図１０２のフローチャートを参照しながら説明する。図において、まず、ステップＳ２５０１〜ステップＳ２５０６は、上記の図９８のステップＳ２４０１〜ステップＳ２４０６と同一のため説明を省略する。ステップＳ２５０７においては、カードＡ３が送受信可能エリア１０から外れ、カードＤ７が送受信可能エリア１０内に入ったと仮定する。ステップＳ２５０８においては、ステップＳ２５０１と同一の操作を実施する。操作は、ステップＳ２５０４の動作の開始ｔｃ後（ステップＳ２５０６の動作終了後）に実施する。ステップＳ２５０９においては、カードＤ７が応答データ５６を送受信部７２から送信する。
【０１７２】
ステップＳ２５１０においては、カードＤ７からの応答データ５６をリーダライタ１のコイル１３で受信し、送受信部１２で復調し、制御部１１でメモリ１４からカードＡ３のＩＤ情報５０１を読出す。制御部１１は、読み出したＩＤ情報５０１とカードＤ７からの応答データ５６内のＩＤ情報５６１とを比較して、それらが同一でなく、カードＡ３以外のカードが送受信可能エリア１０内にあると判別する。
【０１７３】
ステップＳ２５１１においては、リーダライタ１の制御部１１が規定外のカード有りの判別情報データ６０を警告部１５に送信する。送信は、ステップＳ２０５の動作の開始ｔｃ後に実施する。ステップＳ２５１２においては、警告部１５がアラームやブザー等の警告を発し、異常を周囲に伝達する。
【０１７４】
この発明の実施の形態２５では、以上のように構成されているため、電池搭載の特定の複数カードまたはタグに対してデータを送受信する場合において、特定外のカードまたはタグがデータの電池なしカード用送受信可能エリア２よりも広範囲である電池付カード用送受信可能エリア１０に入ったことをリアルに判別して、異常を伝達することにより、すり替えや紛失を防ぐことが出来るため、より安全性や管理性を高くしてデータを送受信できるという効果がある。
【０１７５】
実施の形態２６．
図１０３は、この発明の実施の形態２６に係る非接触ＩＣカードシステムの構成図である。図において、各図番の説明は、図８７と同一のため説明を省略する。本実施の形態においては、図１０３に示すように、カードＡ３が破損した状態で送受信可能エリア１０内に存在している場合について説明する。
【０１７６】
この発明の実施の形態２６の非接触ＩＣカードシステムの構成の詳細図は、図８８と同一のため説明を省略する。
【０１７７】
この発明の実施の形態２６の非接触ＩＣカードシステムにおけるタイミングチャート・プロトコル図は、図８９と同一のため説明を省略する。
【０１７８】
次に、本実施の形態２６の動作について図１０４のフローチャートを参照しながら説明する。図１０４において、まず、ステップＳ２６０１〜ステップＳ２６０３においては、上記の図９０のステップＳ２２０１〜ステップＳ２２０３と同一のため説明を省略する。ステップＳ２６０４においては、カードＡ３が電池付カードの送受信可能エリア１０内において破損し受信不能になったと仮定する。ステップＳ２６０５においては、ステップＳ２６０１と同一の操作を実施する。操作は、ステップＳ２６０１の動作の開始ｔｃ後（ステップＳ２６０３の動作終了後）に実施する。ステップＳ２６０６においては、リーダライタ１の制御部１１がカードＡ３からの応答データ５１が無い場合に、カードＡ３が送受信可能エリア１０内で破損したと判別する（第三の検知手段）。ステップＳ２６０７においては、リーダライタ１の制御部１１が判別情報データ６０を警告部１５に送信する。送信は、ステップＳ２６０５の動作の開始ｔｃ後に実施する。ステップＳ２６０８においては、警告部１５がアラームやブザー等の警告を発し、異常を周囲に伝達する（警告手段）。
【０１７９】
この発明の実施の形態２６では、以上のように構成されているため、電池搭載の特定のカードまたはタグに対してデータを送受信する場合において、電池なしカード用送受信可能エリア２よりも広範囲である電池付カード用送受信可能エリア１０において、データのカードまたはタグが破損による送受信不能をリアルに判別して、異常を伝達することにより、盗難や紛失を防ぐことが出来るため、より広範囲に安全性や管理性を高くしてデータを送受信できるという効果がある。
【０１８０】
実施の形態２７．
図１０５は、この発明の実施の形態２７に係る非接触ＩＣカードシステムの構成図である。図において、各図番の説明は、図９５と同一のため説明を省略する。
【０１８１】
この発明の実施の形態２７の非接触ＩＣカードシステムの構成の詳細図は、図９６と同一のため説明を省略する。
【０１８２】
この発明の実施の形態２７の非接触ＩＣカードシステムにおけるタイミングチャート・プロトコル図は、図９７と同一のため説明を省略する。
【０１８３】
次に、実施の形態２７の動作について図１０６のフローチャートを参照しながら説明する。図１０６において、まず、ステップＳ２７０１〜ステップＳ２７０６においては、上記の図９８のステップＳ２４０１〜ステップＳ２４０６と同一のため説明を省略する。ステップＳ２７０７においては、カードＡ３が電池付カードが使用できる送受信可能エリア１０内において破損し受信不能になる。ステップＳ２７０８〜ステップＳ２７１１においては、ステップＳ２４０８〜ステップＳ２４１１と同一のため説明を省略する。
【０１８４】
この発明の実施の形態２７では、以上のように構成されているため、電池搭載の特定のカードまたはタグに対してデータを送受信する場合において、電池なしカード用送受信可能エリア２よりも広範囲である電池付カード用送受信可能エリア１０において、少なくとも一つのカードまたはタグが破損による送受信不能をリアルに判別、異常を伝達することにより、盗難や紛失を防ぐことが出来るため、より広範囲に安全性や管理性を高くしてデータを送受信できるという効果がある。
【０１８５】
実施の形態２８．
図１０７は、この発明の実施の形態２８の非接触ＩＣカードシステムの構成図である。実施の形態２８においては、図に示すように、警告メッセージを表示するための表示部１６が設けられている。その他の図番の説明は、図２１および図８７と同一のため説明を省略する。
【０１８６】
図１０８は、この発明の実施の形態２８の非接触ＩＣカードシステムにおける表示部１６の表示画面である。表示部１６による警告メッセージ表示６２の一例を示す。
【０１８７】
図１０９は、この発明の実施の形態２８の非接触ＩＣカードシステムの構成の詳細図である。図に示すように、警告メッセージを表示するための表示部１６がリーダライタ１に接続されている。その他の図番の説明は、図８８と同一のため説明を省略する。
【０１８８】
図１１０は、この発明の実施の形態２８の非接触ＩＣカードシステムにおけるタイミングチャート・プロトコル図である。図に示すように、表示部１６による警告メッセージ表示を行う。その他の図番の説明は、図８９と同一のため説明を省略する。
【０１８９】
次に、実施の形態２８の動作について図１１１のフローチャートを参照しながら説明する。図において、まず、ステップＳ２８０１〜ステップＳ２８０６においては、図９０のステップＳ２２０１〜ステップＳ２２０６と同一のため説明を省略する。ステップＳ２８０７においては、リーダライタ１の制御部１１が判別情報データ６０を警告部１５および／または表示部１６に送信する。送信は、ステップＳ２８０５の動作の開始ｔｃ後に実施する。ステップＳ２８０８においては、警告部１５がアラームやブザー等の警告６１を発し、異常を周囲に伝達する。ステップＳ２８０９においては、表示部１６が判別情報データ６０を元にカード紛失という警告メッセージ６２表示し、異常を周囲に伝達する（表示手段）。
【０１９０】
この発明の実施の形態２８では、以上のように構成されているため、電池搭載の特定のカードまたはタグに対してデータを送受信する場合において、電池なしカード用送受信可能エリア２よりも広範囲である電池付カード用送受信可能エリア１０において、カードまたはタグがデータの送受信可能エリアを外れたことをリアルに判別し、異常を警告音と表示の２通りの方法で伝達でき、警告音の届かない場所においても表示手段により異常をリアルに発見、対処できるために、より広範囲に安全性や管理性を高くしてデータを送受信できるという効果がある。
【０１９１】
実施の形態２９．
図１１２は、この発明の実施の形態２９における非接触ＩＣカードシステムの構成図である。実施の形態２８においては、図に示すように、警告メッセージを表示するための表示部１６が設けられている。図において、各図番の説明は、図２１及び図９５と同一のため説明を省略する。
【０１９２】
図１１３は、この発明の実施の形態２９の非接触ＩＣカードシステムにおける表示部１６の表示画面である。
【０１９３】
図１１４は、この発明の実施の形態２９における非接触ＩＣカードシステムの構成の詳細図である。図において、各図番の説明は、図９６と同一のため説明を省略する。
【０１９４】
図１１５は、この発明の実施の形態２９における非接触ＩＣカードシステムにおけるタイミングチャート・プロトコル図である。図において、判別情報データ６０内には、紛失カードＩＤ番号情報６０１と、警告コマンド６０２とが含まれている。その他の図番の説明は、図９７と同一のため説明を省略する。
【０１９５】
次に、本実施の形態２９の動作について図１１６のフローチャートを参照しながら説明する。図において、まず、ステップＳ２９０１〜ステップＳ２９０６においては、図９０のステップＳ２４０１〜ステップＳ２４０６と同一のため説明を省略する。
【０１９６】
ステップＳ２９０７においては、カードＡ３が送受信可能エリア１０から外れたと仮定する。ステップＳ２９０８においては、ステップＳ２９０４と同一の操作を実施する。操作は、ステップＳ２９０４の動作の開始ｔｃ後（ステップＳ２９０６の動作終了後）に実施する。ステップＳ２９０９においては、リーダライタ１の制御部１１がカードＡ３からの応答データ５１が無いと判別する。ステップＳ２９１０においては、リーダライタ１の制御部１１が紛失カードＩＤ番号６０１（カードＡ３のＩＤ番号）と警告コマンド６０２を含む判別情報データ６０を警告部１５、表示部１６に送信する。送信は、ステップＳ２９０８の動作の開始ｔｃ後に実施する。ステップＳ２９１１においては、警告部１５がアラームやブザー等の警告を発し、異常を周囲に伝達する。ステップＳ２９１２においては、表示部１６が判別情報データ６０を元にカード紛失という警告メッセージ６２、紛失カードＩＤ情報６２１を表示し、異常を周囲に伝達する。
【０１９７】
次に、実施の形態２９の他の動作について図１１７のフローチャートを参照しながら説明する。図において、まず、ステップＳ２９１０１〜ステップＳ２９１０６は、図３０のステップＳ２９０１〜ステップＳ２９０６と同一のため説明を省略する。ステップＳ２９１０７においては、カードＡ３が破損し使用不能となったと仮定する。また、ステップＳ２９１０８〜ステップＳ２９１１２は、図１１６のステップＳ２９０８〜ステップＳ２９１２と同一のため説明を省略する。
【０１９８】
この発明の実施の形態２９では、以上のように構成されているため、電池搭載の特定の複数カードまたはタグに対してデータを送受信する場合において、電池なしカード用送受信可能エリア２よりも広範囲である電池付カード用送受信可能エリア１０において、どのカードまたはタグがデータの送受信可能エリアを外れたことをリアルに判別し、異常を警告音と表示の２通りの方法で伝達でき、警告音の届かない場所においても表示手段により異常、該当のカードＩＤをリアルに発見、対処できるために広範囲に安全性や管理性を高くしてデータを送受信できるという効果がある。
【０１９９】
実施の形態３０．
図１１８は、この発明の実施の形態３０の非接触ＩＣカードシステムの構成図である。図に示すように、表示部１６による警告メッセージ表示を行う。その他の図番の説明は、図８７及び図９９と同一のため説明を省略する。
【０２００】
この発明の実施の形態３０の非接触ＩＣカードシステムの構成の詳細図は、図１００と同一のため説明を省略する。
【０２０１】
図１１９は、この発明の実施の形態３０の非接触ＩＣカードシステムにおけるタイミングチャート・プロトコルである。図において、図番の説明は、図４０と同一のため説明を省略する。
【０２０２】
図１２０は、この発明の実施の形態３０の非接触ＩＣカードシステムにおける表示部の表示画面である。図に示すように、表示部１６による警告メッセージ表示を行う。
【０２０３】
次に、実施の形態３０の動作の一例について図１２１のフローチャートを参照しながら説明する。図において、まず、ステップＳ３００１〜ステップＳ３００３においては、図９４のステップＳ２３０１〜ステップＳ２３０３と同一のため説明を省略する。
ステップＳ３００４においては、規定外のカードＤ７が電池付カードが使用できる送受信可能エリア１０内に入ったと仮定する。
ステップＳ３００５においては、ステップＳ３００１と同一の操作を実施する。操作は、ステップＳ３００１の動作の開始ｔｃ後（ステップＳ３００３の動作終了後）に実施する。
ステップＳ３００６においては、カードＤ７がカードＤからの応答データ５６を送受信部７２から送信する。
ステップＳ３００７においては、カードＤからの応答データ５６をリーダライタ１のコイル１３、送受信部１２で復調、制御部１１でメモリ１４からカードＡ３のＩＤ情報５０１を読出し、カードＤからの応答データ５６のカードＤのＩＤ情報５６１と同一でなく、カードＡ３以外のカードが送受信可能エリア１０内にあると判別する。
ステップＳ３００８においては、リーダライタ１の制御部１１が規定外のカード有りの判別情報データ６０を警告部１５、表示部１６に送信する。送信は、ステップＳ３００５の動作の開始ｔｃ後に実施する。
ステップＳ３００９においては、警告部１５がアラームやブザー等の警告を発し、異常を周囲に伝達する。
ステップＳ３０１０においては、表示部１６が判別情報データ６０を元に規定外のカード有りという警告メッセージ６２を表示し、異常を周囲に伝達する。
【０２０４】
この発明の実施の形態３０では、以上のように構成されているため、電池搭載の特定のカードまたはタグに対してデータを送受信する場合において、電池なしカード用送受信可能エリア２よりも広範囲である電池付カード用送受信可能エリア１０において、特定外のカードまたはタグがデータの送受信可能エリアに入ったことをリアルに判別、異常を警告音と表示の２通りの方法で伝達でき、警告音の届かない場所においても表示手段により異常をリアルに発見、対処できるために、より広範囲に安全性や管理性を高くしてデータを送受信できるという効果がある。
【０２０５】
実施の形態３１．
この発明の実施の形態３１に係る非接触ＩＣカードシステムの構成図は、図１０７と同一のため説明を省略する。
【０２０６】
この発明の実施の形態３１に係る非接触ＩＣカードシステムの構成の詳細図は、図１０９と同一のため説明を省略する。
【０２０７】
図１２３は、この発明の実施の形態３１に係る非接触ＩＣカードシステムにおけるタイミングチャート・プロトコル図である。図に示すように、表示部１６による警告メッセージ表示を行う。その他の図番の説明は、図８９と同一のため説明を省略する。
【０２０８】
図１２２は、この発明の実施の形態３１の非接触ＩＣカードシステムにおける表示部の表示画面である。図に示すように、表示部１６による警告メッセージ表示を行う。
【０２０９】
次に、この発明の実施の形態３１の動作について図１２４のフローチャートを参照しながら説明する。図において、まず、ステップＳ３１０１〜ステップＳ３１０９においては、図１１１のステップＳ２８０１〜ステップＳ２８０９と同一のため説明を省略する。ステップＳ３１１０においては、リーダライタ１の制御部１１によりリーダライタ全体の動作を停止する。
【０２１０】
次に、本実施の形態３１の他の動作について図１２５のフローチャートを参照しながら説明する。図において、まず、ステップＳ３１００１〜ステップＳ３１００３は、図１２４のステップＳ３１０１〜ステップＳ３１０３と同一のため説明を省略する。ステップＳ３１００４においては、カードＡ３が送受信可能エリア２内において破損し受信不能になったと仮定する。ステップＳ３１００５〜ステップＳ３１００９は、図１２４のステップＳ３１０５〜ステップＳ３１０９と同一のため説明を省略する。ステップＳ３１０１０においては、リーダライタ１の制御部１１によりリーダライタ全体の動作を停止する（送受信停止手段）。
【０２１１】
この発明の実施の形態３１では、以上のように構成されているため、電池搭載の特定のカードまたはタグに対してデータを送受信する場合において、電池なしカード用送受信可能エリア２よりも広範囲である電池付カード用送受信可能エリア１０において、カードまたはタグがデータの送受信可能エリアを外れたことをリアルに判別し、より広範囲において異常を音と表示のより多くの方法で伝達すると共に、リーダライタ動作を停止することにより、カードまたはタグ盗難や紛失を防ぐことが出来、前記によるリーダライタの無駄な動作を防ぐことが出来、高い安全性の元で、無駄な電力を浪費せずにデータの送受信できるという効果がある。
【０２１２】
実施の形態３２．
この発明の実施の形態３２の非接触ＩＣカードシステムの構成図は、図１１８と同一のため説明を省略する。
【０２１３】
この発明の実施の形態３２の非接触ＩＣカードシステムの構成の詳細図は、図１００と同一のため説明を省略する。
【０２１４】
図１２７は、この発明の実施の形態３２の非接触ＩＣカードシステムにおけるタイミングチャート・プロトコル図である。図において、図に示すように、表示部１６による警告メッセージ表示を行う。その他の図番の説明は、図１１９と同一のため説明を省略する。
【０２１５】
図１２６は、この発明の実施の形態３２の非接触ＩＣカードシステムにおける表示部の表示画面である。図に示すように、表示部１６による警告メッセージ表示を行う。
【０２１６】
次に、この実施の形態３２の動作について図１２８のフローチャートを参照しながら説明する。図において、まず、ステップＳ３２０１〜ステップＳ３２０３は、図１２１のステップＳ３００１〜ステップＳ３００３と同一のため説明を省略する。ステップＳ３２０４においては、リーダライタの送受信可能エリア１０からカードＡが外れて規定外カードＤが入る。ステップＳ３２０５〜ステップＳ３２１０は、図１２１のステップＳ３００５〜ステップＳ３０１０と同一のため説明を省略する。ステップＳ３２１１においては、リーダライタ１の制御部１１によりリーダライタ全体の動作を停止する。
【０２１７】
この発明の実施の形態３２では、以上のように構成されているため、電池搭載の特定のカードまたはタグに対してデータを送受信する場合において、電池なしカード用送受信可能エリア２よりも広範囲である電池付カード用送受信可能エリア１０において、特定外のカードまたはタグがデータの送受信可能エリアに入ったことをリアルに判別、より広範囲において異常を音と表示のより多くの方法で伝達すると共に、リーダライタ動作を停止することにより、カードまたはタグ盗難や紛失を防ぐことが出来、前記によるリーダライタの無駄な動作を防ぐことが出来、高い安全性の元で、無駄な電力を浪費せずにデータ送受信できるという効果がある。
【０２１８】
実施の形態３３．
図１２９は、この発明の実施の形態３３における非接触ＩＣカードシステムの構成図である。図に示すように、リーダライタＡ１が所定の位置に設けられている。リーダライタＡ１からカードＡ３にデータを非接触で送受信できる電池付カードの送受信可能エリア１０は、図のように、予め設定されている。また、同様に、図に示すように、リーダライタＢ１００が所定の位置に設けられている。リーダライタＢ１００からカードＢ８にデータを非接触で送受信できる電池付カードの送受信可能エリア１０１は、図のように、予め設定されている。リーダライタ１および１００には、警告部１５および表示部１６が接続されている。
【０２１９】
図１３０は、本発明実施の形態３３における非接触ＩＣカードシステムの構成の詳細図である。図に示すように、リーダライタ１００内には、制御部１１１、送受信部１１２、コイル１１３、メモリ１１４が設けられている。カードＢ８内には、制御部８１、送受信部８２、メモリ８３が設けられている。その他の図番の説明は、図１０９と同一のため説明を省略する。
【０２２０】
図１３１は、この発明の実施の形態３３における非接触ＩＣカードシステムにおけるタイミングチャート・プロトコル図である。図１３１（ａ）に示すように、リーダライタＢ１００からカードＢ８に対して質問データ５７が送信される。当該質問データ５７を受信したカードＢ８は、応答データ５８を返信する。この動作を繰り返し行う。また、リーダライタ１および１００は、異常を検出すると、制御部１１および１１１から判別情報データ６０を警告部１５に送信する。それを受けて、警告部１５はアラームやブザー等による警告６１を発し、表示部１６は表示６２を表示する。また、図１３１（ｂ）に示すように、質問データ５７内には、送信相手のカードＢ８のＩＤ情報５７１が含まれている。また、同様に、応答データ５８内には、当該カードＢ８のＩＤ情報５８１が含まれている。
【０２２１】
図１３２は、本発明の実施の形態３３の非接触ＩＣカードシステムにおける表示部の表示画面である。図において、表示部１６は、判別情報データ６０の内容に基づく警告メッセージ表示６２を表示する。なお、判別情報データ６０内には、表示部１６によって表示される紛失カードＩＤ番号６０１、表示部１６による該当リーダライタのＩＤ番号６０３、警告コマンド６２が含まれている。
【０２２２】
次に、実施の形態３３の動作について図１３３のフローチャートを参照しながら説明する。図１３３（ａ）において、まず、ステップＳ３３０１〜ステップＳ３３０３においては、図９０のステップＳ２２０１〜ステップＳ２２０３と同一のため説明を省略する。ステップＳ３３０４においては、カードＡ３が電池付カードの送受信可能エリア１０から外れたと仮定する。ステップＳ３３０５においては、ステップＳ３３０１と同一の操作を実施する。操作は、ステップＳ３３０１の動作の開始ｔｃ後(ステップＳ３３０３の動作終了後)に実施する。ステップＳ３３０６においては、リーダライタＡ１の制御部１１がカードＡからの応答データ５１が無いと判別する。ステップＳ３３０７においては、リーダライタＡ１の制御部１１が紛失カードＩＤ番号６０１（カードA３のＩＤ番号）と警告コマンド６０２を含む判別情報データ６０を警告部１５、表示部１６に送信する。送信は、ステップＳ３３０５の動作の開始ｔｃ後に実施する。ステップＳ３３０８においては、警告部１５がアラームやブザー等の警告を発し、異常を周囲に伝達する。ステップＳ３３０９においては、表示部１６がカード紛失といった判別情報６２、紛失カードＩＤ情報６０１、該当リーダライタＩＤ情報６０３を表示し、異常を周囲に伝達する。
【０２２３】
上述のステップＳ３３０１〜ステップＳ３３０９の間においても図１３３（ｂ）に示すステップＳ３３１０〜ステップＳ３３１２が実施される。ステップＳ３３１０においては、リーダライタＢ１００内の制御部１１１がメモリ１１４からカードＢ４のＩＤ情報５７１を読出し、カードＢ質問データ５７を送受信部１１２で変調、コイル１１３から送信する。メモリ１１４にはカードＢ８のＩＤ情報５７１のみが書き込まれている。ステップＳ３３１１においては、カードＢ８が電池８４による電力供給を受けながら送受信部８３が受信しカードＢ質問データ５７に復調、制御部８１がカードＢ質問データ５７内のカードＢ７のＩＤ情報５７１をメモリ内８３のカードＢ７のＩＤ情報５８１を読込み、カードＢ質問データ５７内のカードＢ７のＩＤ情報５７１とメモリ７３内のカードＢ７のＩＤ情報５８１が同一であると判別、カードＢからの応答データ５８を送受信部８２から送信する。ステップＳ３３１２においては、カードＢからの応答データ５８をリーダライタＢ１００のコイル１１３、送受信部１１２で復調、制御部１１１でメモリ１１４からカードＢ７のＩＤ情報５８１を読出し、カードＢからの応答データ５８のカードＢのＩＤ情報５７１が同一であり、カードＢ８が電池付カード使用可能な送受信可能エリア１０内にあると判別する。ステップＳ３３１０〜ステップＳ３３１２を繰り返す。
【０２２４】
次に、実施の形態３３の他の動作について図１３４のフローチャートを参照しながら説明する。図１３４（ａ）に示すように、まず、ステップＳ３３００１〜ステップＳ３３００３は、図１３３のステップＳ３３０１〜ステップＳ３３０３と同一のため説明を省略する。ステップＳ３３００４においては、カードＡ３が破損し使用不能となる。ステップＳ３３００５〜ステップＳ３３００９においては、図１３３のステップＳ３３０５〜ステップＳ３３０９と同一のため説明を省略する。ステップＳ３３００１〜ステップＳ３３００９の間においても図１３４（ｂ）に示すステップＳ３３０１０〜ステップＳ３３０１２が実施される。ステップＳ３３０１０〜ステップＳ３３０１２は、図１３３のステップＳ３３１０〜ステップＳ３３１２と同一のため説明を省略する。ステップＳ３３０１０〜ステップＳ３３０１２を繰り返す。
【０２２５】
この発明の実施の形態３３では、以上のように構成されているため、電池搭載の特定のカードまたはタグに対してデータを送受信する場合において、電池なしカード用送受信可能エリア２よりも広範囲である電池付カード用送受信可能エリア１０において、このようなリーダライタが複数ある場合にどのリーダライタのどのカードまたはタグが異常となったことをより広範囲においてリアルに判別、異常を警告音と表示の２通りの方法で伝達でき、警告音の届かない場所においても表示手段により異常、該当のカードＩＤをリアルに発見、対処できるために、カードまたはタグの管理性が上がるという効果がある。
【０２２６】
実施の形態３４．
図１３５は、この発明の実施の形態３４における非接触ＩＣカードシステムの構成図である。図番の説明は、図１２９と同一のため説明を省略する。
【０２２７】
図１３６は、この発明の実施の形態３４における非接触ＩＣカードシステムの構成の詳細図である。図に示すように、カードＤ７内には、制御部７１、送受信部７２、メモリ７３、電池７４が設けられている。その他の図番の説明は、図１３０と同一のため説明を省略する。
【０２２８】
図１３７は、この発明の実施の形態３４における非接触ＩＣカードシステムにおけるタイミングチャート・プロトコル図である。図に示すように、カードＤ７が送受信可能エリア１０内に存在するときには、カードＤ７から応答データ５６が送信される。応答データ５６内には、カードＤ７のＩＤ情報が含まれている。その他の図番の説明は、図１３１と同一のため説明を省略する。
【０２２９】
図１３８は、この発明の実施の形態３４の非接触ＩＣカードシステムにおける表示部の表示画面である。図に示すように、表示部１６には、警告メッセージ表示６２と、該当リーダライタのＩＤ情報の表示６０３が表示される。
【０２３０】
次に、実施の形態３４の動作について図１３９のフローチャートを参照しながら説明する。  図１３９（ａ）に示すように、まず、ステップＳ３４０１においては、リーダライタＡ１内の制御部１１がメモリ１４からカードＡ３のＩＤ情報５０１を読出し、カードＡ質問データ５０を送受信部１２で変調し、コイル１３から送信する。メモリ１４にはカードＡ３のＩＤ情報５０１のみが書き込まれている。
ステップＳ３４０２においては、カードＡ３内の電池３４による電力供給を受けながらカードＡ３の送受信部３３が受信し、カードＡ質問データ５０に復調し、制御部３１がカードＡ質問データ５０内のカードＡ３のＩＤ情報５０１をメモリ内３３のカードＡ３のＩＤ情報５１１を読込み、カードＡ質問データ５０内のカードＡ３のＩＤ情報５０１とメモリ内３３のカードＡ３のＩＤ情報５１１が同一であると判別、カードＡからの応答データ５１を送受信部３２から送信する。
ステップＳ３４０３においては、カードＡからの応答データ５１をリーダライタＡ１のコイル１３、送受信部１２で復調し、制御部１１でメモリ１４からカードＡ３のＩＤ情報５０１を読出し、カードＡからの応答データ５１のカードＡのＩＤ情報５１１が同一であり、カードＡ３が送受信可能エリア１０内にあると判別する。
ステップＳ３４０４においては、カードＤ７が送受信可能エリア１０内に入ったと仮定する。
ステップＳ３４０５においては、ステップＳ３４０１と同一の操作を実施する。操作は、ステップＳ３４０１の動作の開始ｔｃ後（ステップＳ３４０３の動作終了後）に実施する。
ステップＳ３４０６においては、カードＤ７内の電池７４による電力供給を受けながら、カードＤ７がカードＤ７からの応答データ５６を送受信部７２から送信する。
【０２３１】
ステップＳ３４０７においては、カードＤ７からの応答データ５６をリーダライタ１のコイル１３、送受信部１２で復調し、制御部１１でメモリ１４からカードＡ３のＩＤ情報５０１を読出し、カードＤ７からの応答データ５６のカードＤのＩＤ情報５６１と同一でなく、カードＡ３以外のカードが送受信可能エリア１０内にあると判別する。
ステップＳ３４０８においては、リーダライタＡ１の制御部１１が紛失カードＩＤ番号６０１（カードＡ３のＩＤ番号）と警告コマンド６０２を含む判別情報データ６０を警告部１５、表示部１６に送信する。送信は、ステップＳ３４０５の動作の開始ｔｃ後に実施する。
ステップＳ３４０９においては、警告部１５がアラームやブザー等の警告を発し、異常を周囲に伝達する。
ステップＳ３４１０においては、表示部１６がカード紛失といった判別情報６２、紛失カードＩＤ情報６０１、該当リーダライタＩＤ情報６０３を表示し、異常を周囲に伝達する。
【０２３２】
ステップＳ３４０１〜ステップＳ３４１０の間においても図１３９（ｂ）に示すステップＳ３４１１〜ステップＳ３４１３が実施される。
ステップＳ３４１１においては、リーダライタＢ１００内の制御部１１１がメモリ１１４からカードＢ４のＩＤ情報５７１を読出し、カードＢ質問データ５７を送受信部１１２で変調、コイル１１３から送信する。メモリ１１４にはカードＢ８のＩＤ情報５７１のみが書き込まれている。
ステップＳ３４１２においては、カードＢ８内の電池８４による電力供給を受けながら、カードＢ８の送受信部８３が受信しカードＢ質問データ５７に復調、制御部８１がカードＢ質問データ５７内のカードＢ７のＩＤ情報５７１をメモリ内８３のカードＢ７のＩＤ情報５８１を読込み、カードＢ質問データ５７内のカードＢ７のＩＤ情報５７１とメモリ７３内のカードＢ７のＩＤ情報５８１が同一であると判別、カードＢからの応答データ５８を送受信部８２から送信する。
ステップＳ３４１３においては、カードＢからの応答データ５８をリーダライタＢ１００のコイル１１３、送受信部１１２で復調、制御部１１１でメモリ１１４からカードＢ７のＩＤ情報５８１を読出し、カードＢからの応答データ５８のカードＢのＩＤ情報５７１が同一であり、カードＢ８が送受信可能エリア２内にあると判別する。
ステップＳ３４１１〜ステップＳ３４１３を繰り返す。
【０２３３】
この発明の実施の形態３４では、以上のように構成されているため、電池搭載の特定のカードまたはタグに対してデータを送受信する場合において、電池なしカード用送受信可能エリア２よりも広範囲である電池付カード用送受信可能エリア１０において、このようなリーダライタが複数ある場合にどのリーダライタに対して規定外のカードまたはタグが入ったかを広範囲においてリアルに判別、異常を警告音と表示の２通りの方法で伝達でき、警告音の届かない場所においても表示手段により異常、該当のカードＩＤをリアルに発見、対処できるために、カードまたはタグの管理性が上がるという効果がある。
【０２３４】
実施の形態３５．
この発明の実施の形態３５における非接触ＩＣカードシステムの構成図は、発明の実施の形態３３における図１２９と同一のため説明を省略する。
【０２３５】
この発明の実施の形態３５における非接触ＩＣカードシステムの構成の詳細図は、実施の形態３３における図１３０と同一のため説明を省略する。
【０２３６】
この発明の実施の形態３５における非接触ＩＣカードシステムにおけるタイミングチャート・プロトコル図は、発明の実施の形態３３における図１３１と同一のため説明を省略する。
【０２３７】
図１４０は、本発明の実施の形態３５の非接触ＩＣカードシステムにおける表示部の表示画面である。図に示すように、表示部１６には、警告メッセージ表示６２、紛失カードＩＤ番号の表示６０１、該当リーダライタのＩＤ情報の表示６０３である。
【０２３８】
次に形態３５の動作について図１４１のフローチャートを参照しながら説明する。図において、まず、ステップＳ３５０１〜ステップＳ３５０９においては、本発明の実施の形態３３の図１３３のステップＳ３３０１〜ステップＳ３３０９と同一のため説明を省略する。ステップＳ３５１０においては、リーダライタＡ１の制御部１１によりリーダライタ全体の動作を停止する。ステップＳ３５０１〜ステップＳ３５１０の間においてもステップＳ３５１１〜ステップＳ３５１３が実施される。ステップＳ３５１１〜ステップＳ３５１３を繰り返す。
【０２３９】
本発明の実施の形態３５では、以上のように構成されているため、電池搭載の特定のカードまたはタグに対してデータを送受信する場合において、電池なしカード用送受信可能エリア２よりも広範囲である電池付カード用送受信可能エリア１０において、このようなリーダライタが複数ある場合にどのリーダライタのどのカードまたはタグが異常となったことをより広範囲においてリアルに判別、異常を警告音と表示の２通りの方法で伝達でき、警告音の届かない場所においても表示手段により異常、該当のカードＩＤをリアルに発見、対処でき、更にリーダライタの無駄な動作を防ぐことが出来るために、カードまたはタグの管理の効率を上げると共に、無駄な電力を浪費せずにデータの送受信をはかれるという効果がある。
【０２４０】
実施の形態３６．
この発明の実施の形態３６おける非接触ＩＣカードシステムの構成図は、発明の実施の形態３４における図１３５と同一のため説明を省略する。
【０２４１】
この発明の実施の形態３６における非接触ＩＣカードシステムの構成の詳細図は、発明の実施の形態３４における図１３６と同一のため説明を省略する。
【０２４２】
この発明の実施の形態３６における非接触ＩＣカードシステムにおけるタイミングチャート・プロトコル図は、発明の実施の形態３４における図１３７と同一のため説明を省略する。
【０２４３】
図１４２は、この発明の実施の形態３６の非接触ＩＣカードシステムにおける表示部の表示画面である。図に示すように、表示部１６は、警告メッセージ表示６２、および、該当リーダライタのＩＤ情報の表示６０３を行う。
【０２４４】
次に、実施の形態３６の動作について図１４３のフローチャートを参照しながら説明する。図４３（ａ）において、まず、ステップＳ３６０１〜ステップＳ３６１０においては、この発明の実施の形態３４の図１３９のステップＳ３４０１〜ステップＳ３４１０と同一のため説明を省略する。ステップＳ３６１１においては、リーダライタＡ１の制御部１１によりリーダライタ全体の動作を停止する。ステップＳ３６０１〜ステップＳ３６１１の間においても図１４３（ｂ）に示すステップＳ３６１２〜ステップ３６１４が実施される。ステップＳ３６１２〜ステップＳ３６１４においては、この発明の実施の形態３４の図１３９のステップＳ３４１１〜ステップＳ３４１３と同一のため説明を省略する。ステップＳ３６１２〜ステップＳ３６１４を繰り返す。
【０２４５】
この発明の実施の形態３６では、以上のように構成されているため、電池搭載の特定のカードまたはタグに対してデータを送受信する場合において、電池なしカード用送受信可能エリア２よりも広範囲である電池付カード用送受信可能エリア１０において、このようなリーダライタが複数ある場合にどのリーダライタに対して規定外のカードまたはタグが入ったかをより広範囲にリアルに判別、異常を警告音と表示の２通りの方法で伝達でき、警告音の届かない場所においても表示手段により異常、該当のカードＩＤをリアルに発見、対処でき、更にリーダライタの無駄な動作を防ぐことが出来るために、カードまたはタグの管理の効率が上がると共に無駄な電力を浪費せずにデータの送受信をはかれるという効果がある。
【０２４６】
実施の形態３７．
図１４４は、この発明の実施の形態３７における非接触ＩＣカードシステムの構成図である。図に示すように、本実施の形態においては、記録部１７が設けられている。リーダライタＡ１からカードＡ３にデータを非接触で送受信できる電池付カードの送受信可能エリア１０は、図のように、予め設定されている。また、同様に、図に示すように、リーダライタＢ１００が所定の位置に設けられている。リーダライタＢ１００からカードＢ８にデータを非接触で送受信できる電池付カードの送受信可能エリア１０１は、図のように、予め設定されている。その他の図番の説明は、発明の実施の形態１２における図４３と同一のため説明を省略する。
【０２４７】
図１４５は、この発明の実施の形態３７における非接触ＩＣカードシステムの構成の詳細図である。図に示すように、記録部１７内には、制御部１７１と、メモリ１７２とが設けられている。その他の図番の説明は、発明の実施の形態１２における図４４と同一のため説明を省略する。
【０２４８】
図１４６は、この発明の実施の形態３７における非接触ＩＣカードシステムにおけるタイミングチャート・プロトコル図である。図に示すように、判別情報データ６０に基づいて、記録部１７による記録動作６３および表示部１６で示す記録情報６４が行われる。なお、記録情報６４には、紛失破損のカードＩＤ番号情報６４１、該当リーダライタＩＤ番号情報６４２が含まれる。その他の図番の説明は、この発明の実施の形態１２における図４５と同一のため説明を省略する。
【０２４９】
図１４７は、この発明の実施の形態３７の非接触ＩＣカードシステムにおける表示部の表示画面である。図に示すように、表示部１６は、警告メッセージ表示６２、紛失カードＩＤ番号の表示６０１、該当リーダライタのＩＤ情報の表示６０３を行う。
【０２５０】
図１４８は、この発明の実施の形態３７の非接触ＩＣカードシステムにおける表示部の表示画面で記録部内の情報を表示する際の画面である。図に示すように、表示部１６は、紛失破損のカードＩＤ番号情報の表示６４１、該当リーダライタＩＤ番号情報の表示６４２を行う。
【０２５１】
次に、実施の形態３７の動作について図１４９のフローチャートを参照しながら説明する。
図１４９（ａ）において、まず、ステップＳ３７０１〜ステップＳ３７０３は、この発明の実施の形態３３の図１３３のステップＳ３３０１〜ステップＳ３３０３と同一のため説明を省略する。
ステップＳ３７０４においては、カードＡ３が送受信可能エリア１０から外れたと仮定する。
ステップＳ３７０５においては、ステップＳ３７０１と同一の操作を実施する。操作は、ステップＳ３７０１の動作の開始ｔｃ後（ステップＳ３７０３の動作終了後）に実施する。
ステップＳ３７０６においては、リーダライタＡ１の制御部１１がカードＡ３からの応答データ５１が無いと判別する。
ステップＳ３７０７においては、リーダライタＡ１の制御部１１が紛失カードＩＤ番号６０１（カードＡ３のＩＤ番号）と警告コマンド６０２を含む判別情報データ６０を警告部１５、表示部１６、記録部１７に送信する。送信は、ステップＳ３７０５の動作の開始ｔｃ後に実施する。
ステップＳ３７０８においては、警告部１５がアラームやブザー等の警告を発し、異常を周囲に伝達する。
ステップＳ３７０９においては、表示部１６がカード紛失といった判別情報６２、紛失カードＩＤ情報６０１、該当リーダライタＩＤ情報６０３を表示し、異常を周囲に伝達する。
ステップＳ３７１０においては、記録部１７の制御部１７１が、判別情報６２、紛失カードＩＤ情報６０１、該当リーダライタＩＤ情報６０３をメモリ１７２に書込み記録する。
ステップＳ３７０１〜ステップＳ３７１０の動作を繰返す。
ステップＳ３７１１においては、記録部１７を操作し、記録部１７の制御部１７１から紛失破損カードＩＤ情報６４１、該当リーダライタＩＤ情報６４２をメモリ１７２から読出し、表示部１６に送信し、表示部１６において前記情報を表示し、異常を周囲に伝達する。
ステップＳ３７０１〜ステップＳ３７１１の間においても図１４９（ｂ）に示すステップＳ３７１２〜ステップＳ３７１４が実施される。
ステップＳ３７１２においては、リーダライタＢ１００内の制御部１１１がメモリ１１４からカードＢ４のＩＤ情報５７１を読出し、カードＢ質問データ５７を送受信部１１２で変調、コイル１１３から送信する。メモリ１１４にはカードＢ８のＩＤ情報５７１のみが書き込まれている。
ステップＳ３７１３においては、カードＢ８の送受信部８３が受信しカードＢ質問データ５７に復調、制御部８１がカードＢ質問データ５７内のカードＢ７のＩＤ情報５７１をメモリ内８３のカードＢ７のＩＤ情報５８１を読込み、カードＢ質問データ５７内のカードＢ７のＩＤ情報５７１とメモリ７３内のカードＢ７のＩＤ情報５８１が同一であると判別、カードＢからの応答データ５８を送受信部８２から送信する。
ステップＳ３７１４においては、カードＢからの応答データ５８をリーダライタＢ１００のコイル１１３、送受信部１１２で復調、制御部１１１でメモリ１１４からカードＢ７のＩＤ情報５８１を読出し、カードＢからの応答データ５８のカードＢのＩＤ情報５７１が同一であり、カードＢ８が送受信可能エリア２内にあると判別する。
ステップＳ３７１２〜ステップＳ３７１４を繰り返す。
【０２５２】
この発明の実施の形態３７では、以上のように構成されているため、特定のカードまたはタグに対してデータを送受信する場合において、前記のリーダライタが複数ある場合にどのリーダライタのどのカードまたはタグが異常となったことをリアルに判別、異常を警告音と表示の２通りの方法で伝達でき、警告音の届かない場所においても表示手段により異常、該当のカードＩＤをリアルに発見、対処できると共に、過去のカードまたはタグの異常や該当のカードＩＤの記録を表示できることにより管理者がこれらの情報を元に一元管理し易くなるため、カードまたはタグの管理の効率を上がるという効果がある。
【０２５３】
実施の形態３８．
図１５０は、この発明の実施の形態３８における非接触ＩＣカードシステムの構成図である。図に示すように、全てのリーダライタ動作を制御したり、リーダライタからのカード有無判別情報データを元に警告部１５に判別情報データ６０を送信する全体制御部１９が設けられている。リーダライタＡ１の送受信可能エリア２とリーダライタＢ１００の送受信可能エリア２１の共通エリア２２が設定されている。なお、図１５０においては、リーダライタＡ１の送受信可能エリア２とリーダライタＢ１００の送受信可能エリア２１とが、垂直に交わっている例が示されているが、この場合に限らず、これらの送受信可能エリア２および２１の一部分どうしが重なりあって共通エリア２２が設定されていれば本実施の形態はすべて適用可能とする。その他の図番の説明は、発明の実施の形態１２における図４３と同一のため説明を省略する。本実施の形態においては、リーダライタが複数個（図では２個、符号１および１００）設置され、複数のリーダライタは、複数個のリーダライタを一組として指定する特定の１つあるいは複数の記録媒体とデータの送受信を行い、全てのリーダライタが、当該記録媒体のエリア外への移動および破損あるいは規定外の記録媒体のエリアでの存在を検知して、警告を発するものとする。
【０２５４】
図１５１は、この発明の実施の形態３８における非接触ＩＣカードシステムの構成の詳細図である。図に示すように、全てのリーダライタ動作を制御したり、リーダライタからのカード有無判別情報データを元に警告部１５に判別情報データ６０を送信する全体制御部１９が設けられている。その他の図番の説明は、発明の実施の形態１２における図４４と同一のため説明を省略する。
【０２５５】
図１５２は、この発明の実施の形態３８における非接触ＩＣカードシステムにおけるタイミングチャート・プロトコル図である。図に示すように、リーダライタＡおよびＢから、カード有無判別情報データ６００が送信される。カード有無判別情報データ６００には、紛失カードＩＤ番号情報６００１と、カード有または無の判別情報６００２と、該当リーダライタＩＤ番号情報６００３とが含まれる。その他の図番の説明は、この発明の実施の形態１２における図４５と同一のため説明を省略する。
【０２５６】
次に、実施の形態３８の動作について図１５３及び図１５４のフローチャートを参照しながら説明する。図１５３及び図１５４において、まず、ステップＳ３８０１においては、リーダライタＡ１内の制御部１１がメモリ１４から予め格納されているカードＡ３のＩＤ情報５０１を読出し、カードＡに対する質問データ５０を送受信部１２で変調し、コイル１３から送信する。なお、本実施の形態においては、対象となるＩＣカードがカードＡ３を想定しているので、メモリ１４にはカードＡ３のＩＤ情報５０１のみが書き込まれている。カードＡ３はリーダライタＡ１の送受信可能エリア２とリーダライタＢ１００の送受信可能エリア２１の共通エリア２２にいると仮定する。
ステップＳ３８０２においては、カードＡ３がリーダライタＡ１の送受信可能エリア２にいるため、カードＡ３の送受信部３２が質問データ５０を受信し復調し、次に、制御部３１が、質問データ５０内のカードＡ３のＩＤ情報５０１とメモリ３３内に予め格納されているカードＡ３のＩＤ情報５１１とを比較して、質問データ５０内のカードＡ３のＩＤ情報５０１とメモリ３３内のカードＡ３のＩＤ情報５１１とが同一であると判別したときに、カードＡ３からの応答データ５１を生成して、送受信部３２から送信する。
ステップＳ３８０３においては、カードＡ３からの応答データ５１をリーダライタ１のコイル１３で受信し、送受信部１２で復調し、制御部１１でメモリ１４からカードＡ３のＩＤ情報５０１を読出し、それとカードＡ３からの応答データ５１内のＩＤ情報５１１とが同一であったときに、カードＡ３が送受信可能エリア２内にあると判別し，有の判別情報６００２を含むカード有無判別情報データ６００を全体制御部１９に送信する。
ステップＳ３８０４においては、リーダライタＢ１００内の制御部１１１がメモリ１１４から予め格納されているカードＡ３のＩＤ情報５０１を読出し、カードＡに対する質問データ５０を送受信部１１２で変調し、コイル１１３から送信する。
ステップＳ３８０５においては、カードＡ３がリーダライタＢ１００の送受信可能エリア２１にいるため、カードＡ３の送受信部３２が質問データ５０を受信し復調し、次に、制御部３１が、質問データ５０内のカードＡ３のＩＤ情報５０１とメモリ３３内に予め格納されているカードＡ３のＩＤ情報５１１とを比較して、質問データ５０内のカードＡ３のＩＤ情報５０１とメモリ３３内のカードＡ３のＩＤ情報５１１とが同一であると判別したときに、カードＡ３からの応答データ５１を生成して、送受信部３２から送信する。
ステップＳ３８０６においては、カードＡ３からの応答データ５１をリーダライタＢ１００のコイル１１３で受信し、送受信部１１２で復調し、制御部１１１でメモリ１１４からカードＡ３のＩＤ情報５０１を読出し、それとカードＡ３からの応答データ５１内のＩＤ情報５１１とが同一であったときに、カードＡ３が送受信可能エリア２１内にあると判別し，有の判別情報６００２を含むカード有無判別情報データ６００を全体制御部１９に送信する。
ステップＳ３８０７においては、カードＡ３がリーダライタＡ１の送受信可能エリア２とリーダライタＢ１００の送受信可能エリア２１の共通エリア２２を外れ、前記共通エリア２２外のリーダライタＢ１００の送受信可能エリア２１に移動する。
ステップＳ３８０８においては、ステップＳ３８０１と同一のため説明を省略する。
ステップＳ３８０９においては、リーダライタＡ１の制御部１１がカードＡ３からの応答データ５１が無い場合に、カードＡ３が送受信可能エリア２内に無いと判別（第一の検知手段）し，無の判別情報６００２を含むカード有無判別情報データ６００を全体制御部１９に送信する。
ステップＳ３８１０〜ステップＳ３８１２においては、ステップＳ３８０４〜ステップＳ３８０６と同一のため説明を省略する。
ステップＳ３８１３においては、カードＡ３がリーダライタＢ１００の送受信可能エリア２１を外れ、リーダライタＡ１の送受信可能エリア２とリーダライタＢ１００の送受信可能エリア２１の外に移動する。
ステップＳ３８１４〜ステップＳ３８１５においては、ステップＳ３８０８〜ステップＳ３８０９と同一のため説明を省略する。
ステップＳ３８１６においては、ステップＳ３８０１と同一のため説明を省略する。
ステップＳ３８１７においては、リーダライタＢ２の制御部１１１がカードＡ３からの応答データ５１が無い場合に、カードＡ３が送受信可能エリア２１内に無いと判別（第一の検知手段）し，無の判別情報６００２を含むカード有無判別情報データ６００を全体制御部１９に送信する。
ステップＳ３８１８においては、全体制御部１９が紛失カードＩＤ番号６０１（カードA３のＩＤ番号）と警告コマンド６０２を含む判別情報データ６０を警告部１５に送信する。
ステップＳ３８１９においては、警告部１５がアラームやブザー等の警告を発し、異常を周囲に伝達する。
【０２５７】
この発明の実施の形態３８では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、カードまたはタグが異常となったことをリアルに判別、異常を伝達することにより、異常や紛失を防ぐことが出来るため、より広範囲に安全性や管理性を高めてデータを送受信できるという効果がある。
なお、上述の説明においては、異常や紛失が発生したときに、警告を発生する例について述べたが、その場合に限らず、異常および紛失を検知したリーダライタのＩＤ情報を警告情報として表示手段により表示するようにしてもよい。
【０２５８】
実施の形態３９．
図１５５は、この発明の実施の形態３９における非接触ＩＣカードシステムの構成図である。図番の説明は、発明の実施の形態２における図５、ならびに発明の実施の形態３８における図１５０と同一のため説明を省略する。
【０２５９】
図１５６は、この発明の実施の形態３９における非接触ＩＣカードシステムの構成の詳細図である。図番の説明は、発明の実施の形態２における図６、ならびに発明の実施の形態３８における図１５１と同一のため説明を省略する。
【０２６０】
図１５７及び図１５８は、この発明の実施の形態３９における非接触ＩＣカードシステムにおけるタイミングチャート・プロトコル図である。図番の説明は、発明の実施の形態２における図７、ならびに発明の実施の形態３８における図１５２と同一のため説明を省略する。
【０２６１】
図１５９は、この発明の実施の形態３９の他の実施の形態におけるにおける非接触ＩＣカードシステムにおけるタイミングチャート・プロトコル図である。図番の説明は、発明の実施の形態２における図７、ならびに発明の実施の形態３８における図１５７と同一のため説明を省略する。
【０２６２】
次に、実施の形態３９の動作について図１６０のフローチャートを参照しながら説明する。  図１６０において、ステップＳ３９０１〜ステップＳ３９０３においては、ステップＳ３８０１〜ステップＳ３８０３と同一のため説明を省略する。
ステップＳ３９０４〜ステップＳ３９０６においては、ステップＳ３８０４〜ステップＳ３８０６と同一のため説明を省略する。
ステップＳ３９０７においては、カードＤ７がリーダライタＡ１の送受信可能エリア２内に入る。
ステップＳ３９０８においては、カードＤ７が応答データ５６を送信する。
ステップＳ３９０９においては、リーダライタＡがカードＤ７応答データ５６を受信して、送受信可能エリア２に規定外カード有と判別し、規定外カード有の判別情報６００を全体制御部１９に送信する。
ステップＳ３９１０においては、全体制御部１９が紛失カードＩＤ番号６０１（カードA３のＩＤ番号）と警告コマンド６０２を含む判別情報データ６０を警告部１５に送信する。
ステップＳ３９１１においては、警告部１５がアラームやブザー等の警告を発し、異常を周囲に伝達する。
【０２６３】
次に、実施の形態３９の動作の他の実施の形態について図１６１のフローチャートを参照しながら説明する。図１６１において、ステップＳ３９００１〜ステップＳ３９００３においては、図１５３のステップＳ３８０１〜ステップＳ３８０３と同一のため説明を省略する。
ステップＳ３９００４〜ステップＳ３９００６においては、ステップＳ３８０４〜ステップＳ３８０６と同一のため説明を省略する。
ステップＳ３９００７においては、カードＤ７がリーダライタＢ２の送受信可能エリア２１内に入る。
ステップＳ３９００８においては、カードＤ７が応答データ５６を送信する。
ステップＳ３９００９においては、リーダライタＡ１がカードＤ７応答データ５６を受信して、送受信可能エリア２に規定外カード有と判別し、規定外カード有の判別情報６００を全体制御部１９に送信する。
ステップＳ３９０１０においては、全体制御部１９が紛失カードＩＤ番号６０１（カードＡ３のＩＤ番号）と警告コマンド６０２を含む判別情報データ６０を警告部１５に送信する。
ステップＳ３９０１１においては、警告部１５がアラームやブザー等の警告を発し、異常を周囲に伝達する。
【０２６４】
この発明の実施の形態３９では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、特定外のカードまたはタグがデータの送受信可能エリアに入ったことをリアルに判別、異常を伝達することにより、異常や紛失を防ぐことが出来るため、より広範囲に安全性や管理性を高めてデータを送受信できるという効果がある。
【０２６５】
実施の形態４０．
図１６２は、この発明の実施の形態４０における非接触ＩＣカードシステムの構成図である。図番の説明は、発明の実施の形態２における図５、ならびに発明の実施の形態３８における図１５０と同一のため説明を省略する。
【０２６６】
図１６３は、この発明の実施の形態４０における非接触ＩＣカードシステムの構成の詳細図である。図番の説明は、発明の実施の形態２における図６、ならびに発明の実施の形態３８における図１５１と同一のため説明を省略する。
【０２６７】
図１６４は、この発明の実施の形態４０における非接触ＩＣカードシステムにおけるタイミングチャート・プロトコル図である。図番の説明は、発明の実施の形態２における図７、ならびに発明の実施の形態３８における図１５２と同一のため説明を省略する。
【０２６８】
次に、実施の形態４０の動作について図１６５のフローチャートを参照しながら説明する。
図１６５において、まず、ステップＳ４００１においては、ステップＳ３８０１と同一のため説明を省略する。
ステップＳ４００２においては、リーダライタＡ１の制御部１１がカードＡ３からの応答データ５１が無い場合に、カードＡ３が送受信可能エリア２内で破損と判別（第三の検知手段）し，無・破損の判別情報６００２を含むカード有無判別情報データ６００を全体制御部１９に送信する。
ステップＳ４００３においては、ステップＳ３８０４と同一のため説明を省略する。
ステップＳ４００４においては、リーダライタＢ２の制御部１１１がカードＡ３からの応答データ５１が無い場合に、カードＡ３が送受信可能エリア２１内で破損と判別（第三の検知手段）し，無・破損の判別情報６００２を含むカード有無判別情報データ６００を全体制御部１９に送信する。
ステップＳ４００５においては、全体制御部１９が紛失カードＩＤ番号６０１（カードＡ３のＩＤ番号）と警告コマンド６０２を含む判別情報データ６０を警告部１５に送信する。
ステップＳ４００６においては、警告部１５がアラームやブザー等の警告を発し、異常を周囲に伝達する。
ステップＳ４００７においては、カードＡ３がリーダライタＡ１の送受信可能エリア２とリーダライタＢ１００の送受信可能エリア２１の共通エリア２２を外れ、前記共通エリア２２外のリーダライタＢ１００の送受信可能エリア２１に移動する。
ステップＳ４００８〜ステップＳ４００９においては、ステップＳ４００１〜ステップＳ４００２と同一のため説明を省略する。
ステップＳ４０１０〜ステップＳ４０１１においては、ステップＳ４００３〜ステップＳ４００４と同一のため説明を省略する。
ステップＳ４０１２〜ステップＳ４０１３においては、ステップＳ４００５〜ステップＳ４００６と同一のため説明を省略する。
【０２６９】
この発明の実施の形態４０では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、特定のカードまたはタグが破損したことをリアルに判別、異常を伝達することにより、異常を防ぐことが出来るため、より広範囲に安全性や管理性を高めてデータを送受信できるという効果がある。
【０２７０】
実施の形態４１．
図１６６は、この発明の実施の形態４１における非接触ＩＣカードシステムの構成図である。図番の説明は、発明の実施の形態７における図２１、ならびに発明の実施の形態３８における図１５０と同一のため説明を省略する。
【０２７１】
図１６７は、この発明の実施の形態４１における非接触ＩＣカードシステムの構成の詳細図である。図番の説明は、発明の実施の形態７における図２２、ならびに発明の実施の形態３８における図１５１と同一のため説明を省略する。
【０２７２】
図１６８及び図１６９は、この発明の実施の形態４１における非接触ＩＣカードシステムにおけるタイミングチャート・プロトコル図である。図番の説明は、発明の実施の形態７における図２３、ならびに発明の実施の形態３８における図１５２と同一のため説明を省略する。
【０２７３】
図１７０は、この発明の実施の形態４１の非接触ＩＣカードシステムにおける表示部の表示画面である。表示部１６による警告メッセージ表示６２の一例を示す。
【０２７４】
次に、実施の形態４１の動作について図１７１及び図１７２のフローチャートを参照しながら説明する。図１７１及び図１７２において、まず、ステップＳ４１０１〜ステップＳ４１１７においては、ステップＳ３８０１〜ステップＳ３８１７と同一のため説明を省略する。
ステップＳ４１１８においては、全体制御部１９が判別情報データ６０を警告部１５および／または表示部１６に送信する。
ステップＳ４１１９においては、警告部１５がアラームやブザー等の警告６１を発し、異常を周囲に伝達する。
ステップＳ４１２０においては、表示部１６が判別情報データ６０を元にカード紛失という警告メッセージ６２表示し、異常を周囲に伝達する（表示手段）。
【０２７５】
図１７３は、この発明の実施の形態４１における他の一実施の形態における非接触ＩＣカードシステムにおけるタイミングチャート・プロトコル図である。図番の説明は、発明の実施の形態７における図２３、ならびに発明の実施の形態４０における図１６４と同一のため説明を省略する。
【０２７６】
次に、実施の形態４１の他の一実施の形態における動作について図１７４のフローチャートを参照しながら説明する。図１７４において、まず、ステップＳ４１００１〜ステップＳ４１００２においては、図１６５のステップＳ４００１〜ステップＳ４００２と同一のため説明を省略する。
ステップＳ４１００３〜ステップＳ４１００４においては、図１６５のステップＳ４００３〜ステップＳ４００４と同一のため説明を省略する。
ステップＳ４１００５においては、全体制御部１９が判別情報データ６０を警告部１５および／または表示部１６に送信する。
ステップＳ４１００６においては、警告部１５がアラームやブザー等の警告６１を発し、異常を周囲に伝達する。
ステップＳ４１００７においては、表示部１６が判別情報データ６０を元にカード紛失・異常という警告メッセージ６２表示し、異常を周囲に伝達する（表示手段）。
ステップＳ４１００８においては、カードＡ３がリーダライタＡ１の送受信可能エリア２とリーダライタＢ１００の送受信可能エリア２１の共通エリア２２を外れ、前記共通エリア２２外のリーダライタＢ１００の送受信可能エリア２１に移動する。
ステップＳ４１００９〜ステップＳ４１０１０においては、ステップＳ４１００１〜ステップＳ４１００２と同一のため説明を省略する。
ステップＳ４１０１１〜ステップＳ４１０１２においては、ステップＳ４１００３〜ステップＳ４１００４と同一のため説明を省略する。
ステップＳ４１０１３においては、全体制御部１９が判別情報データ６０を警告部１５および／または表示部１６に送信する。
ステップＳ４１０１４においては、警告部１５がアラームやブザー等の警告６１を発し、異常を周囲に伝達する。
ステップＳ４１０１５においては、表示部１６が判別情報データ６０を元にカード紛失・異常という警告メッセージ６２表示し、異常を周囲に伝達する（表示手段）。
【０２７７】
この発明の実施の形態４１では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、カードまたはタグがデータの送受信可能エリアを外れたこと、破損したことをリアルに判別し、異常を警告音と表示の２通りの方法で伝達でき、警告音の届かない場所においても表示手段により異常をリアルに発見、対処できるため、より広範囲に安全性や管理性を高めてデータを送受信できるという効果がある。
【０２７８】
実施の形態４２．
図１７５は、この発明の実施の形態４２における非接触ＩＣカードシステムの構成図である。図番の説明は、発明の実施の形態４１における図１６６と同一のため説明を省略する。
【０２７９】
図１７６は、この発明の実施の形態４２における非接触ＩＣカードシステムの構成の詳細図である。図番の説明は、発明の実施の形態４１における図１６７と同一のため説明を省略する。
【０２８０】
図１７７及び図１７８は、この発明の実施の形態４２における非接触ＩＣカードシステムにおけるタイミングチャート・プロトコル図である。図番の説明は、発明の実施の形態４１における図１６８及び図１６９と同一のため説明を省略する。
【０２８１】
図１７９は、この発明の実施の形態４２の非接触ＩＣカードシステムにおける表示部の表示画面である。表示部１６による警告メッセージ表示６２の一例を示す。図に示すように、カードＩＤ番号を含む表示メッセージ６２１が表示される。
【０２８２】
次に、実施の形態４２の動作について図１８０及び図１８１のフローチャートを参照しながら説明する。図１８０及び図１８１において、まず、ステップＳ４２０１〜ステップＳ４２１７においては、図１７１及び図１７２のステップＳ４１０１〜ステップＳ４１１７と同一のため説明を省略する。
ステップＳ４２１８においては、全体制御部１９が判別情報データ６０を警告部１５および／または表示部１６に送信する。
ステップＳ４２１９においては、警告部１５がアラームやブザー等の警告６１を発し、異常を周囲に伝達する。
ステップＳ４２２０においては、表示部１６が判別情報データ６０を元にカード紛失という警告メッセージ６２、紛失カードＩＤ情報６２１を表示し、異常を周囲に伝達する。
【０２８３】
この発明の実施の形態４２では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、カードまたはタグがデータの送受信可能エリアを外れたこと、破損したことをリアルに判別し、異常を警告音と表示の２通りの方法で伝達でき、警告音の届かない場所においても表示手段により異常、該当のカードＩＤをリアルに発見、対処できるために、より広範囲に安全性や管理性を高めてデータを送受信できるという効果がある。
【０２８４】
実施の形態４３．
図１８２は、この発明の実施の形態４３における非接触ＩＣカードシステムの構成図である。図番の説明は、発明の実施の形態３９における図１５５と同一のため説明を省略する。
【０２８５】
図１８３は、この発明の実施の形態４３における非接触ＩＣカードシステムの構成の詳細図である。図番の説明は、発明の実施の形態３９における図１５６と同一のため説明を省略する。
【０２８６】
図１８４及び図１８５は、この発明の実施の形態４３における非接触ＩＣカードシステムにおけるタイミングチャート・プロトコル図である。図番の説明は、発明の実施の形態３９における図１５７及び図１５８と同一のため説明を省略する。
【０２８７】
図１８６は、この発明の実施の形態４３の非接触ＩＣカードシステムにおける表示部の表示画面である。表示部１６による警告メッセージ表示６２の一例を示す。
【０２８８】
次に、実施の形態４３の動作の他の実施の形態について図１８７のフローチャートを参照しながら説明する。図１８７において、ステップＳ４３０１〜ステップＳ４３０３においては、図１６０のステップＳ３９０１〜ステップＳ３９０３と同一のため説明を省略する。
ステップＳ４３０４〜ステップＳ４３０６においては、図１６０のステップＳ３９０４〜ステップＳ３９０６と同一のため説明を省略する。
ステップＳ４３０７においては、カードＤ７がリーダライタＢ２の送受信可能エリア２１内に入る。
ステップＳ４３０８においては、カードＤ７が応答データ５６を送信する。
ステップＳ４３０９においては、リーダライタＡ１がカードＤ７応答データ５６を受信して、送受信可能エリア２に規定外カード有と判別し、規定外カード有の判別情報６００を全体制御部１９に送信する。
ステップＳ４３１０においては、全体制御部１９が判別情報データ６０を警告部１５および／または表示部１６に送信する。
ステップＳ４３１１においては、警告部１５がアラームやブザー等の警告６１を発し、異常を周囲に伝達する。
ステップＳ４３１２においては、表示部１６が判別情報データ６０を元にカード紛失という警告メッセージ６２、紛失カードＩＤ情報６２１を表示し、異常を周囲に伝達する。
【０２８９】
この発明の実施の形態４３では、以上のように構成されているため、一つのリーダライタで検知できるエリアにとどまらず、複数のリーダライタが検知できる全てのエリア，即ち一つのリーダライタだけでは検知できないエリア、より広範囲のエリアにおいて、規定外のカードまたはタグがエリアに入ったことをリアルに判別し、異常を警告音と表示の２通りの方法で伝達でき、警告音の届かない場所においても表示手段により異常、該当のカードＩＤをリアルに発見、対処できるために、より広範囲に安全性や管理性を高めてデータを送受信できるという効果がある。
【０２９０】
実施の形態４４．
図１８８は、この発明の実施の形態４４における非接触ＩＣカードシステムの構成図である。図番の説明は、発明の実施の形態３８における図１５０と同一のため説明を省略する。
【０２９１】
図１８９は、この発明の実施の形態４４における非接触ＩＣカードシステムの構成の詳細図である。図番の説明は、発明の実施の形態３８における図１５１と同一のため説明を省略する。
【０２９２】
図１９０及び図１９１は、この発明の実施の形態４４における非接触ＩＣカードシステムにおけるタイミングチャート・プロトコル図である。図番の説明は、この発明の実施の形態３８における図１５２と同一のため説明を省略する。
【０２９３】
図１９２は、この発明の実施の形態４４の非接触ＩＣカードシステムにおける表示部の表示画面である。表示部１６による警告メッセージ表示６２の一例を示す。
【０２９４】
次に、この発明の実施の形態４４の動作について図１９３及び図１９４のフローチャートを参照しながら説明する。図において、まず、ステップＳ４４０１〜ステップＳ４４２０においては、図１８０及び図１８１のステップＳ４２０１〜ステップＳ４２２０と同一のため説明を省略する。ステップＳ４４２１においては、全体制御部１９によりリーダライタ全体の動作を停止する。
【０２９５】
この発明の実施の形態４４では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、規定外のカードまたはタグがエリアに入ったことをリアルに判別し、異常を警告音と表示の２通りの方法で伝達でき、警告音の届かない場所においても表示手段により異常、該当のカードＩＤをリアルに発見、対処できると共に、リーダライタ動作を停止することによりリーダライタの無駄な動作を防ぐことが出来るために、より広範囲に安全性や管理性を高めて無駄な電力を浪費せずにデータを送受信できるという効果がある。
【０２９６】
実施の形態４５．
図１９５は、この発明の実施の形態４５における非接触ＩＣカードシステムの構成図である。図番の説明は、発明の実施の形態４３における図１８２と同一のため説明を省略する。
【０２９７】
図１９６は、この発明の実施の形態４５における非接触ＩＣカードシステムの構成の詳細図である。図番の説明は、発明の実施の形態４３における図１８３と同一のため説明を省略する。
【０２９８】
図１９７及び図１９８は、この発明の実施の形態４５における非接触ＩＣカードシステムにおけるタイミングチャート・プロトコル図である。図番の説明は、発明の実施の形態４３における図１８４及び図１８５と同一のため説明を省略する。
【０２９９】
図１９９は、この発明の実施の形態４５の非接触ＩＣカードシステムにおける表示部の表示画面である。表示部１６による警告メッセージ表示６２の一例を示す。
【０３００】
次に、実施の形態４５の動作の実施の形態について図２００のフローチャートを参照しながら説明する。図２００において、まず、ステップＳ４５０１〜ステップＳ４５１２においては、図１８７のステップＳ４３０１〜ステップＳ４３１２と同一のため説明を省略する。ステップＳ４５１３においては、全体制御部１９によりリーダライタ全体の動作を停止する。
【０３０１】
この発明の実施の形態４５では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、規定外のカードまたはタグがエリアに入ったことをリアルに判別し、異常を警告音と表示の２通りの方法で伝達でき、警告音の届かない場所においても表示手段により異常、該当のカードＩＤをリアルに発見、対処できると共に、リーダライタ動作を停止することによりリーダライタの無駄な動作を防ぐことが出来るために、より広範囲に安全性や管理性を高めて無駄な電力を浪費せずにデータを送受信できるという効果がある。
【０３０２】
実施の形態４６．
図２０１は、この発明の実施の形態４６における非接触ＩＣカードシステムの構成図である。図番の説明は、発明の実施の形態４３における図１８２と同一のため説明を省略する。
【０３０３】
図２０２は、この発明の実施の形態４６における非接触ＩＣカードシステムの構成の詳細図である。図番の説明は、発明の実施の形態４３における図１８３と同一のため説明を省略する。
【０３０４】
図２０３および図２０４は、この発明の実施の形態４６における非接触ＩＣカードシステムにおけるタイミングチャート・プロトコル図である。図番の説明は、発明の実施の形態４３における図１８４及び図１８５と同一のため説明を省略する。
【０３０５】
図２０５は、この発明の実施の形態１６の非接触ＩＣカードシステムにおける表示部の表示画面である。図に示すように、表示部１６は、警告メッセージ表示６２、紛失カードＩＤ番号の表示６０１、該当リーダライタのＩＤ情報の表示６０３を行う。
【０３０６】
図２０６は、この発明の実施の形態１６の非接触ＩＣカードシステムにおける表示部の表示画面で記録部内の情報を表示する際の画面である。図に示すように、表示部１６は、紛失破損のカードＩＤ番号情報の表示６４１、該当リーダライタＩＤ番号情報の表示６４２を行う。
【０３０７】
次に、実施の形態４６の動作の実施の形態について図２０７のフローチャートを参照しながら説明する。図２０７において、まず、ステップＳ４６０１〜ステップＳ４６１２においては、図１８７のステップＳ４３０１〜ステップＳ４３１２と同一のため説明を省略する。ステップＳ４６１３においては、記録部で異常となったリーダライタＩＤ情報、カード情報、判別情報を記録部内メモリに書込む。ステップＳ４６１４においては、記録部でリーダライタＩＤ情報、カード情報を表示部に送り、表示する。
【０３０８】
この発明の実施の形態４６では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、規定外のカードまたはタグがエリアに入ったことをリアルに判別し、異常を警告音と表示の２通りの方法で伝達でき、警告音の届かない場所においても表示手段により異常、該当のカードＩＤをリアルに発見、対処できると共に、リーダライタ動作を停止することによりリーダライタの無駄な動作を防ぐことが出来るために、より広範囲に安全性や管理性を高めて無駄な電力を浪費せずにデータを送受信できるという効果がある。
【０３０９】
実施の形態４７．
図２０８は、この発明の実施の形態４７の一実施の形態における非接触ＩＣカードシステムの構成図である。説明は、発明の実施の形態３８における図１５０と同一のため説明を省略する。
【０３１０】
図２０９は、この発明の実施の形態４７の一実施の形態における非接触ＩＣカードシステムの構成の詳細図である。図において、カードＡ３にはタグに搭載の電池３４が設けられ、カードＢ８にはタグに搭載の電池８４が設けられている。その他の図番の説明は、発明の実施の形態３８における図１５１と同一のため説明を省略する。
【０３１１】
この発明の実施の形態４７の一実施の形態における非接触ＩＣカードシステムにおけるタイミングチャート・プロトコル図は、発明の実施の形態３８における図１５２と同一のため説明を省略する。
【０３１２】
次に、実施の形態４７の動作の一実施の形態について図２１０及び図２１１のフローチャートを参照しながら説明する。図２１０及び図２１１において、まず、ステップＳ４７０１においては、リーダライタＡ１内の制御部１１がメモリ１４から予め格納されているカードＡ３のＩＤ情報５０１を読出し、カードＡに対する質問データ５０を送受信部１２で変調し、コイル１３から送信する。なお、本実施の形態においては、対象となるＩＣカードがカードＡ３を想定しているので、メモリ１４にはカードＡ３のＩＤ情報５０１のみが書き込まれている。カードＡ３はリーダライタＡ１の送受信可能エリア２とリーダライタＢ１００の送受信可能エリア２１の共通エリア２２にいると仮定する。
ステップＳ４７０２においては、カードＡ３がリーダライタＡ１の送受信可能エリア２にいるため、カードＡ３の送受信部３２が質問データ５０を受信し復調し、次に、制御部３１が、カードＡ３内電池３４の供給を受けながら、質問データ５０内のカードＡ３のＩＤ情報５０１とメモリ３３内に予め格納されているカードＡ３のＩＤ情報５１１とを比較して、質問データ５０内のカードＡ３のＩＤ情報５０１とメモリ３３内のカードＡ３のＩＤ情報５１１とが同一であると判別したときに、カードＡ３からの応答データ５１を生成して、送受信部３２から送信する。
ステップＳ４７０３においては、カードＡ３からの応答データ５１をリーダライタ１のコイル１３で受信し、送受信部１２で復調し、制御部１１でメモリ１４からカードＡ３のＩＤ情報５０１を読出し、それとカードＡ３からの応答データ５１内のＩＤ情報５１１とが同一であったときに、カードＡ３が送受信可能エリア２内にあると判別し，有の判別情報６００２を含むカード有無判別情報データ６００を全体制御部１９に送信する。
ステップＳ４７０４においては、リーダライタＢ１００内の制御部１１１がメモリ１１４から予め格納されているカードＡ３のＩＤ情報５０１を読出し、カードＡに対する質問データ５０を送受信部１１２で変調し、コイル１１３から送信する。
ステップＳ４７０５においては、カードＡ３がリーダライタＢ１００の送受信可能エリア２１にいるため、カードＡ３の送受信部３２が質問データ５０を受信し復調し、次に、制御部３１が、カードＡ３内電池３４の供給を受けながら、質問データ５０内のカードＡ３のＩＤ情報５０１とメモリ３３内に予め格納されているカードＡ３のＩＤ情報５１１とを比較して、質問データ５０内のカードＡ３のＩＤ情報５０１とメモリ３３内のカードＡ３のＩＤ情報５１１とが同一であると判別したときに、カードＡ３からの応答データ５１を生成して、送受信部３２から送信する。
ステップＳ４７０６においては、カードＡ３からの応答データ５１をリーダライタＢ１００のコイル１１３で受信し、送受信部１１２で復調し、制御部１１１でメモリ１１４からカードＡ３のＩＤ情報５０１を読出し、それとカードＡ３からの応答データ５１内のＩＤ情報５１１とが同一であったときに、カードＡ３が送受信可能エリア２１内にあると判別し，有の判別情報６００２を含むカード有無判別情報データ６００を全体制御部１９に送信する。
ステップＳ４７０７においては、カードＡ３がリーダライタＡ１の送受信可能エリア２とリーダライタＢ１００の送受信可能エリア２１の共通エリア２２を外れ、前記共通エリア２２外のリーダライタＢ１００の送受信可能エリア２１に移動する。
ステップＳ４７０８においては、ステップＳ４７０１と同一のため説明を省略する。
ステップＳ４７０９においては、リーダライタＡ１の制御部１１がカードＡ３からの応答データ５１が無い場合に、カードＡ３が送受信可能エリア２内に無いと判別（第一の検知手段）し，無の判別情報６００２を含むカード有無判別情報データ６００を全体制御部１９に送信する。
ステップＳ４７１０〜ステップＳ４７１２においては、ステップＳ４７０４〜ステップＳ４７０６と同一のため説明を省略する。
ステップＳ４７１３においては、カードＡ３がリーダライタＢ１００の送受信可能エリア２１を外れ、リーダライタＡ１の送受信可能エリア２とリーダライタＢ１００の送受信可能エリア２１の外に移動する。
ステップＳ４７１４〜ステップＳ４７１５においては、ステップＳ４７０８〜ステップＳ４７０９と同一のため説明を省略する。
ステップＳ４７１６においては、ステップＳ４７０４と同一のため説明を省略する。
ステップＳ４７１７においては、リーダライタＢ２の制御部１１１がカードＡ３からの応答データ５１が無い場合に、カードＡ３が送受信可能エリア２１内に無いと判別（第一の検知手段）し，無の判別情報６００２を含むカード有無判別情報データ６００を全体制御部１９に送信する。
ステップＳ４７１８においては、全体制御部１９が紛失カードＩＤ番号６０１（カードＡ３のＩＤ番号）と警告コマンド６０２を含む判別情報データ６０を警告部１５に送信する。
ステップＳ４７１９においては、警告部１５がアラームやブザー等の警告を発し、異常を周囲に伝達する。
【０３１３】
この発明の実施の形態４７では、以上のように構成されているため、一つのリーダライタで検知できるエリアにとどまらず、複数のリーダライタが検知できる全てのエリア、即ち一つのリーダライタだけでは検知できないエリア、より広範囲のエリアにおいて、更には、カードがデータの電池なしカード用送受信可能エリアよりも広範囲である電池付カード用送受信可能エリアにおいて、カードまたはタグが異常となったことをリアルに判別、異常を伝達することにより、異常や紛失を防ぐことが出来るため、より広範囲に安全性や管理性を高めてデータを送受信できるという効果がある。
【図面の簡単な説明】
【０３１４】
【図１】この発明の実施の形態１に係る非接触ＩＣカードシステムの構成図である。
【図２】この発明の実施の形態１に係る非接触ＩＣカードシステムの詳細な構成を示したブロック図である。
【図３】この発明の実施の形態１に係る非接触ＩＣカードシステムにおける（ａ）タイミングチャートおよび（ｂ）プロトコル図を示した説明図である。
【図４】この発明の実施の形態１に係る非接触ＩＣカードシステムの処理の流れを示したフローチャートである。
【図５】この発明の実施の形態２に係る非接触ＩＣカードシステムの構成図である。
【図６】この発明の実施の形態２に係る非接触ＩＣカードシステムの詳細な構成を示したブロック図である。
【図７】この発明の実施の形態２に係る非接触ＩＣカードシステムにおける（ａ）タイミングチャートおよび（ｂ）プロトコル図を示した説明図である。
【図８】この発明の実施の形態２に係る非接触ＩＣカードシステムの処理の流れを示したフローチャートである。
【図９】この発明の実施の形態３に係る非接触ＩＣカードシステムの構成図である。
【図１０】この発明の実施の形態３に係る非接触ＩＣカードシステムの詳細な構成を示したブロック図である。
【図１１】この発明の実施の形態３に係る非接触ＩＣカードシステムにおける（ａ）タイミングチャートおよび（ｂ）プロトコル図を示した説明図である。
【図１２】この発明の実施の形態３に係る非接触ＩＣカードシステムの処理の流れを示したフローチャートである。
【図１３】この発明の実施の形態４に係る非接触ＩＣカードシステムの構成図である。
【図１４】この発明の実施の形態４に係る非接触ＩＣカードシステムの詳細な構成を示したブロック図である。
【図１５】この発明の実施の形態４に係る非接触ＩＣカードシステムにおける（ａ）タイミングチャートおよび（ｂ）プロトコル図を示した説明図である。
【図１６】この発明の実施の形態４に係る非接触ＩＣカードシステムの処理の流れを示したフローチャートである。
【図１７】この発明の実施の形態５に係る非接触ＩＣカードシステムの構成図である。
【図１８】この発明の実施の形態５に係る非接触ＩＣカードシステムの処理の流れを示したフローチャートである。
【図１９】この発明の実施の形態６に係る非接触ＩＣカードシステムの構成図である。
【図２０】この発明の実施の形態６に係る非接触ＩＣカードシステムの処理の流れを示したフローチャートである。
【図２１】この発明の実施の形態７に係る非接触ＩＣカードシステムの構成図である。
【図２２】この発明の実施の形態７に係る非接触ＩＣカードシステムの詳細な構成を示したブロック図である。
【図２３】この発明の実施の形態７に係る非接触ＩＣカードシステムにおける（ａ）タイミングチャートおよび（ｂ）プロトコル図を示した説明図である。
【図２４】この発明の実施の形態７に係る非接触ＩＣカードシステムにおける表示部の表示画面の一例を示した説明図である。
【図２５】この発明の実施の形態７に係る非接触ＩＣカードシステムの処理の流れを示したフローチャートである。
【図２６】この発明の実施の形態８に係る非接触ＩＣカードシステムの構成図である。
【図２７】この発明の実施の形態８に係る非接触ＩＣカードシステムの詳細な構成を示したブロック図である。
【図２８】この発明の実施の形態８に係る非接触ＩＣカードシステムにおける（ａ）タイミングチャートおよび（ｂ）プロトコル図を示した説明図である。
【図２９】この発明の実施の形態８に係る非接触ＩＣカードシステムにおける表示部の表示画面の一例を示した説明図である。
【図３０】この発明の実施の形態８に係る非接触ＩＣカードシステムの処理の流れを示したフローチャートである。
【図３１】この発明の実施の形態８に係る非接触ＩＣカードシステムの処理の流れの他の例を示したフローチャートである。
【図３２】この発明の実施の形態９に係る非接触ＩＣカードシステムの構成図である。
【図３３】この発明の実施の形態９に係る非接触ＩＣカードシステムにおける（ａ）タイミングチャートおよび（ｂ）プロトコル図を示した説明図である。
【図３４】この発明の実施の形態９に係る非接触ＩＣカードシステムにおける表示部の表示画面の一例を示した説明図である。
【図３５】この発明の実施の形態９に係る非接触ＩＣカードシステムの処理の流れを示したフローチャートである。
【図３６】この発明の実施の形態１０に係る非接触ＩＣカードシステムにおける（ａ）タイミングチャートおよび（ｂ）プロトコル図を示した説明図である。
【図３７】この発明の実施の形態１０に係る非接触ＩＣカードシステムにおける表示部の表示画面の一例を示した説明図である。
【図３８】この発明の実施の形態１０に係る非接触ＩＣカードシステムの処理の流れを示したフローチャートである。
【図３９】この発明の実施の形態１０に係る非接触ＩＣカードシステムの処理の流れの他の例を示したフローチャートである。
【図４０】この発明の実施の形態１１に係る非接触ＩＣカードシステムにおける（ａ）タイミングチャートおよび（ｂ）プロトコル図を示した説明図である。
【図４１】この発明の実施の形態１１に係る非接触ＩＣカードシステムにおける表示部の表示画面の一例を示した説明図である。
【図４２】この発明の実施の形態１１に係る非接触ＩＣカードシステムの処理の流れを示したフローチャートである。
【図４３】この発明の実施の形態１２に係る非接触ＩＣカードシステムの構成図である。
【図４４】この発明の実施の形態１２に係る非接触ＩＣカードシステムの詳細な構成を示したブロック図である。
【図４５】この発明の実施の形態１２に係る非接触ＩＣカードシステムにおける（ａ）タイミングチャートおよび（ｂ）プロトコル図を示した説明図である。
【図４６】この発明の実施の形態１２に係る非接触ＩＣカードシステムにおける表示部の表示画面の一例を示した説明図である。
【図４７】この発明の実施の形態１２に係る非接触ＩＣカードシステムの処理の流れを示したフローチャートである。
【図４８】この発明の実施の形態１２に係る非接触ＩＣカードシステムの処理の流れの他の例を示したフローチャートである。
【図４９】この発明の実施の形態１３に係る非接触ＩＣカードシステムの構成図である。
【図５０】この発明の実施の形態１３に係る非接触ＩＣカードシステムの詳細な構成を示したブロック図である。
【図５１】この発明の実施の形態１３に係る非接触ＩＣカードシステムにおける（ａ）タイミングチャートおよび（ｂ）プロトコル図を示した説明図である。
【図５２】この発明の実施の形態１３に係る非接触ＩＣカードシステムにおける表示部の表示画面の一例を示した説明図である。
【図５３】この発明の実施の形態１３に係る非接触ＩＣカードシステムの処理の流れを示したフローチャートである。
【図５４】この発明の実施の形態１４に係る非接触ＩＣカードシステムにおける表示部の表示画面の一例を示した説明図である。
【図５５】この発明の実施の形態１４に係る非接触ＩＣカードシステムの処理の流れを示したフローチャートである。
【図５６】この発明の実施の形態１５に係る非接触ＩＣカードシステムにおける表示部の表示画面の一例を示した説明図である。
【図５７】この発明の実施の形態１５に係る非接触ＩＣカードシステムの処理の流れを示したフローチャートである。
【図５８】この発明の実施の形態１６に係る非接触ＩＣカードシステムの構成図である。
【図５９】この発明の実施の形態１６に係る非接触ＩＣカードシステムの詳細な構成を示したブロック図である。
【図６０】この発明の実施の形態１６に係る非接触ＩＣカードシステムにおける（ａ）タイミングチャートおよび（ｂ）プロトコル図を示した説明図である。
【図６１】この発明の実施の形態１６に係る非接触ＩＣカードシステムにおける表示部の表示画面の一例を示した説明図である。
【図６２】この発明の実施の形態１６に係る非接触ＩＣカードシステムにおける表示部の表示画面の他の例を示した説明図である。
【図６３】この発明の実施の形態１６に係る非接触ＩＣカードシステムの処理の流れを示したフローチャートである。
【図６４】この発明の実施の形態１７に係る非接触ＩＣカードシステムの構成図である。
【図６５】この発明の実施の形態１７に係る非接触ＩＣカードシステムの詳細な構成を示したブロック図である。
【図６６】この発明の実施の形態１７に係る非接触ＩＣカードシステムにおける（ａ）タイミングチャートおよび（ｂ）プロトコル図を示した説明図である。
【図６７】この発明の実施の形態１７に係る非接触ＩＣカードシステムの処理の流れを示したフローチャートである。
【図６８】この発明の実施の形態１７に係る非接触ＩＣカードシステムの処理の流れを示したフローチャートである。
【図６９】この発明の実施の形態１８に係る非接触ＩＣカードシステムの構成図である。
【図７０】この発明の実施の形態１８に係る非接触ＩＣカードシステムの詳細な構成を示したブロック図である。
【図７１】この発明の実施の形態１８に係る非接触ＩＣカードシステムにおける（ａ）タイミングチャートおよび（ｂ）プロトコル図を示した説明図である。
【図７２】この発明の実施の形態１８に係る非接触ＩＣカードシステムの処理の流れを示したフローチャートである。
【図７３】この発明の実施の形態１８に係る非接触ＩＣカードシステムの処理の流れを示したフローチャートである。
【図７４】この発明の実施の形態１９に係る非接触ＩＣカードシステムの構成図である。
【図７５】この発明の実施の形態１９に係る非接触ＩＣカードシステムの処理の流れを示したフローチャートである。
【図７６】この発明の実施の形態１９に係る非接触ＩＣカードシステムの処理の流れを示したフローチャートである。
【図７７】この発明の実施の形態２０に係る非接触ＩＣカードシステムにおける（ａ）タイミングチャートおよび（ｂ）プロトコル図を示した説明図である。
【図７８】この発明の実施の形態２０に係る非接触ＩＣカードシステムの処理の流れを示したフローチャートである。
【図７９】この発明の実施の形態２０に係る非接触ＩＣカードシステムの処理の流れを示したフローチャートである。
【図８０】この発明の実施の形態２１に係る非接触ＩＣカードシステムの構成図である。
【図８１】この発明の実施の形態２１に係る非接触ＩＣカードシステムの詳細な構成を示したブロック図である。
【図８２】この発明の実施の形態２１に係る非接触ＩＣカードシステムにおける（ａ）タイミングチャートおよび（ｂ）プロトコル図を示した説明図である。
【図８３】この発明の実施の形態２１に係る非接触ＩＣカードシステムにおける表示部の表示画面の一例を示した説明図である。
【図８４】この発明の実施の形態２１に係る非接触ＩＣカードシステムにおける表示部の表示画面の他の例を示した説明図である。
【図８５】この発明の実施の形態２１に係る非接触ＩＣカードシステムの処理の流れを示したフローチャートである。
【図８６】この発明の実施の形態２１に係る非接触ＩＣカードシステムの処理の流れを示したフローチャートである。
【図８７】この発明の実施の形態２２に係る非接触ＩＣカードシステムの構成図である。
【図８８】この発明の実施の形態２２に係る非接触ＩＣカードシステムの詳細な構成を示したブロック図である。
【図８９】この発明の実施の形態２２に係る非接触ＩＣカードシステムにおける（ａ）タイミングチャートおよび（ｂ）プロトコル図を示した説明図である。
【図９０】この発明の実施の形態２２に係る非接触ＩＣカードシステムの処理の流れを示したフローチャートである。
【図９１】この発明の実施の形態２３に係る非接触ＩＣカードシステムの構成図である。
【図９２】この発明の実施の形態２３に係る非接触ＩＣカードシステムの詳細な構成を示したブロック図である。
【図９３】この発明の実施の形態２３に係る非接触ＩＣカードシステムにおける（ａ）タイミングチャートおよび（ｂ）プロトコル図を示した説明図である。
【図９４】この発明の実施の形態２３に係る非接触ＩＣカードシステムの処理の流れを示したフローチャートである。
【図９５】この発明の実施の形態２４に係る非接触ＩＣカードシステムの構成図である。
【図９６】この発明の実施の形態２４に係る非接触ＩＣカードシステムの詳細な構成を示したブロック図である。
【図９７】この発明の実施の形態２４に係る非接触ＩＣカードシステムにおける（ａ）タイミングチャートおよび（ｂ）プロトコル図を示した説明図である。
【図９８】この発明の実施の形態２４に係る非接触ＩＣカードシステムの処理の流れを示したフローチャートである。
【図９９】この発明の実施の形態２５に係る非接触ＩＣカードシステムの構成図である。
【図１００】この発明の実施の形態２５に係る非接触ＩＣカードシステムの詳細な構成を示したブロック図である。
【図１０１】この発明の実施の形態２５に係る非接触ＩＣカードシステムにおける（ａ）タイミングチャートおよび（ｂ）プロトコル図を示した説明図である。
【図１０２】この発明の実施の形態２５に係る非接触ＩＣカードシステムの処理の流れを示したフローチャートである。
【図１０３】この発明の実施の形態２６に係る非接触ＩＣカードシステムの構成図である。
【図１０４】この発明の実施の形態２６に係る非接触ＩＣカードシステムの処理の流れを示したフローチャートである。
【図１０５】この発明の実施の形態２７に係る非接触ＩＣカードシステムの構成図である。
【図１０６】この発明の実施の形態２７に係る非接触ＩＣカードシステムの処理の流れを示したフローチャートである。
【図１０７】この発明の実施の形態２８に係る非接触ＩＣカードシステムの構成図である。
【図１０８】この発明の実施の形態２８に係る非接触ＩＣカードシステムにおける表示部の表示画面の一例を示した説明図である。
【図１０９】この発明の実施の形態２８に係る非接触ＩＣカードシステムの詳細な構成を示したブロック図である。
【図１１０】この発明の実施の形態２８に係る非接触ＩＣカードシステムにおける（ａ）タイミングチャートおよび（ｂ）プロトコル図を示した説明図である。
【図１１１】この発明の実施の形態２８に係る非接触ＩＣカードシステムの処理の流れを示したフローチャートである。
【図１１２】この発明の実施の形態２９に係る非接触ＩＣカードシステムの構成図である。
【図１１３】この発明の実施の形態２９に係る非接触ＩＣカードシステムにおける表示部の表示画面の一例を示した説明図である。
【図１１４】この発明の実施の形態２９に係る非接触ＩＣカードシステムの詳細な構成を示したブロック図である。
【図１１５】この発明の実施の形態２９に係る非接触ＩＣカードシステムにおける（ａ）タイミングチャートおよび（ｂ）プロトコル図を示した説明図である。
【図１１６】この発明の実施の形態２９に係る非接触ＩＣカードシステムの処理の流れを示したフローチャートである。
【図１１７】この発明の実施の形態２９に係る非接触ＩＣカードシステムの処理の流れの他の例を示したフローチャートである。
【図１１８】この発明の実施の形態３０に係る非接触ＩＣカードシステムの構成図である。
【図１１９】この発明の実施の形態３０に係る非接触ＩＣカードシステムにおける（ａ）タイミングチャートおよび（ｂ）プロトコル図を示した説明図である。
【図１２０】この発明の実施の形態３０に係る非接触ＩＣカードシステムにおける表示部の表示画面の一例を示した説明図である。
【図１２１】この発明の実施の形態３０に係る非接触ＩＣカードシステムの処理の流れを示したフローチャートである。
【図１２２】この発明の実施の形態３１に係る非接触ＩＣカードシステムにおける表示部の表示画面の一例を示した説明図である。
【図１２３】この発明の実施の形態３１に係る非接触ＩＣカードシステムにおける（ａ）タイミングチャートおよび（ｂ）プロトコル図を示した説明図である。
【図１２４】この発明の実施の形態３１に係る非接触ＩＣカードシステムの処理の流れを示したフローチャートである。
【図１２５】この発明の実施の形態３１に係る非接触ＩＣカードシステムの処理の流れの他の例を示したフローチャートである。
【図１２６】この発明の実施の形態３２に係る非接触ＩＣカードシステムにおける表示部の表示画面の一例を示した説明図である。
【図１２７】この発明の実施の形態３２に係る非接触ＩＣカードシステムにおける（ａ）タイミングチャートおよび（ｂ）プロトコル図を示した説明図である。
【図１２８】この発明の実施の形態３２に係る非接触ＩＣカードシステムの処理の流れを示したフローチャートである。
【図１２９】この発明の実施の形態３３に係る非接触ＩＣカードシステムの構成図である。
【図１３０】この発明の実施の形態３３に係る非接触ＩＣカードシステムの詳細な構成を示したブロック図である。
【図１３１】この発明の実施の形態３３に係る非接触ＩＣカードシステムにおける（ａ）タイミングチャートおよび（ｂ）プロトコル図を示した説明図である。
【図１３２】この発明の実施の形態３３に係る非接触ＩＣカードシステムにおける表示部の表示画面の一例を示した説明図である。
【図１３３】この発明の実施の形態３３に係る非接触ＩＣカードシステムにおける（ａ）リーダライタＡ側の処理および（ｂ）リーダライタＢ側の処理の流れを示したフローチャートである。
【図１３４】この発明の実施の形態３３に係る非接触ＩＣカードシステムにおける（ａ）リーダライタＡ側の処理および（ｂ）リーダライタＢ側の処理の流れの他の例を示したフローチャートである。
【図１３５】この発明の実施の形態３４に係る非接触ＩＣカードシステムの構成図である。
【図１３６】この発明の実施の形態３４に係る非接触ＩＣカードシステムの詳細な構成を示したブロック図である。
【図１３７】この発明の実施の形態３４に係る非接触ＩＣカードシステムにおける（ａ）タイミングチャートおよび（ｂ）プロトコル図を示した説明図である。
【図１３８】この発明の実施の形態３４に係る非接触ＩＣカードシステムにおける表示部の表示画面の一例を示した説明図である。
【図１３９】この発明の実施の形態３４に係る非接触ＩＣカードシステムにおける（ａ）リーダライタＡ側の処理および（ｂ）リーダライタＢ側の処理の流れを示したフローチャートである。
【図１４０】この発明の実施の形態３５に係る非接触ＩＣカードシステムにおける表示部の表示画面の一例を示した説明図である。
【図１４１】この発明の実施の形態３５に係る非接触ＩＣカードシステムにおける（ａ）リーダライタＡ側の処理および（ｂ）リーダライタＢ側の処理の流れを示したフローチャートである。
【図１４２】この発明の実施の形態３６に係る非接触ＩＣカードシステムにおける表示部の表示画面の一例を示した説明図である。
【図１４３】この発明の実施の形態３６に係る非接触ＩＣカードシステムにおける（ａ）リーダライタＡ側の処理および（ｂ）リーダライタＢ側の処理の流れを示したフローチャートである。
【図１４４】この発明の実施の形態３７に係る非接触ＩＣカードシステムの構成図である。
【図１４５】この発明の実施の形態３７に係る非接触ＩＣカードシステムの詳細な構成を示したブロック図である。
【図１４６】この発明の実施の形態３７に係る非接触ＩＣカードシステムにおける（ａ）タイミングチャートおよび（ｂ）プロトコル図を示した説明図である。
【図１４７】この発明の実施の形態３７に係る非接触ＩＣカードシステムにおける表示部の表示画面の一例を示した説明図である。
【図１４８】この発明の実施の形態３７に係る非接触ＩＣカードシステムにおける表示部の表示画面の他の一例を示した説明図である。
【図１４９】この発明の実施の形態３７に係る非接触ＩＣカードシステムにおける（ａ）リーダライタＡ側の処理および（ｂ）リーダライタＢ側の処理の流れを示したフローチャートである。
【図１５０】この発明の実施の形態３８における非接触ＩＣカードシステムの構成図である。
【図１５１】この発明の実施の形態３８における非接触ＩＣカードシステムの構成の詳細図である。
【図１５２】この発明の実施の形態３８における非接触ＩＣカードシステムにおける（ａ）タイミングチャートおよび（ｂ）プロトコル図を示した説明図である。
【図１５３】この発明の実施の形態３８における非接触ＩＣカードシステムにおける動作を表すフローチャートである。
【図１５４】この発明の実施の形態３８における非接触ＩＣカードシステムにおける動作を表すフローチャートである。
【図１５５】この発明の実施の形態３９における非接触ＩＣカードシステムの構成図である。
【図１５６】この発明の実施の形態３９における非接触ＩＣカードシステムの構成の詳細図である。
【図１５７】この発明の実施の形態３９における非接触ＩＣカードシステムにおけるタイミングチャートを示した説明図である。
【図１５８】この発明の実施の形態３９における非接触ＩＣカードシステムにおけるプロトコル図を示した説明図である。
【図１５９】この発明の実施の形態３９の他の実施の形態におけるにおける非接触ＩＣカードシステムにおけるタイミングチャートを示す説明図である。
【図１６０】この発明の実施の形態３９における非接触ＩＣカードシステムにおける動作を表すフローチャートである。
【図１６１】この発明の実施の形態３９の他の実施の形態における非接触ＩＣカードシステムにおける動作を表すフローチャートである。
【図１６２】この発明の実施の形態４０における非接触ＩＣカードシステムの構成図である。
【図１６３】この発明の実施の形態４０における非接触ＩＣカードシステムの構成の詳細図である。
【図１６４】この発明の実施の形態４０における非接触ＩＣカードシステムにおける（ａ）タイミングチャートおよび（ｂ）プロトコル図を示す説明図である。
【図１６５】この発明の実施の形態４０における非接触ＩＣカードシステムにおける動作を表すフローチャートである。
【図１６６】この発明の実施の形態４１における非接触ＩＣカードシステムの構成図である。
【図１６７】この発明の実施の形態４１における非接触ＩＣカードシステムの構成の詳細図である。
【図１６８】この発明の実施の形態４１における非接触ＩＣカードシステムにおけるタイミングチャートを示す説明図である。
【図１６９】この発明の実施の形態４１における非接触ＩＣカードシステムにおけるプロトコル図を示す説明図である。
【図１７０】この発明の実施の形態４１の非接触ＩＣカードシステムにおける表示部の表示画面である。
【図１７１】この発明の実施の形態４１における非接触ＩＣカードシステムにおける動作を表すフローチャートである。
【図１７２】この発明の実施の形態４１における非接触ＩＣカードシステムにおける動作を表すフローチャートである。
【図１７３】この発明の実施の形態４１における非接触ＩＣカードシステムにおける他の実施の形態におけるタイミングチャートを示す説明図である。
【図１７４】この発明の実施の形態４１における非接触ＩＣカードシステムにおける他の実施の形態における動作を表すフローチャートである。
【図１７５】この発明の実施の形態４２における非接触ＩＣカードシステムの構成図である。
【図１７６】この発明の実施の形態４２における非接触ＩＣカードシステムの構成の詳細図である。
【図１７７】この発明の実施の形態４２における非接触ＩＣカードシステムにおけるタイミングチャートを示す説明図である。
【図１７８】この発明の実施の形態４２における非接触ＩＣカードシステムにおけるプロトコル図を示す説明図である。
【図１７９】この発明の実施の形態４２の非接触ＩＣカードシステムにおける表示部の表示画面である。
【図１８０】この発明の実施の形態４２における非接触ＩＣカードシステムにおける動作を表すフローチャートである。
【図１８１】この発明の実施の形態４２における非接触ＩＣカードシステムにおける動作を表すフローチャートである。
【図１８２】この発明の実施の形態４３における非接触ＩＣカードシステムの構成図である。
【図１８３】この発明の実施の形態４３における非接触ＩＣカードシステムの構成の詳細図である。
【図１８４】この発明の実施の形態４３における非接触ＩＣカードシステムにおけるタイミングチャートを示す説明図である。
【図１８５】この発明の実施の形態４３における非接触ＩＣカードシステムにおけるプロトコル図を示す説明図である。
【図１８６】この発明の実施の形態４３の非接触ＩＣカードシステムにおける表示部の表示画面である。
【図１８７】この発明の実施の形態４３における非接触ＩＣカードシステムにおける動作を表すフローチャートである。
【図１８８】この発明の実施の形態４４における非接触ＩＣカードシステムの構成図である。
【図１８９】この発明の実施の形態４４における非接触ＩＣカードシステムの構成の詳細図である。
【図１９０】この発明の実施の形態４４における非接触ＩＣカードシステムにおけるタイミングチャートを示す説明図である。
【図１９１】この発明の実施の形態４４における非接触ＩＣカードシステムにおけるプロトコル図を示す説明図である。
【図１９２】この発明の実施の形態４４の非接触ＩＣカードシステムにおける表示部の表示画面である。
【図１９３】この発明の実施の形態４４における非接触ＩＣカードシステムにおける動作を表すフローチャートである。
【図１９４】この発明の実施の形態４４における非接触ＩＣカードシステムにおける動作を表すフローチャートである。
【図１９５】この発明の実施の形態４５における非接触ＩＣカードシステムの構成図である。
【図１９６】この発明の実施の形態４５における非接触ＩＣカードシステムの構成の詳細図である。
【図１９７】この発明の実施の形態４５における非接触ＩＣカードシステムにおけるタイミングチャートを示す説明図である。
【図１９８】この発明の実施の形態４５における非接触ＩＣカードシステムにおけるプロトコル図を示す説明図である。
【図１９９】この発明の実施の形態４５の非接触ＩＣカードシステムにおける表示部の表示画面である。
【図２００】この発明の実施の形態４５における非接触ＩＣカードシステムにおける動作を表すフローチャートである。
【図２０１】この発明の実施の形態４６における非接触ＩＣカードシステムの構成図である。
【図２０２】この発明の実施の形態４６における非接触ＩＣカードシステムの構成の詳細図である。
【図２０３】この発明の実施の形態４６における非接触ＩＣカードシステムにおけるタイミングチャートを示す説明図である。
【図２０４】この発明の実施の形態４６における非接触ＩＣカードシステムにおけるプロトコル図を示す説明図である。
【図２０５】この発明の実施の形態４６の非接触ＩＣカードシステムにおける表示部の表示画面である。
【図２０６】この発明の実施の形態４６の非接触ＩＣカードシステムにおける表示部の表示画面で記録部内の情報を表示する際の画面である。
【図２０７】この発明の実施の形態４６における非接触ＩＣカードシステムにおける動作を表すフローチャートである。
【図２０８】この発明の実施の形態４７における非接触ＩＣカードシステムの構成図である。
【図２０９】この発明の実施の形態４７における非接触ＩＣカードシステムの構成の詳細図である。
【図２１０】この発明の実施の形態４７における非接触ＩＣカードシステムにおける動作を表すフローチャートである。
【図２１１】この発明の実施の形態４７における非接触ＩＣカードシステムにおける動作を表すフローチャートである。
【符号の説明】
【０３１５】
１  リーダライタ、２  送受信可能エリア、３  カードＡ、４  カードＤ、７  カードＤ、８  カードＢ、９  壁、１０  電池付カード用送受信可能エリア、１１  制御部、１２  送受信部、１３  コイル、１４  メモリ、１５  警告部、１６  表示部、１７  記録部、１８  スイッチ、１９  全てのリーダライタを制御する制御部、２０  送受信可能エリア、２１  送受信可能エリア、３１  制御部、３２  送受信部、３３  メモリ、３４、  電池、４１  制御部、４２  送受信部、４３  メモリ、５０  質問データ、５１  応答データ、５２  質問データ、５３  応答データ、５６  応答データ、５７  質問データ、５８  応答データ、６０  判別情報データ、６１  警告、６２  警告メッセージ表示、６３  記録動作、６４  記録動作、７１  制御部、７２  送受信部、７３  メモリ、７４  電池、８１  制御部、８２  送受信部、８３  メモリ、９０  机Ａ、９１  机Ｂ、１００  リーダライタＢ、１０１  電池付カード用送受信可能エリア、１１１  制御部、１１２  送受信部、１１３  コイル、１１４  メモリ、１３１  コイルＢ、１７１  制御部、１７２  メモリ、５０１  ＩＤ情報、５１１  ＩＤ情報、５２１  ＩＤ情報、５３１  ＩＤ情報、５６１  ＩＤ情報、５７１  ＩＤ情報、５８１  ＩＤ情報、６００  カード有無判別情報データ、６０１  ＩＤ番号情報、６０２  警告コマンド、６０３  ＩＤ情報、６２１  紛失カードＩＤ番号の表示、６４１  ＩＤ番号情報、６４２  ＩＤ番号情報、６００１  カード有無判別情報データ６００における紛失カード・ＩＤ番号情報、６００２  カード有無判別情報データ６００におけるカード有または無の判別情報、６００３  カード有無判別情報データ６００における該当リーダライタ・ＩＤ番号情報。
【図１】
2005158024.tif 000003
【図２】
2005158024.tif 000004
【図３】
2005158024.tif 000005
【図４】
2005158024.tif 000006
【図５】
2005158024.tif 000007
【図６】
2005158024.tif 000008
【図７】
2005158024.tif 000009
【図８】
2005158024.tif 000010
【図９】
2005158024.tif 000011
【図１０】
2005158024.tif 000012
【図１１】
2005158024.tif 000013
【図１２】
2005158024.tif 000014
【図１３】
2005158024.tif 000015
【図１４】
2005158024.tif 000016
【図１５】
2005158024.tif 000017
【図１６】
2005158024.tif 000018
【図１７】
2005158024.tif 000019
【図１８】
2005158024.tif 000020
【図１９】
2005158024.tif 000021
【図２０】
2005158024.tif 000022
【図２１】
2005158024.tif 000023
【図２２】
2005158024.tif 000024
【図２３】
2005158024.tif 000025
【図２４】
2005158024.tif 000026
【図２５】
2005158024.tif 000027
【図２６】
2005158024.tif 000028
【図２７】
2005158024.tif 000029
【図２８】
2005158024.tif 000030
【図２９】
2005158024.tif 000031
【図３０】
2005158024.tif 000032
【図３１】
2005158024.tif 000033
【図３２】
2005158024.tif 000034
【図３３】
2005158024.tif 000035
【図３４】
2005158024.tif 000036
【図３５】
2005158024.tif 000037
【図３６】
2005158024.tif 000038
【図３７】
2005158024.tif 000039
【図３８】
2005158024.tif 000040
【図３９】
2005158024.tif 000041
【図４０】
2005158024.tif 000042
【図４１】
2005158024.tif 000043
【図４２】
2005158024.tif 000044
【図４３】
2005158024.tif 000045
【図４４】
2005158024.tif 000046
【図４５】
2005158024.tif 000047
【図４６】
2005158024.tif 000048
【図４７】
2005158024.tif 000049
【図４８】
2005158024.tif 000050
【図４９】
2005158024.tif 000051
【図５０】
2005158024.tif 000052
【図５１】
2005158024.tif 000053
【図５２】
2005158024.tif 000054
【図５３】
2005158024.tif 000055
【図５４】
2005158024.tif 000056
【図５５】
2005158024.tif 000057
【図５６】
2005158024.tif 000058
【図５７】
2005158024.tif 000059
【図５８】
2005158024.tif 000060
【図５９】
2005158024.tif 000061
【図６０】
2005158024.tif 000062
【図６１】
2005158024.tif 000063
【図６２】
2005158024.tif 000064
【図６３】
2005158024.tif 000065
【図６４】
2005158024.tif 000066
【図６５】
2005158024.tif 000067
【図６６】
2005158024.tif 000068
【図６７】
2005158024.tif 000069
【図６８】
2005158024.tif 000070
【図６９】
2005158024.tif 000071
【図７０】
2005158024.tif 000072
【図７１】
2005158024.tif 000073
【図７２】
2005158024.tif 000074
【図７３】
2005158024.tif 000075
【図７４】
2005158024.tif 000076
【図７５】
2005158024.tif 000077
【図７６】
2005158024.tif 000078
【図７７】
2005158024.tif 000079
【図７８】
2005158024.tif 000080
【図７９】
2005158024.tif 000081
【図８０】
2005158024.tif 000082
【図８１】
2005158024.tif 000083
【図８２】
2005158024.tif 000084
【図８３】
2005158024.tif 000085
【図８４】
2005158024.tif 000086
【図８５】
2005158024.tif 000087
【図８６】
2005158024.tif 000088
【図８７】
2005158024.tif 000089
【図８８】
2005158024.tif 000090
【図８９】
2005158024.tif 000091
【図９０】
2005158024.tif 000092
【図９１】
2005158024.tif 000093
【図９２】
2005158024.tif 000094
【図９３】
2005158024.tif 000095
【図９４】
2005158024.tif 000096
【図９５】
2005158024.tif 000097
【図９６】
2005158024.tif 000098
【図９７】
2005158024.tif 000099
【図９８】
2005158024.tif 000100
【図９９】
2005158024.tif 000101
【図１００】
2005158024.tif 000102
【図１０１】
2005158024.tif 000103
【図１０２】
2005158024.tif 000104
【図１０３】
2005158024.tif 000105
【図１０４】
2005158024.tif 000106
【図１０５】
2005158024.tif 000107
【図１０６】
2005158024.tif 000108
【図１０７】
2005158024.tif 000109
【図１０８】
2005158024.tif 000110
【図１０９】
2005158024.tif 000111
【図１１０】
2005158024.tif 000112
【図１１１】
2005158024.tif 000113
【図１１２】
2005158024.tif 000114
【図１１３】
2005158024.tif 000115
【図１１４】
2005158024.tif 000116
【図１１５】
2005158024.tif 000117
【図１１６】
2005158024.tif 000118
【図１１７】
2005158024.tif 000119
【図１１８】
2005158024.tif 000120
【図１１９】
2005158024.tif 000121
【図１２０】
2005158024.tif 000122
【図１２１】
2005158024.tif 000123
【図１２２】
2005158024.tif 000124
【図１２３】
2005158024.tif 000125
【図１２４】
2005158024.tif 000126
【図１２５】
2005158024.tif 000127
【図１２６】
2005158024.tif 000128
【図１２７】
2005158024.tif 000129
【図１２８】
2005158024.tif 000130
【図１２９】
2005158024.tif 000131
【図１３０】
2005158024.tif 000132
【図１３１】
2005158024.tif 000133
【図１３２】
2005158024.tif 000134
【図１３３】
2005158024.tif 000135
【図１３４】
2005158024.tif 000136
【図１３５】
2005158024.tif 000137
【図１３６】
2005158024.tif 000138
【図１３７】
2005158024.tif 000139
【図１３８】
2005158024.tif 000140
【図１３９】
2005158024.tif 000141
【図１４０】
2005158024.tif 000142
【図１４１】
2005158024.tif 000143
【図１４２】
2005158024.tif 000144
【図１４３】
2005158024.tif 000145
【図１４４】
2005158024.tif 000146
【図１４５】
2005158024.tif 000147
【図１４６】
2005158024.tif 000148
【図１４７】
2005158024.tif 000149
【図１４８】
2005158024.tif 000150
【図１４９】
2005158024.tif 000151
【図１５０】
2005158024.tif 000152
【図１５１】
2005158024.tif 000153
【図１５２】
2005158024.tif 000154
【図１５３】
2005158024.tif 000155
【図１５４】
2005158024.tif 000156
【図１５５】
2005158024.tif 000157
【図１５６】
2005158024.tif 000158
【図１５７】
2005158024.tif 000159
【図１５８】
2005158024.tif 000160
【図１５９】
2005158024.tif 000161
【図１６０】
2005158024.tif 000162
【図１６１】
2005158024.tif 000163
【図１６２】
2005158024.tif 000164
【図１６３】
2005158024.tif 000165
【図１６４】
2005158024.tif 000166
【図１６５】
2005158024.tif 000167
【図１６６】
2005158024.tif 000168
【図１６７】
2005158024.tif 000169
【図１６８】
2005158024.tif 000170
【図１６９】
2005158024.tif 000171
【図１７０】
2005158024.tif 000172
【図１７１】
2005158024.tif 000173
【図１７２】
2005158024.tif 000174
【図１７３】
2005158024.tif 000175
【図１７４】
2005158024.tif 000176
【図１７５】
2005158024.tif 000177
【図１７６】
2005158024.tif 000178
【図１７７】
2005158024.tif 000179
【図１７８】
2005158024.tif 000180
【図１７９】
2005158024.tif 000181
【図１８０】
2005158024.tif 000182
【図１８１】
2005158024.tif 000183
【図１８２】
2005158024.tif 000184
【図１８３】
2005158024.tif 000185
【図１８４】
2005158024.tif 000186
【図１８５】
2005158024.tif 000187
【図１８６】
2005158024.tif 000188
【図１８７】
2005158024.tif 000189
【図１８８】
2005158024.tif 000190
【図１８９】
2005158024.tif 000191
【図１９０】
2005158024.tif 000192
【図１９１】
2005158024.tif 000193
【図１９２】
2005158024.tif 000194
【図１９３】
2005158024.tif 000195
【図１９４】
2005158024.tif 000196
【図１９５】
2005158024.tif 000197
【図１９６】
2005158024.tif 000198
【図１９７】
2005158024.tif 000199
【図１９８】
2005158024.tif 000200
【図１９９】
2005158024.tif 000201
【図２００】
2005158024.tif 000202
【図２０１】
2005158024.tif 000203
【図２０２】
2005158024.tif 000204
【図２０３】
2005158024.tif 000205
【図２０４】
2005158024.tif 000206
【図２０５】
2005158024.tif 000207
【図２０６】
2005158024.tif 000208
【図２０７】
2005158024.tif 000209
【図２０８】
2005158024.tif 000210
【図２０９】
2005158024.tif 000211
【図２１０】
2005158024.tif 000212
【図２１１】
2005158024.tif 000213